(57)【要約】【課題】  膨張可能で多機能、多目的の放物面反射鏡装置を提供する。【解決手段】  装置は、（１）加熱および調理、（２）発電、（３）無線信号の送受信の強化、（４）低照明環境での視野の強化、および（５）光信号または画像の投影のため、無線周波放射線（ＲＦ）から紫外線放射（ＵＶ）、および太陽エネルギからの電磁エネルギを集束する膨張可能なリングの圧力変形性反射カバーから製造した複数の放物面ミラーを有する。機器は、集水など、非電磁性の用途も有する。第１主要実施形態は、２枚の反射膜を使用する。第２主要実施形態は、反射膜および透明膜を使用する。膨張式機器を完全に折り畳むことにより、携帯性が向上する。
2005527760.tif 000002
【特許請求の範囲】
【請求項１】
放射電磁エネルギを集中、集束および送出する装置として使用する多機能、多目的装置であって、
リングを有し、前記リングが管状で膨張可能であり、前記リングが空の円形中心を画定し、さらに、
前記リングを膨張させるために前記リングに配置された第１膨張弁と、
前記リングの中心を横切って延びる少なくとも２枚の圧力変形可能な膜とを有し、前記膜および前記リングが、少なくとも１つの膨張式反射鏡チャンバを画定し、前記膜の少なくとも１枚が、前記反射鏡チャンバを膨張させるために自身を貫通して延びる第２膨張弁を有することを特徴とする装置。
【請求項２】
前記弁がそれぞれ、取り付けられた可撓性栓、可撓性ジップロック弁、クランプおよびひもで構成されたグループから選択した閉鎖手段によって閉鎖される可撓管であることを特徴とする請求項１に記載の装置。
【請求項３】
さらに、前記リングに取り付けた少なくとも１つのアクセサリ機器を有し、アクセサリ機器が、
１対の取っ手と、
保管時に装置を吊り下げる開口付きタブと、
１対の結び用ストラップと、
収縮して折り畳んだ装置を保存する保存用ポーチと、
装置を安定させるために密度の高い材料で充填する１対のポーチと、
で構成されたグループから選択されることを特徴とする請求項１に記載の装置。
【請求項４】
さらに、前記リングに取り付ける少なくとも１つの締結具機器を有し、締結具機器が、Ｕ字型金具と、クリップと、ブラケットと、装着用スタッドと、ひも（line）と、フックおよびループ締結パッチとで構成されたグループから選択されることを特徴とする請求項１に記載の装置。
【請求項５】
前記圧力変形性膜の１つが、アクセサリ設備を受けるソケットを含むことを特徴とする請求項１に記載の装置。
【請求項６】
複数の膨張式圧力変形性膜が、周囲より低い圧力を加えた反射鏡チャンバを画定する２枚の反射膜であることを特徴とする請求項１に記載の装置。
【請求項７】
前記リングが少なくとも１つのアクセス口を有し、前記膜がそれぞれ、装置を材料で充填するために少なくとも１つの口を有することを特徴とする請求項１に記載の装置。
【請求項８】
前記膜の一方が、雨を収集する中心の口を有することを特徴とする請求項１に記載の装置。
【請求項９】
前記中心の口が、収集容器に挿入された導管を有する漏斗であることを特徴とする請求項８に記載の装置。
【請求項１０】
さらに、容器の体積容量を増加するために前記リング支持体の上に取り付ける１つまたは複数の追加のリングを含むことを特徴とする請求項１に記載の装置。
【請求項１１】
さらに、前記リングに取り付けた樋を含み、前記樋が、蓄積物を収集する排出導管を有することを特徴とする請求項１に記載の装置。
【請求項１２】
さらに、安全形体としてしわが寄るよう、前記膜の少なくとも１枚の表面に取り付ける複数の弾性帯を有することを特徴とする請求項１に記載の装置。
【請求項１３】
さらに、安全手段として前記リングの少なくとも１カ所に取り付けたカバーを含み、前記カバーを収縮位置へと巻き取ることができることを特徴とする請求項１に記載の装置。
【請求項１４】
さらに、照準および位置合わせのために前記膜のそれぞれの中心に配置された十字線を有するパッチを有することを特徴とする請求項１に記載の装置。
【請求項１５】
さらに、
前記リングを支持する剛性の半球形中空支持体と、
前記半球形支持体を支持する第２支持リングとを含むことを特徴とする請求項１に記載の装置。
【請求項１６】
さらに、長さが等しい２本の膨張式線形管を有する支持体を含み、前記管がそれぞれ、高さを調節するために個々の膨張弁を有する接続された区画、および前記リングを支持するために下端にあって錘を入れられるポーチを有することを特徴とする請求項１に記載の装置。
【請求項１７】
さらに、前記リングに取り付けられ、ケトルおよび肉焼き器の棒を支持するためにフックまたは尾根部を有する支持体を含み、装置が、肉焼き器とケトルとの組み合わせに太陽放射線を集束させることを特徴とする請求項１に記載の装置。
【請求項１８】
さらに、前記リングに取り付けた安全ケージを含み、前記安全ケージが、半円形の剛性要素の折り畳み可能な枠組みを含むことを特徴とする請求項１に記載の装置。
【請求項１９】
さらに、受信器または送信器の電線に接続するため線材トラスを含むことを特徴とする請求項１に記載の装置。
【請求項２０】
前記リングおよび前記膜が、少なくとも４枚のシートの平坦なパターンから形成されることを特徴とする請求項１に記載の装置。
【請求項２１】
少なくとも２枚の膜が、少なくとも１枚の反射膜と少なくとも１枚の透明な膜とを含み、該反射膜と透明な膜が周囲より高い圧力を加えた反射鏡チャンバを画定することを特徴とする請求項１に記載の装置。
【請求項２２】
前記弁がそれぞれ、取り付けられた可撓性栓、可撓性ジップロック弁、クランプおよびひもで構成されたグループから選択した閉鎖手段によって閉鎖される可撓管であることを特徴とする請求項２１に記載の装置。
【請求項２３】
さらに、前記リングに取り付けた少なくとも１つのアクセサリ機器を有し、アクセサリ機器が、
１対の取っ手と、
保管時に装置を吊り下げる開口付きタブと、
１対の結び用ストラップと、
収縮して折り畳んだ装置を保存する保存用ポーチと、
装置を安定させるために密度の高い材料で充填する１対のポーチと、
で構成されたグループから選択されることを特徴とする請求項２１に記載の装置。
【請求項２４】
透明な膜が、上部に配置されて、中心に配置された第１弁を有し、反射膜が、下部に配置されて、凸凸反射レンズ・チャンバを形成し、リング支持体が第２弁を有することを特徴とする請求項２１に記載の装置。
【請求項２５】
前記リングが、２つの予備形成された半環状部片で作成され、結合された半環状部片の結合部で反射膜および透明な膜に結合されることを特徴とする請求項２４に記載の装置。
【請求項２６】
装置の上半分が、１枚の透明な膜から形成され、１枚の反射膜の下半分に結合されて、反射鏡チャンバおよび前記リング支持体を形成することを特徴とする請求項２１に記載の装置。
【発明の詳細な説明】
【技術分野】
【０００１】
本発明は概ね放射電磁エネルギを集中、集束かつ送出する機器および製造方法に関する。特に、本発明は、（１）加熱および調理、（２）発電、（３）無線信号の送受信の強化、（４）低照明環境での視野の強化、および（５）光信号または画像の投影のため、無線周波放射線（ＲＦ）から紫外線放射（ＵＶ）を通して太陽エネルギまで、無線周波数放射線（ＲＦ）からの電磁エネルギを集束する一体型膨張式リングによって支持され、圧力で変形可能な反射膜から作成した膨張式放射面反射鏡機器に関する。
【背景技術】
【０００２】
第１の主要実施形態は、２つ以上の圧力変形可能な膜を使用し、その少なくとも１つは反射性で、中心の反射鏡チャンバを形成し、これは（大部分の用途で必要とされるような）周囲より低い圧力または周囲より高い圧力（sub-ambient or super-ambient pressures）へと膨張させて、反射膜を展開することができる。第２の主要実施形態は、少なくとも１つの反射膜および少なくとも１つの透明膜を使用して、中心の反射鏡チャンバを形成し、これは周囲より高い圧力にのみ膨張させることができる。本発明は、機器を、（１）水を集めて保存する、（２）水浮遊機器として使用する、（３）ガーニまたはキャスト（cast）として使用する、（４）軽便な発酵槽装置として使用する、および（５）音響を指向性増幅するような非電磁性機能に使用できることも想定する。本発明は、本明細書の以下で検討し、機器の使用者には容易に明白になるような他の多数の使用法も想定する。
【０００３】
対象となる関連技術は、様々な電磁エネルギ・ハーネス機器について記載しているが、本発明を開示しているものはない。多くの様々な目的に有用であり、運搬および保管のために膨張式である経済的機器に対するニーズがある。
【０００４】
Wladimir von Maydellその他に対して１９６７年６月２０日に発行された米国特許第３，２３６，６２４号は、宇宙ステーションおよび飛行体のために太陽エネルギを収集するため、宇宙空間で永久的に剛性の構造内に形成することができる膨張式放物面反射鏡について記載している。反射鏡は、弁付き環状リング、半径方向に区分可能なカバーまたは細片ばね、半径方向の加熱線、および反射鏡材料で被覆したポリエステル発泡体が形成された弁付きの二重壁反射鏡を有する。リングおよび反射鏡は剛性の内部スペーサを有する。
【０００５】
Bibb B. Allenに対して１９９９年７月６日に発行された米国特許第５，９２０，２９４号は、第１の実施形態の電磁および太陽エネルギ用途にＭｙｌａｒ（登録商標）を使用するバルーン内に内部張力がある複数コードの取り付け具を有する宇宙アンテナについて記載している。第２の実施形態は、電磁および太陽エネルギ用途にＭｙｌａｒ（登録商標）を使用する膨張式環状支持バルーンの内側で金めっきモリブデンまたはグラファイト金網のアンテナ反射鏡の宇宙船への外部張力があるコート取り付け具を使用する。
【０００６】
Fritz Leonhardtその他に対して１９８２年９月２８日に発行された米国特許第４，３５２，１１２号は、湾曲した凹状表面および中心の開口を有する剛性発泡体裏打ちの個々の膜区画によって裏打ちされた研磨アルミニウム・シートまたはプラスチック・シートの内面を有する大型反射鏡について記載している。凹状または凸状反射鏡として形成された２つの膜を使用して、太陽光を反射し、熱吸収体、熱交換器などに集中させる。
【０００７】
Harold D. Justiceに対して１９６１年３月２８日に発行された米国特許第２，９７７，５９６号は、送信または受信局上の膨張式円形アンテナ・ソーサについて記載している。
【０００８】
Kent M. Mackその他に対して１９６１年１０月２４日に発行された米国特許第３，００５，９８７号は、軟質の不導体シートの２枚の凹状シートおよび構造的レースを有する膨張式の楕円形管状膜支持体を覆うレードームを有し、一方のシートが気化アルミニウムで被覆された膨張式アンテナ・アセンブリについて記載している。
【０００９】
Ralph L. McCrearyに対して１９６２年９月２５日に発行された米国特許第３，０５６，１３１号は、軟質プラスチック材料の２枚の薄い凹状シートを有し、少なくとも一方のシートが放物面形状を有する電磁放射線用膨張式反射鏡について記載している。
【００１０】
Desmond M. Brownに対して１９６５年１１月３０日に発行された米国特許第３，２２１，３３３号は、中間部分に接続され、容量性プレート・アンテナを形成するために平行に装着された２つのアンテナ要素を有する１対の隔置された平行の絶縁平面を含む偏球面バッグ空中線を有する膨張式無線アンテナについて記載している。
【００１１】
Richard J. Koehlerに対して１９６８年１１月２６日に発行された米国特許第３，４１３，６４５号は、一方の面に小さい波動エネルギ開口を、直角の面にこれより大きい波動エネルギ開口を提供する細長い膨張式放物面レーダ・アンテナ・トロイド・アセンブリについて記載している。
【００１２】
Floyd D. Amburgeyに対して１９６９年１０月７日に発行された米国特許第３，４７１，８６０号は、可変表面または軟質表面を有し、その幾何学的形状は、このアンテナ・タイプからの最高の受信を獲得するために軟質膜の背後の空気圧または部分真空によって変更することができる反射鏡アンテナについて記載している。
【００１３】
David N. Ulryに対して１９８７年６月９日に発行された米国特許第４，６７２，３８９号は、膨張式反射鏡装置および製造方法について記載している。圧縮フレーム部材によって維持されたエンベロープ内に周囲より高い圧力が維持される。
【００１４】
Daniel V. Sallisに対する１９８８年５月３日に発行された米国特許第４，７４１，６０９号は、円形フレームに装着した膜を有し、膜に張力を与えるため膨張可能であるブラダーを形成する薄膜の周囲付近に円形状に延びる膜の二重壁部分がある伸張膜ヘリオスタットについて記載している。
【００１５】
Marco C. Bernasconiその他に対して１９８８年７月５日に発行された米国特許第４，７５５，８１９号は、宇宙船用途に意図された放物面形反射鏡アンテナについて記載している。機器は、宇宙で気体によって膨張し、剛化トーラスによって安定させたアンテナ反射鏡およびアンテナ・レードームを形成する。カバー材料は、樹脂を含浸した織物で、これは太陽によって加熱されると重合し、これによって反射鏡アンテナが安定し、その形状を維持するために気体圧力を必要としなくなる。
【００１６】
Takase Mitsuoその他に対して１９９４年１月４日に発行された米国特許第５，２７６，６００号は、ベースと、自身上に形成され、ベース上に被せた高反射性の銀層を有し、２つの層の怠惰に接着層が挟まれている軟質ポリマ・プラスチック基質とによって構成された平面反射鏡について記載している。
【００１７】
Jack V. Millerに対して１９９６年１月２３日に発行された米国特許第５，４８６，９８４号は、光を受ける一方端と、放物面反射鏡の焦点付近で同軸上に配置された光軸に対して発光する反対端とを有する細長い光ファイバ光導波路を有する放物面光ファイバ光導波路照明器具について記載している。
【００１８】
Glenn Bakerその他に対して１９９８年１１月１７日に発行された米国特許第５，８３６，６６７号は、凹状のトロイド形反射表面の光軸から変位しているポイントに配置された電磁放射線源またはアーク灯について記載している。目標は光ファイバである。第２凹状反射鏡を第１反射鏡の反対側に配置して、小さい目標から収集した総束を強化する。
【００１９】
O'Malley O. Stoumenに対して１９９９年４月１３日に発行された米国特許第５，８９３，３６０号は、縁で密封された軟質材料の２枚のシートを有する膨張式太陽炉について記載している。上部シートは透明であり、下部シートは反射層を有する。
【００２０】
Michael L. Schrimmerその他に対して１９９９年９月７日に発行された米国特許第５，９４７，５８１号は、気体を含む気体不透過性膜および独立式照明用ＬＥＤを有する発光ダイオード（ＬＥＤ）で照明したバルーンについて記載している。
【００２１】
David P. Ramerその他に対して１９９９年１０月１９日に発行された米国特許第５，９６７，６５２号および２００１年５月２９日に発行された米国特許第６，２３８，０７７号は、球面扇形にわたる強度分布が調整された電磁放射線を投影する装置について記載している。
【００２２】
Robert Zingaleその他に対して２０００年８月２２日に発行された米国特許第６，１０６，１３５号は、内側に取り付けて懸垂し、ＡＣ光源または光ファイバによって繋ぎ止められた光源を有する膨張式半透明バルーンについて記載している。光源は、内部白熱灯、ＬＥＤ、レーザ、点滅するキセノン・ランプまたはＤＣバッテリでよい。
【００２３】
L. Dwight Gilgerに対して２０００年１１月２１日に発行された米国特許第６，１５０，９９５号は、光電池アレイおよび展開可能な外周部トラスＲＦ反射鏡との組み合わせについて記載している。
【００２４】
John Shipleyその他に対して２００１年４月１７日に発行された米国特許第６，２１９，００９号は、折り畳み式アンテナ反射鏡の膨張式半径方向トラス支持構造への張力を受けたコードおよび固定取り付けについて記載している。
【００２５】
Charles T. Suchyその他に対して１９５６年９月２６日に公示された英国特許出願第７５８，０９０号は、自身内に配置された無線空中線を有する膨張式バルーンについて記載している。
【００２６】
Adnan Tarciciに対して１９５３年１２月２３日に公示されたフランス特許出願第１，０４８，６８１号は、キャンピング時に調理用に太陽エネルギを集中させる反射鏡について記載している。
【００２７】
Yasuo Nagazumiに対して１９８４年６月５日に公示された日本特許出願第５９−９７２０５号は、窒素を充填し、放射するアルミニウム・ケーシングと断熱ミラーで画定された気密式チャンバを有する放物面アンテナについて記載している。
【特許文献１】米国特許第３，２３６，６２４号
【特許文献２】米国特許第５，９２０，２９４号
【特許文献３】米国特許第４，３５２，１１２号
【特許文献４】米国特許第２，９７７，５９６号
【特許文献５】米国特許第３，００５，９８７号
【特許文献６】米国特許第３，０５６，１３１号
【特許文献７】米国特許第３，２２１，３３３号
【特許文献８】米国特許第３，４１３，６４５号
【特許文献９】米国特許第３，４７１，８６０号
【特許文献１０】米国特許第４，６７２，３８９号
【特許文献１１】米国特許第４，７４１，６０９号
【特許文献１２】米国特許第４，７５５，８１９号
【特許文献１３】米国特許第５，２７６，６００号
【特許文献１４】米国特許第５，４８６，９８４号
【特許文献１５】米国特許第５，８３６，６６７号
【特許文献１６】米国特許第５，８９３，３６０号
【特許文献１７】米国特許第５，９４７，５８１号
【特許文献１８】米国特許第５，９６７，６５２号
【特許文献１９】米国特許第６，２３８，０７７号
【特許文献２０】米国特許第６，１０６，１３５号
【特許文献２１】米国特許第６，１５０，９９５号
【特許文献２２】米国特許第６，２１９，００９号
【特許文献２３】英国特許出願第７５８，０９０号
【特許文献２４】日本特許出願第５９−９７２０５号
【発明の開示】
【課題を解決するための手段】
【００２８】
本発明の機器は、少なくとも６つの非常に重大な態様にて関連技術より優れている。第１に、本発明の機器は、高度に多機能かつ多目的の性質の結果として、関連技術に対して優れている。本発明の機器の第１および第２実施形態は両方とも、多数の電磁的用途および付随的（非電磁的）用途を有する。これに対して、関連技術は全てその用途および応用については、これより非常に制限されている。
【００２９】
第２に、本発明の機器は、極端に軽量で、コンパクトに折り畳み可能な構成である結果、関連技術に対して優れ、これによって携帯および保管が大幅に容易になる。一例として、質量が約１２５グラムで、完全に折り畳んだ場合の寸法が９．０ｃｍ×１２．０ｃｍ×１．０ｃｍしかない本発明の機器のポケットサイズのタイプを膨張させて、１２０ｃｍの直径の１次反射鏡を有する完全に展開した機器を生成することができ、これは地上で太陽光線集光機器として使用する場合に、１０００ワットの高度に集中した広域スペクトル放射エネルギを提供することが分かる。したがって、このような機器は、１キログラム当たり約８０００ワットという空前の質量比電力出力を提供できることが分かる。
【００３０】
第３に、本発明の機器は、精密に予備形成した反射膜および他の光学形体の結果として、関連技術に対して優れ、これによって機器の運転安全性が大幅に向上する。特に、予備形成した（関連技術で一般的に使用されているような平面の膜ではなく）放物面反射膜により、機器は比較的短い焦点距離を有することができ（かつ機器をこの焦点距離に制限することができ）、それによって潜在的に危険な高濃度の放射線エネルギの位置に対する使用者の制御を向上させることができる。
【００３１】
また、予備形成した非放物面反射膜を使用して、エネルギ濃度の程度をより安全なレベルに制限することができる。さらに、任意選択の一体型安全ケージおよびカバーを使用することで、高濃度の電磁放射線への偶発的暴露の危険が低下する。
【００３２】
第４に、本発明の機器は、予備形成した反射膜の結果として展開（膨張）がさらに容易になる点で、関連技術に対して優れている。予備形成した反射膜を使用することにより、このような反射膜をはるかに少ない差圧を使用して十分に展開することができ、これによって適切な膨張を促進することが分かる。
【００３３】
第５に、本発明の機器の第１実施形態は、関連技術の周囲より高い反射鏡チャンバの設計に固有の複数の損失を解消する点で、より効率的である。本発明の機器の第１実施形態に周囲より低い圧力の反射鏡チャンバを使用することにより、太陽光または他の電磁放射線は、エネルギ源から反射鏡へ、次に目標へと邪魔されずに進行できることが分かる。したがって、本発明の機器の第１実施形態により、このようなエネルギが反射鏡へ、および反射鏡から進行しても、放射線の電磁エネルギに損失がない（ゼロ損失）。これに対して、関連技術では太陽光または電磁放射線は、反射鏡へ、および反射鏡からの途中で周囲より高い圧力の反射鏡チャンバの透明膜を通過しなければならず、その結果、複数の損失が生じる。これらの損失には、電磁放射線が反射鏡へ、および反射鏡から進行する場合の反射、吸収および拡散がある。
【００３４】
さらに詳細には、光が反射鏡へと進行するにつれ、光が反射鏡への途中に通過しなければならない透明膜の外表面から、光の一部が反射する。残りの光が透明膜の厚さを通して進行するにつれ、分子の相互作用の結果として追加のエネルギが吸収かつ／または拡散される。次に、残りの光が透明膜の内表面に到達すると、透明膜と反射鏡チャンバ内の気体（通常は空気）との屈折率に差があるので、追加の光が膜を通って反射して戻ってしまう。この３つのプロセスが、ミラーから反射した光で繰り返され、その結果、合計で６つの重大な透過損失になる。さらに、何とか透明膜の通過に成功した光は、透明膜の表面が光学的に不完全であるので、なお望ましくない拡散または分散作用を受ける。最終的に、関連技術の周囲より高い圧力の反射鏡チャンバの透明膜は通常、このような機器の効率を２０パーセント以上低下させるのに寄与する。
【００３５】
第６に、本発明の機器は、極めて単純で高度に一体化した構造の結果、関連技術に対して優れ、これにより機器は非常に経済的になる。関連技術で規定された設計は、本発明の機器について本明細書で規定する高度の一体化も、その結果として生じる構成の構造の単純性も実際に示さないことが分かる。本発明の機器の相対的な単純性は、反射膜を周囲の圧力（および反射鏡チャンバの部分的排気）のみを使用して精密な凹状の放物表面に変形し、その反射膜を凹状に変形できるということに部分的に起因する。これに対して、関連技術は反射膜を凹状に変形するために、複雑な機械的構成または静電システムを使用する。
【００３６】
本文書のこれ以降の部分を読むと、本発明の機器の第１および第２実施形態は、特に様々な製造方法などの様々な他の方法についても関連技術より優れていることが極めて明白になる。
【００３７】
本発明は、圧力で変形可能な複数の膜で作成された軽便な多機能かつ多目的の膨張式放物面反射鏡機器（装置）であり、膜の少なくとも１つは反射性で、（１）加熱および調理、（２）発電、（３）無線信号の送受信の強化、（４）低照明環境での視野の強化、および（５）光信号または画像の投影のため、無線周波放射線（ＲＦ）から紫外線放射（ＵＶ）を通して太陽エネルギまで、無線周波数放射線（ＲＦ）からの電磁エネルギを集束する膨張式リングによって支持される。多機能機器は、（１）水を集めて保存する、（２）水浮遊機器として使用する、（３）ガーニまたはキャストとして使用する、（４）軽便な発酵槽装置として使用する、および（５）音響を指向性増幅するなど、多数の非電磁的機能も提供する。
【００３８】
第１の主要実施形態は、２つの圧力変形性膜を使用し、少なくともその１つは反射性で、反射膜を展開するために周囲より低い圧力（好ましい）または周囲より高い圧力まで膨張することができる中心反射鏡チャンバを形成する。第２の主要実施形態は、少なくとも１つの反射膜および少なくとも１つの透明膜を使用して、中心反射鏡チャンバを形成し、これは周囲より高い圧力にのみ膨張させることができる。両方の実施形態とも、安全性を向上させ、動作を容易にするため放物面の形状に予備形成した反射膜を使用する。しかし、予備形成していない、つまり平面の反射膜を使用すると、焦点距離の変化が可能になると想定される。さらに、予備形成した非放物面の、つまり球形、波形、または一連の円錐区画の反射膜を使用すると、最大の集中程度を制限し、さらに安全性を向上することが想定される。
【００３９】
特定の軽便な機器および装置が、両方の主要実施形態について図示され、これはさらに、（１）調理、加熱、蒸留、および発電用の広域スペクトル太陽光エネルギの集中および収集、（２）無線信号の受信および送信、（３）屋内、地下および水中環境の照明、（４）水または他の液体の収集および貯蔵、（５）音響の指向性増幅など、広範囲の有用な用途を容易にするか、可能にする。複数の圧力変形性膜で製品を形成する製造プロセスが開示される。
【００４０】
したがって、非常に軽便で多機能かつ多目的の装置、およびその製造方法を提供することが、本発明の主要な目的であり、これは、無線周波放射線（ＲＦ）から紫外線放射（ＵＶ）を通して太陽光放射線まで電磁エネルギを集束する放物面反射鏡として使用するよう最適化されるが、無数の他の電磁および非電磁的用途にも使用することができる。本発明の多機能の性質に関して、本発明の特定の目的および利点は、
【００４１】
（ａ）調理、加熱、殺菌、希釈、材料処理のため、および放射熱の適用を必要とする、またはその恩恵を受ける他の目的のために、広域スペクトル（つまり太陽光）放射線を集中させ、任意選択で、例えば高放射率（通常は黒化）エネルギを吸収する外表面を有する太陽炉またはオートクレーブなど、集中した太陽光放射線を吸収するよう特に構成された様々な装具を使用することができる高度に軽便な多機能装置を提供すること、
（ｂ）タービン電気、熱電気および／または光電気機器を使用して電力を生成する軽便な多機能装置を提供すること、
（ｃ）手持ち式計算器などの他の方法では動作できない低電力の光起電性機器を動作させる（または再充電する）ために、街路灯などの相対的に仄暗い光源から放射した光を集中させるために使用することができる軽便な多機能装置を提供すること、
（ｄ）無線、マイクロ波、および衛星通信を増強するか、可能にし、さらに電波望遠鏡の使用を可能にするために使用できる軽便な多機能装置を提供すること、
（ｅ）三日月などの仄暗い光源から放射した可視光を、見るべきオブジェクト上に集中させることにより、暗くなった環境における視覚を向上させる軽便な多機能装置を提供すること、
（ｆ）ロウソクなどの視準していない光を暗い環境へ投光することにより、暗くなった環境における視覚を向上させる軽便な多機能装置を提供すること、
（ｇ）焦点に保持した非視準光源で使用する場合などに、光信号通信を可能にするか、増強し、信号ビーコンを形成する高度に軽便な多機能装置を提供すること、
（ｈ）導波管システムを使用して、全整色可視光（pan-chromatic visible light）（または放射線の他の有用なスペクトル範囲）を捕捉し、屋内、地下、および水中環境に送出して、視覚を向上させるか、または光学画像投影装置などの設備を動作させる軽便な多機能装置を提供すること、
（ｉ）救急用多層保温用毛布、さらに静電および電磁エネルギ・シールドとして働き、人またはオブジェクトを保護することができるが、人またはオブジェクトを赤外線（ＩＲ）カメラから隠すこともできるか、電磁描像または検出機器から他の方法で保護することができる軽便な多機能装置を提供すること、
（ｊ）ガーニまたは膨張式キャストとして使用するなど、人またはオブジェクトの軟質で柔軟性がある支持体として働くことができる軽便な多機能装置を提供すること、
（ｋ）水浮遊機器、ボート、または雪そりとして使用することができる軽便な多機能装置を提供すること、
（ｌ）水、他の液体、および特定の個体材料を捕捉、貯蔵、処理、および分配するために使用することができ、様々な装備（集水リング、樋、漏斗、フィルタ、管、弁、ポンプなど）を装置に一体式または着脱式に組み込むことができる軽便な多機能装置を提供すること、
（ｍ）夜間に凝集プロセスによって集水するために使用できる艶消しの黒い高放射率表面を組み込んだ軽便な多機能装置を提供すること、
（ｎ）発酵槽として使用でき、上述した蒸留機能と組み合わせて、装置が高グレードの燃料、薬品および他の目的のためのアルコールを生成できるようにする軽便な多機能装置を提供すること、
（ｏ）音響の指向性増幅用の軽便な多機能装置を提供すること、および
（ｐ）任意選択で１つまたは複数の圧力変形性で平面の反射膜を組み込み、機器が可変焦点距離を有することができるようにする軽便な多機能装置を提供することである。
【００４２】
本発明の別の目的は、携帯性および貯蔵を大幅に容易にし、それによりキャンピング、バックパッキング、ピクニック、ボートこぎ、救急時、災害救助、および高い質量比および／または高い体積比性能が重要である他の状態（地上または宇宙）にとって理想的に適切である高性能装置を提供するよう、極めて軽量で十分に折り畳むことができ、コンパクトに折り曲げることができる多機能装置を提供することである。携帯性および貯蔵性に関して、本発明の特定の目的は、
（ａ）重量を最低にするために、全体が非常に薄く強度が高い膜で構成された主要構造を有する多機能装置を提供すること、
（ｂ）通常は機器とともに搬送する必要がない加圧気体を使用して膨張可能な（剛化可能およびその他の方法で十分に展開可能な）多機能装置を提供すること、
（ｃ）使用していない場合に体積を最小にするため、十分に折り畳むことができ、コンパクトに折り曲げることができる多機能装置を提供すること、
（ｄ）重量および収容時の（展開していない）体積が非常に小さいので、地上で広域スペクトル太陽光集光装置として使用する場合に、それぞれ１キログラム当たり約８０００ワットおよび１立方メートル当たり１０メガワットという非常に高い質量比および体積比性能を生じる多機能装置を提供すること、および
（ｅ）膜材料から作成され、ジップロックタイプ、クランプタイプまたは結びつけタイプ（clamped or tied）、または自動密封タイプ（self-sealing）の閉鎖機構を含む極めて軽量でコンパクトな膨張弁を有する多機能機器を提供することである。
【００４３】
本発明のさらに別の目的は、運転、輸送、および貯蔵の安全性が向上した他機能装置を提供することである。安全性に関して、本発明の特定の目的は、
（ａ）焦点の周囲に物理的バリアを形成し、それによって潜在的に危険な濃度の電磁放射線に偶発的に暴露することを防止する一体安全ケージを有する軽便な多機能装置を提供すること、
（ｂ）機器を使用していない場合に、放射線が反射膜に当たるのを防止し、それによって潜在的に危険な濃度の電磁放射線が焦点に形成するのを防止し、したがってそれに偶発的に暴露する危険を防止する一体安全カバーを有する軽便な多機能装置を提供すること、
（ｃ）十分展開（加圧）していない場合は反射膜を歪曲し、それによって意図的でない潜在的に危険な濃度の電磁エネルギの形成をこの場合も防止する一体反射鏡のしわ寄せ機構を有する軽便な多機能装置を提供すること、
（ｄ）機器を短い焦点距離に制限し、それによって焦点に高度に集中したエネルギの位置に対するオペレータの制御を大きくすることにより、安全性を向上させる予備形成放物面反射膜を有する軽便な多機能装置を提供すること、および
（ｅ）エネルギ集中の程度をより安全なレベルに制限する予備形成非放物面反射膜を有する軽便な多機能装置を提供することである。
【００４４】
本発明のさらに別の目的は、展開および運転がさらに容易になる軽便な多機能装置を提供することである。使用の容易性に関して、本発明の特定の目的は、
（ａ）取っ手、開口付きタブ、ひも（tie）、計量および保存用ポーチ（特に軽量、コンパクトで、機器を構成する膜の延長部から作成できるもの）などの様々な一体の固定および保存用形体を有する装置を提供すること、
（ｂ）Ｕ字型金具（clevises）、クリップ、ブラケット、ソケット、フックおよびループ・パッチなどの様々な一体アクセサリ・ハードウェア取り付け機器、および他の一般的な締結機構を有する装置を提供すること、
（ｃ）膨張式の調節可能な２脚支持体、積み重なった膨張式テーパ状支持体／レベリング・リング、および別個の任意選択の膨張式（浮遊）支持リング付きの膨張式半球形装着要素を含む機器を支持し、配向する様々な軽量で軽便な機構を有する装置を提供すること、
（ｄ）焦点で、またはその付近で様々な品目および／または装備を保持し、折り曲げ可能な多目的肉焼き器／ケトル支持体、折り曲げ可能な多脚焦点支持体および／または膨張式焦点支持体を含む軽量で軽便な機構を有する装置を提供すること、
（ｅ）平面の反射膜を使用する機器より非常に低い差圧を膜全体に使用して十分に展開することができ、それによって適切な膨張を容易にする、予備形成されて（pre-formed）圧力変形可能な反射膜を有する装置を提供すること、
（ｆ）電磁気源および／または目標との位置合わせを容易にするか、他の目的で機器を位置合わせするため、視覚的位置合わせガイド、傾角計、レベル、および磁気コンパスなどの一体配向および位置合わせ形体を有する装置を提供すること、
（ｇ）手動または自動制御されるルーバーまたは虹彩絞り機構などの光／熱強度制御器を有する装置を提供すること、および
（ｈ）光電池、電気ポンプ、ファン、ドライバ、タイマ、サーモスタット、制御器、および他の有用な機器を含むが、それに制限されない様々な用途を容易にするため、一体しきまたは別個に取り付けた様々な電子および／または機械的要素を有する装置を提供することである。
【００４５】
本発明のさらに別の目的は、より効率的である軽便な多機能装置で、２つの圧力変形可能な膜を使用して周囲より低い圧力の凹凹反射鏡チャンバ構成を形成し、それによって光が焦点へ、または焦点からの途中に少なくとも１回は透明膜を通過しなければならない周囲より高い圧力の反射鏡チャンバを使用する機器に固有の複数の損失が解消される装置を提供することである。
【００４６】
本発明のさらに別の目的は、極めて単純で高度に一体化された構造のおかげで高度に経済的であり、したがって日常的な使用にも教育目的にも普遍的に使用可能になる軽便な多機能装置を提供することである。経済性に関して、本発明の特定の目的は、
（ａ）製造工具および処理を大幅に単純化し、それによって製造費を削減する平坦なパターンの製造方法を使用して、薄く強度および（好ましくは）弾性率が高い材料の複数（概ね４枚以上）のシートから作成した装置（第１および第２の主要実施形態）を提供すること、および
（ｂ）単純で十分に確立された製造プロセスを使用して、強度が高い市販の材料のわずか２枚のシートから製造することができる装置（第２の実施形態）を提供することである。
【００４７】
本発明のさらに別の目的は、落下耐性または他の損傷耐性が高い軽便な多機能装置を提供することである。落下／損傷耐性に関して、本発明の特定の目的は、
（ａ）１つの反射鏡チャンバが損傷した場合、機器がなお動作可能であるよう、１つまたは複数の重複（redundant）反射鏡チャンバを有する装置を提供すること、および
（ｂ）装置を意図的に落下（つまり空中投下）または意図せずに（つまり偶発的に）落下させることができ、それでもかなりの損傷がないよう、主に非常に軟質の材料で構築した装置を提供することである。
【００４８】
本発明のさらに別の目的は、装置の動作に燃料を必要としないということから環境に優しい軽便な多機能装置を提供することである。燃料の代わりに、本発明はもっぱら放射する太陽エネルギを使用し、それによって空気、水または土壌の汚染を引き起こさず、これは一般的に炭化水素燃料の燃焼に頼り、したがって必然的に燃焼プロセスと燃料の漏れとの両方を通して汚染を引き起こす他の一般的な軽便な調理および加熱設備とは全く対照的である。
【００４９】
上述の目的のために、安価で信頼でき、所期の目的を達成する際に十分に効果的である改良型の要素およびその配置構成を提供することが、本発明のさらなる目的である。
【００５０】
本発明の以上およびその他の目的は、以下の明細書および図面をさらに再検討することにより、容易に明白になる。
【発明を実施するための最良の形態】
【００５１】
基本的機器は、放射性電磁エネルギを集中、集束かつ送出するタイプの装置であり、これは少なくとも２枚の圧力で変形可能な膜を組み込むことによって放射エネルギを操作し、膜の少なくとも一方が反射性で、膨張したトロイド（ドーナツ形体）またはリングで支持しなければならない。機器は、無線周波数（ＲＦ）から紫外線（ＵＶ）を通して広範囲の電磁スペクトルにわたって効果的である。この高度に多機能の機器は、無数の非電磁用途にも適用可能であることに留意されたい。
【００５２】
図１から図４９Ｌで示した基本的機器の好ましい第１主要実施形態は、周囲より低い圧力まで膨張して、膨張式トロイドまたはリングによって支持された凹凹反射鏡構成を形成する膨張式圧力エンベロープ（反射鏡チャンバ）の部分であり、９０％を超える実効効率、および１０，０００倍以上日光を集中させる能力を有する少なくとも１枚の反射膜を有する。図５０Ａから図５７Ｇで示した基本的機器の第２主要実施形態は、少なくとも１枚の反射膜および少なくとも１枚の透明膜を有して、周囲より高い圧力まで膨張させて膨張式リングによって支持された凸凸レンズ構成を形成する圧力エンベロープ（反射鏡チャンバ）を有する。この実施形態は、７５〜８５％の実効効率を有する。両方の主要実施形態について、異なる数の部片を結合することにより膜およびリング支持体を製造することを示す。機器の両方の主要実施形態は、十分に確立された製造プロセスを使用して市販の材料から製造できることに留意されたい。さらに、第１主要実施形態について示した様々な用途の大部分は、第２主要実施形態にも当てはまる。
【００５３】
図１および図２では、反射膜のみを有する第１主要実施形態１０を、円形の断面を有し、上前側の弾性反射膜１４および下後側の重複（redundant）弾性反射膜１６を支持するトロイドまたはリング状支持要素１２として図示する。図は、支持要素１２が円形であることを示す。しかし、本発明は、六角形、正方形、長方形、楕円形などの断面形状を有するものなど、他のタイプの支持体を使用して実践できることが分かる。膜１４は、中心に配置された膨張弁１８を有する。膨張式トロイド形支持構造１２は、膨張して剛性リングを形成するための気体弁１８も有する（リング状支持体および中心の反射鏡チャンバを別個に膨張するため、２つの弁が図示されている）。
【００５４】
反射膜１４および１６は、安全目的で短い焦点距離を提供し、反射膜１４および１６を十分に変形して滑らかにするのに必要な差圧を減少させるために、（製造中に）放物面の形状に予備形成する。しかし以下で示すように、本発明は、反射膜１４および１６にわたって加える差圧の関数として可変焦点距離を提供することができる機器を生成するため、平面状（予備形成されていない）膜を使用して実践することができる。
【００５５】
反射膜１４および１６は、トロイド状支持構造の内部分との組み合わせで、二重の放物面凹凹反射鏡構成の反射鏡チャンバ２０を提供する。トロイドを形成する一例として、トロイド１２を形成するためのシーム２２が図示されている。膜１４、１６をトロイド１２に接着剤または熱で結合する。あるいは以下で示すように、反射膜およびトロイド要素は、各側で１つの部片でよい。膜１４、１６は、Ｍｙｌａｒ（登録商標）、つまりポリエチレンテレフタレート・プラスチック組成から作成する。反射表面２４は、膜１４、１６の外側を蒸着アルミニウムおよび同様の反射性材料で被覆することによって設ける。プラスチックの反射膜は、均質に組み込まれた反射性粒子を有するか、一体の導電性ワイヤまたは網を含むことができる。
【００５６】
トロイド１２は、ビニルなどの高張力が可能な材料（つまり高い強度および低い弾性率を有する材料）から作成し、これはトロイド・リング構造の十分な膨張を妨げないよう、平坦な環状シートから製造したトロイドの内部分が十分に緊張（伸張）できるようにするために必要である。
【００５７】
図３Ａおよび図３Ｂで示すように、太陽放射線２８の焦点２６の調節は、反射鏡チャンバ２０内の膨張圧を増大させ、焦点距離３０を延長することによって示される。
【００５８】
図５は、安定した位置を組み込み、他の要素を取り付けるためにトロイド１２に追加することができる付属物を示す。１対の取っ手３２を、トロイド１２の側部の正反対に配置する。保管時などに吊り下げるため、開口付きタブ３４を、側部の取っ手３２間に等距離で設ける。１対の吊り下げ用ストラップ３６を開口付きタブ３４の両側に取り付ける。すぼめて折り曲げた装置１０を保存するため、保存用ポーチ３８を設ける。直立した装置１０を安定させるための高密度材料で充填するため、１対の底部ポーチ４０を設ける。
【００５９】
図６は、反射膜１４用でもある弁の例として、トロイド１２上に一体化した栓（plug）４４を有する軟質プラグ弁４２を示す。これらの弁は、高さが低い弁でもよく、シールの完全性を向上させるためにねじ込めることが分かる。図７Ａは、トロイド１２上に従来のジップロック部分（ziplock  portion）４８があるジップロック・タイプの弁４６を示す。図７Ｂは、クランプ（clamp）またはひも（tie）５２によって閉鎖するよう締め付けられた弁５０を示す。
【００６０】
図８は、線の支持体５６を結びつけるＵ字型金具、シャックル、クリップ、またはブラケット（bracket）５４、および他の要素を取り付けるフックおよびループ締結パッチ５８および装着スタッド（mounting stud）６０などの、第１主要装置の実施形態１０上にある様々な取り付け機器を示す。中心に配置されたソケット６２は、上前側反射膜１４にアンテナ６４を挿入するため図示されている。
【００６１】
図９は、水を担持するか錘材（weights）を加えるための４つ（または他の任意の数）の口を加えることにより、装置６６を形成するよう改造された第１実施形態の装置１０の異なる使用法を示す。反射鏡チャンバ２０に突き当たるトロイド１２の内部口６８によって、水がトロイド１２から反射鏡チャンバ２０に流入することができる。トロイド１２および上膜１４上の比較的大きい荷重カバー（loading cover）７０を、正方形、長方形または円形として形成し、７２で蝶番接続し、周囲のフックおよびループ締結具（fastener）５８（または他の任意のタイプの締結具）によって締結して閉鎖する。
【００６２】
図１０は、排水を容易にするよう上膜１４の中心に配置して、流出する雨７８を反射鏡チャンバ２０へと通す出口ダクト７６、つまり改造した弁および／または漏斗状に形成した膜を有する採雨装置７４を示す。
【００６３】
図１１は、改造された採雨装置８０を示し、ここでは中心に配置された漏斗８２が下膜１６を通過して導管８４および収集容器８６へと至る。この構成によって、器具は様々な動作モード間、つまり採雨と調理との間で迅速に変換することができる。この構成は、使用者が対向する反射膜１４と１６に含まれる漏斗／弁の対向する対を接続することによって組み込めることに留意されたい。採雨（または本出願で述べる他の任意の目的）のために装置の容積を増加する必要がある場合は、追加のリング１２を使用して、壁の高さを増加させることができる。
【００６４】
図１２は、必然的にではないが一般的に比較的小さい直径を有し、膨張してトロイド１２の頂部に取り付けられる追加の膨張した収集リング９０を有する装置８８で雨水または他の液体を収集することを示す。したがって、リング９０は集水容積を増加させる。これは、衝撃の水はねによる損失を減少させ、特に傾斜した表面（丘）または動作する表面（揺れる船舶の甲板）に配置した場合に、漏れを減少させる。
【００６５】
収集リング９０の大径は、有効捕捉面積を増加させるために拡大することができる。液体収集（またはリング９０の直径方向に延びる棒上の焦点で品目を支持するなど、本出願で述べる他の目的）のために装置の外部体積を増加させる必要がある場合は、追加の収集リング９０を機器に取り付けて、壁の高さを増加させることができる。液体貯蔵のために装置の容積を増加させる必要がある場合は、追加のトロイド支持構造リング１２を、反射膜１４、１６間で機器に組み込むことができる。
【００６６】
図１３は、周囲の樋９６で水９４を収集し、導管８４を介して水を収集容器８６へと排出する装置９２を示す。周囲の樋９６はトロイド１２の外縁に配置することができ、トロイド１２を有する膜の延長部から製造できることに留意されたい。
【００６７】
図１４Ａおよび図１４Ｂは、表面を歪曲することにより、装置１００が潜在的に危険な濃度のエネルギを生成するのを防止するため、安全ファクタとして膜１４、１６にゴムなどの幾つかの円形弾性帯９８を追加することを示す。図１４Ｂは、隔置されたプラスチック細片１０２によって反射鏡チャンバ内に固定されている弾性帯９８を示し、これは反射膜の内表面に熱またはその他の方法で結合される。
【００６８】
図１５は、トロイド１２の取り付けポイント１０８まで巻き上げることができる円形のプラスチック・カバー１０６を有する装置１０４を示す。カバー１０６は、任意選択でフックおよびループ・パッチを有し、巻き上げ状態または展開状態で保持できるようにすることが可能である。カバーの目的は、ミラーを保護し、使用していない場合に意図的でない危険なエネルギの集中を防止することである。
【００６９】
図１６は、装置１１０と電磁気源との位置合わせを補助するため、十字線形部材（cross-hair configured member）１１４、さらに別の部材１１４をトロイド１２内に有する中心の透明なパッチ１１２を、両方の膜１４、１６に挿入するよう改造された装置１１０を示す。
【００７０】
図１７は、第１主要装置の実施形態１０が内部に横たわった、ゴア（gores）１２２から作成された半球形の装着および安定化構成要素１２０を支持する膨張したベース・リング１１８を有する衛星皿形受信装置１１６を示す。この装置１１６は、衛星通信の受信に使用する場合は、付属の受信器（図示せず）を必要とすることがある。反射鏡を複数のゴアで作成してもよいことが分かる。
【００７１】
他の支持方法には、半球形の装着具を砂に掘るなどして地面の窪みに納めること、またはソースおよび／または目標へと適切に配向するため、機器を傾斜するために使用する複数のテーパ状支持リングなどがある。
【００７２】
図１８は、個々の気体膨張弁１８で膨張可能な区画１２８を有する２本の支持管１２６によって第１主要装置１０を支持する、膨張可能で高さが調節可能な２脚支持構造１２４を示す。したがって、これらの支持管１２６は、各支持管の各区画に挿入する空気の量を制御することにより、でこぼこの大地に配置するために高さを調節可能である。支持管１２６は、図５で示すように吊り下げストラップ３６によって、または任意の他のよく知られている締結手段によって傾斜した装置１０の頂部に結びつけられる。支持管１２６の反対側の端部は、管を保管したり、管を重くして装置１２４を安定させたりするためのポーチ１３０を有する。装置の位置を維持するために、コード１３２を各管１２６および装置１０の底部に取り付ける。
【００７３】
図１９Ａおよび図１９Ｂはそれぞれ、トロイド１２に重なるサイズ超過の反射膜１４、１６を有する、膨張していない平坦なパターン１３４または膨張した装置１３６を示す。膨張させるために必要な弁を設置する。この膨張した装置１３６は、本発明の他の機器の多くと同様、給水船として、または雪で覆われた斜面（図示せず）を滑り降りるために使用することができる。
【００７４】
図２０は、人の耳（図示せず）を焦点に配置するか、ポケット１４４に収容したシャフト１４２上のマイクロフォン１４０を前側反射膜１４の中心に配置することにより、囀る鳥１３８などの遠方の音を聞くために使用する第１実施形態の機器１０を示す。
【００７５】
図２１は、コンピュータ１５２などのブラウン管を含む機器または漏れ出る電子レンジ１５４から漏れる危険な電磁線１５０に近接しなければならない人１４８（影で図示）を保護する電磁エネルギ・シールド１４６として使用する第１実施形態の機器１０を示す。この保護は、機器が膨張しているかに関係なく提供される。
【００７６】
図２２は、人１４８が反射した体熱によって自身を暖めるため、救急用保温性床または毛布１５６として使用する第１実施形態の機器１０を示す。毛布１５６は人１４８に巻き付けることができる。この場合も、この機能を達成するために、機器を膨張させる必要はない。機器は、負傷した人を支持するガーニまたはキャスト（cast）として使用できることを、さらに記しておく。
【００７７】
図２３は、太陽放射線２８または月の放射線を使用して、機器１０に取り付けたトラス支持体１６８によって支持された導波管取り入れ機器１６６から太陽放射線２８を受ける光ファイバ・ケーブル１６４を通して太陽放射線２８を伝達することにより、建物１６２の内側の投影器スクリーン１６０に画像を投影する光学画像投影器１５８に照明を提供する第１実施形態の機器１０を示す。
【００７８】
図２４は、４本のケーブルまたは棒１８２によって焦点に固定されたアンテナ１８０から無線周波数およびマイクロ波放射線１７８を受けるために、ブレース１７６によって支持され、周囲より高い圧力の大気１７４中に設置された第１実施形態の機器１０を含む宇宙空間（outer space）１７２の透明な球１７０を示す。
【００７９】
図２５は、第１実施形態の装置１０から反射し、最初にナトリウム・ランプ街灯１８６から受けた放射線によって通電／再充電された手持ち式計算器１８４などの低電力光起電力機器を示す。
【００８０】
図２６は、海１９０上で船舶１８８に収容され、太陽光放射線２８を反射して、導波管光取り入れ機器１６６および光ファイバ・ケーブル１６４内に集中させ、ダイバー（図示せず）が使用する水中のランプ１９２を照明する第１実施形態の機器１０を示す。
【００８１】
図２７は、太陽光放射線２８を受け取り、放射線を導波管取り入れ機器１６６、光ファイバ・ケーブル１６４、および個々のランプ１９２に伝達することにより、高層建築１９６の部屋１９４を照明するために第１実施形態の機器１０を使用することを示す。
【００８２】
図２８は、暗がりで約４５フィート（１３．７ｍ）離れた位置にある書物２００を読むために、点灯したロウソク１９８からの照明を集束する第１実施形態の機器１０の使用を示す。
【００８３】
図２９は、三日月２０４からの月の放射線２０２で書物２００を読めるようにする第１実施形態の装置１０を示す。この方法でコンパスや地図も読むことができる。
【００８４】
図３０は、第１の人２０８が操作する懐中電灯２０６からの光信号を伝達して、モールス信号の知識がある第２の人２１４が観察している遠くの樹木２１２または同様の不透明なオブジェクトに視準光の像２１０を投影することを示す。光源を覆って信号を伝達することにより、例えば、ロウソク、マッチおよびタバコ用ライタなどの他の光源で、置換することができる。
【００８５】
図３１は、装置の焦線に膜１４の中心のポケット１４４に固定し、中心に配置したアンテナ２１８を追加し、通常は範囲から外れた送信局２２０からの信号を受信することにより、放物面無線周波数（ＲＦ）またはマイクロ波受信機器２１６を形成する、第１実施形態の装置１０の改造を示す。機器は、送信範囲を拡張し、無線通信を強化するために使用することもできる。
【００８６】
図３２は、塔２２４の高所にあって、これを通る導管２２６を通過して建物に入り、再加熱するために塔へと戻る水または空気を含む黒いタンク２２２に集束する太陽放射線２８によって建物を暖房する第１実施形態の機器１０を示す。
【００８７】
図３３は、単独で、または第２機器１０と協力して、寒冷気候中にキャンプファイア２３０から放射した熱によって当たる人２２８を暖める第１実施形態の機器１０の使用を示す。反射膜上に電磁放射線をフィルタリングかつ／または反射する伝導性メッシュを使用してよいことが分かる。
【００８８】
図３４は、紙、木材などの可燃性材料２３２を太陽放射線２８によって点火するために第１実施形態の機器１０を使用することを示す。
【００８９】
図３５は、機器２３４を第１実施形態の機器１０の焦点に配置した場合に、第１実施形態の機器１０によって太陽放射線２８を集束することにより光電池機器２３４に通電することを示す。
【００９０】
図３６は、第１実施形態の機器１０によって太陽放射線２８を集束することにより熱電電池機器２３６に通電することを示す。導電線２３８が、電力を必要とする任意の機器に通電する。
【００９１】
図３７は、加熱用液体媒質２４６を有する黒いタンク２４４へとパイプ２４２から流入する水などの液体２４０を太陽放射線２８によって加熱し、流出用パイプ２５２を通って近傍のタービン（図示せず）へと通過するためにコイル２５０内に流出蒸気２４８を生成して、電力を生成する第１実施形態の機器１０の使用を示す。
【００９２】
図３８は、産業製品２５６を生産し、ある距離でトラス支持体１６８によって支持された黒い熱反応容器２５４へと、放射した太陽放射線２８を集中させることによって熱を提供するために使用されている第１実施形態の機器１０を示す。反応した製品を移送するためのパイプ類は省略されている。反応は、バッチ・モードまたは連続モードで操作できることが分かる。
【００９３】
図３９Ａは、太陽放射線２８を使用することによって液体２５８を蒸留するために使用する第１実施形態の機器１０を示す。液体を含むフラスコ２６０を、コイル状の蒸留管２６２に取り付ける。コイル状の蒸留管２６２は、頂部が開放しており、凝集した液体を導管８４を通して図１１のように収集容器８６に蓄積する。
【００９４】
この機器は、太陽熱オートクレーブ装置または発酵装置として使用することもできる。前者の使用法では、機器を使用して医療用、歯科用、または他の装置を殺菌することができる。図３９Ｂで示す発酵装置として、機器はカバー８５を有し、圧力解放弁８７または嫌気性空気ロック（anaerobic air valve）を有することができる。
【００９５】
図４０は、肉焼き機器（rotisserie device）２６８を支持するよう構成され、取り付けられた４本のアーチ状の棒２６６を有する調理機器２６４に組み込まれた第１実施形態の機器１０を示す。棒２６６は、ケトル２６２などの他の調理用品を支持するため、一連のフックまたはぎざぎざ２７０を有する。第１実施形態の機器１０は太陽放射線によって通電される。装置は膨張式肉焼き器としても使用できることが分かる。
【００９６】
図４１は、危険な濃度の太陽放射線に偶発的に暴露することから自身を保護するため、展開および折り畳み可能な安全ケージ２７４を形成するよう使用される第１実施形態の機器１０を示す。安全ケージ２７４は、複数の、例えば９本の剛性金属またはプラスチックの半円形支持脚２７６を有し、これは端部が機器１０の１対の対向するピン継ぎ手２７８に取り付けられ、各支持脚２７６を隔置するよう取り付けられた複数の可撓性金属またはプラスチック・ケーブル２８０によって安定した状態で保持される。
【００９７】
図４２は、第１実施形態の機器１０の３つのピン継ぎ手２７８に取り付けた棒で構成され、焦点に固定されて電磁放射線受信機器２８４を支持する３脚支持体２８２を示す。機器２８４は、導電線２３８によって受信器の表示機器２８６に接続される。
【００９８】
図４３は、トロイド１２用の第１弁１８があるが、トロイドを通過して反射鏡チャンバ２０に入る延長第２弁２８８で改造された第１実施形態の機器１０を示す。
【００９９】
図４４は、複数のゴア（gores）１２２（図１７）から作成した代替トロイド２９０を示し、反射鏡膜は省略されている。
【０１００】
図４５Ａから図４５Ｃは、４枚または６枚の異なるプラスチック層のシートから平坦なパターンで作成された第１実施形態の機器１０の第１種２９２を示し、円形はシームまたは結合部２２を示す。６層で構成された図４５Ｂの第１亜種２９３では、トロイド１２が、Ｍｙｌａｒ（登録商標）などの強度および弾性率が高い材料２９４の２枚の環状外部シートから形成される。トロイド１２の内部環状部分２９６は、反射鏡チャンバ２０の内側が平坦である場合に配置され、ビニルなどの弾性率が低く強度が高い材料から形成される。弾性率が低く強度が高い材料は、トーラスが十分に膨張するのを妨げないよう十分に緊張（伸張）する能力を有する。反射鏡チャンバ２０を形成する円形の反射膜１４、１６は、Ｍｙｌａｒ（登録商標）をアルミニウム、金などで被覆して作成する。４つの層しかない図４５Ｃの第２亜種２９５では、反射膜１４、１６は円形であり、トロイド１２の一部を形成する。
【０１０１】
第２種２９８は、図４６Ａで示したような平坦なパターンから形成する４枚または６枚シートの構成の第１種に類似した膨張構造を有する。内部環状シートは、ここでは平坦になったトロイド領域１２の内側にある。図４６Ｃおよび図４６Ｄの第２および第３亜種３０２および３０４ではそれぞれ、４枚のシートしか使用しない。第２亜種３０２では、反射鏡膜１４、１６は、トロイド１２の外側部分も形成する。第３亜種３０４では、反射鏡膜１４、１６はトロイド１２の内側部分を形成している。このような平坦なレイアウトのパターンにより、特定の状況で最適となる機器１０の反射鏡表面積の量に融通性を与えることができる。
【０１０２】
図４７Ａで示した第３種３０６では、図４７Ｂから図４７Ｅが、６、８または１０枚シートの平坦なレイアウトのパターンをベースとしている。図４７Ｂの第１亜種３０８では、トロイド１２は、２枚の外部環状シート３１０、２枚の中央環状シート３１２、および２枚の内部環状シート３１４を有する６枚のシートで構成される。反射膜１４、１６が８枚シートの構造３０８を完成させる。図４７Ｃの第２亜種では、反射膜１４、１６がそれぞれ上表面および下表面を構成し、６枚シートの平坦なレイアウトの構造３１６を形成する。図４７Ｄは、第３亜種のような６枚シートの平坦なレイアウトの構造３１８を示し、ここでは反射膜と中央環状シートを組み合わせる。図４７Ｅは、前述した亜種のいずれかのトロイド部分１２にさらに２つの環状端層３２２を追加することに基づく第４亜種３２０であるが、図４７Ｂの８枚シートのレイアウトのパターンを改造して、１０枚シートのレイアウトのパターンを形成するよう図示されている。
【０１０３】
図４８Ａから図４８Ｄは、全ての亜種についてシートを４枚しか使用せず、十分に、または部分的に予備形成した状態で第４種３２４を示す。反射膜１４、１６を、予備形成した部片２個のトロイド要素１２に取り付ける。図４８Ｂで示す第１亜種３２６は、部分的に予備形成された膜１４および１６を有し、その結果、反射鏡チャンバ２０が制限される。また、トロイド１２は、部分的に予備形成されて断面が楕円形（oval）の構成３２８を有する。図４８Ｃの第２亜種３３０は、断面が円錐形の外部先端３３２を有し、バイアス付与された予備形成トロイド要素１２を有する。図４８Ｄの第３亜種３３４は、トロイド要素１２の予備形成した内部分と、断面が予備形成されていない、または平坦にした外端部３３６を有する。
【０１０４】
図４９Ａは第４亜種３３８であり、六角形の断面３４０を有する支持リングまたはトロイド１２を形成する８枚のシート、および反射チャンバ２０を画定する反射膜の２枚のシート１４、１６を有する第１の好ましい実施形態の機器１０の３次元代替構造を示す。この追加の亜種は、予備形成しないで膜の曲がり・ゆがみ（buckling）を最小にすることで、より剛性のある構造を提供する。
【０１０５】
図４９Ｂは第５亜種３４２であり、５枚のシートを有し、そのうち３枚が三角形の断面３４４を有する支持リング１２を形成する第１実施形態の機器１０の３次元代替構造を示す。
【０１０６】
図４９Ｃは第６亜種３４６であり、６枚のシートを有し、そのうち４枚が正方形または長方形の断面３４８を有する支持リング１２を形成する第１実施形態の機器１０の３次元代替構造を示す。
【０１０７】
図４９Ｄは第７亜種３５０であり、６枚のシートを有して、断面が四辺形３５２の支持リング１２を形成し、これが長さの等しい傾斜した上辺および下辺、および長い方の内辺に平行で垂直の外辺を有する第１実施形態の機器１０の３次元代替構造を示す。
【０１０８】
図４９Ｅは第８亜種３５４であり、７枚のシートを有し、そのうち５枚が五角形３５６を有する断面の支持リング１２を形成して、その長さの等しい傾斜した外側シートが、垂直の内部シートに取り付けた２本の水平で平行な辺に取り付けられた第１実施形態の機器１０の３次元代替構造を示す。
【０１０９】
図４９Ｆは第９亜種３５８であり、９枚のシートを有し、そのうち７枚は七角形３６０を有する断面の支持リング１２を形成して、これが三角形の外側形状、２つの長さが等しい上辺および平行な下辺、および垂直の内辺を有する第１実施形態の機器１０の３次元代替構造を示す。
【０１１０】
図４９Ｇは第１０亜種３６２であり、６枚のシートを有し、そのうち４枚が四辺形３６４の断面の支持リング１２を形成し、これが三角形の外側形状および三角形の内側形状を有し、外側の三角形の方がより円錐形である第１実施形態の機器１０の３次元代替構造を示す。
【０１１１】
図４９Ｈは第１１亜種３６６であり、７枚のシートを有し、そのうち５枚が断面に五角形３６８を有する支持リング１２を形成し、内側部分が三角形であり、外側シートが水平に対して直角で平行な上下シートである第１実施形態の機器１０の３次元代替構造を示す。
【０１１２】
図４９Ｉは第１２亜種３７０であり、７枚のシートを有して、断面が五角形３７２である支持リング１２を形成し、外側の２枚のシートが下側に傾斜して垂直の外側シートに接続し、内側部分が円錐形である第１実施形態の機器１０の３次元代替構造を示す。
【０１１３】
図４９Ｊは第１３亜種３７４であり、８枚のシートを有して六角形の断面３７６および任意選択で等しい辺を有する支持リング１２を形成する第１実施形態の機器１０の３次元代替構造を示す。
【０１１４】
図４９Ｋは第１４亜種３７８であり、断面が八角形で、直径方向反対側にある外側および内側のシートが先端を形成する支持リング３８０を形成するため、８枚のシートを有する支持リング１２を形成する第１実施形態の機器１０の３次元代替構造を示す。
【０１１５】
図４９Ｌは第１５亜種３８２であり、断面に八角形３８４を形成し、直径方向反対側にある外側および内側のシートが垂直かつ平行である８枚のシートを有する支持リング１２を形成する第１実施形態の機器１０の３次元代替構造を示す。
【０１１６】
図５０Ａは、電磁放射線集中モードにあり、太陽に面する透明膜３８８、および内表面にあって周縁によって支持リング１２に取り付けられ、凸状反射鏡構造３９２を形成する背面反射金属化膜３９０を有する第２主要実施形態３８６である。放射する太陽光２８は、反射して、機器３８６の焦点に配置したエネルギ吸収性オブジェクト３９４に集束するものとして図示されている。
【０１１７】
図５０Ｂは、放射線投影モードにあり、同じ反射鏡構造３９２であるが、焦点に配置した電球、懐中電灯またはランプなどの光源３９６から遠方のオブジェクトへと電磁線を投影する第２主要実施形態３８６である。集中モードか投影モードかの選択は、光源の位置に依存することに留意されたい。
【０１１８】
図５１は、透明または反射性の環状（断面は楕円形）膜の２つの部片によって支持リング４００を予備形成することにより作成した第２実施形態の第１種３９８であり、膜は側部がシーム２２によって密封され、透明な膜３８８および後部の反射膜３９０に面する上部または放射線の線源で形成された周囲より高い（super-ambient）凸状要素３９２の周縁にリング４００を取り付ける。第１弁１８を、透明な膜の中心に配置し、第２弁１８は、膨張するために支持リング４００内に必要である。
【０１１９】
図５２は、周囲より高い第２主要実施形態３８６の第２種４０２の略側面図である。この第２種４０２はシート２枚のみで作成されている。そのために、頂部の透明な膜３８８及び反射膜３９０の中央部分の周縁部を挟み込んで密閉し、支持リング４００の外側シームを密閉することによって、
頂部の透明な膜３８８を反射膜３９０に取り付ける。
【０１２０】
図５３は、第１種３９８と同様に４枚のシートで作成するが、支持リングに対する周囲より高い反射鏡チャンバの取り付け４０６がずれ、放射線源に面する反射鏡チャンバを拡大する、周囲より高い第２主要実施形態３８６の第３種４０４の略側面図である。
【０１２１】
図５４は、２つの独立した周囲より高い反射鏡チャンバ４１０を有し、各チャンバの反射膜３９０が内部に配置された、第２主要実施形態３８６の第４種４０８の略側面図である。底部反射鏡チャンバ４１０は、上部チャンバが損傷した場合に有用となる重複（redundant）チャンバと見なされる。
【０１２２】
図５５は、内部に配置された反射膜３９０（点線）を有する２つの弁付き反射鏡チャンバ４１０、４１０を形成する２枚の外側の透明な膜３８８、３８８を有する、第２主要実施形態３８６の第５種４１２の略側面図である。この構造は、反射膜３９０の一方が動作不能になった場合でも、機器４１２が動作可能であるので貴重である。
【０１２３】
図５６は、３つの反射鏡チャンバ４１６、４１８および４２０を有し、それぞれにトロイド４００によって支持された個々の弁２２がある、第２主要実施形態３８６の第６種４１４の略側面図である。上部の３枚の膜３８８は透明であり、下部の膜は反射膜３９０それぞれの片側または両側が反射性である。
【０１２４】
図５７Ａは、図５２の実施形態および第２主要実施形態３８６の第２種の第１亜種４２２であり、金型または３次元工具によって円形トロイド４００の内側に取り付けた反射鏡チャンバ３９２を作成するために４枚のシートを使用することを示す。必要な部片数が少ないほど、生産費が低下することが分かる。より重要なことは、これらの亜種は金型セットで高温にて予備形成する必要がないことである。
【０１２５】
図５７Ｂは、６枚のシートを使用して、４つの辺を有するリング４２５がある第２主要実施形態の機器を作成する、第２実施形態３８６の第２亜種４２４である。
【０１２６】
図５７Ｃは、６枚のシートを使用して、２辺が平行な５つの辺を有するリング４２７がある第２主要実施形態の機器を作成する、第２実施形態３８６の第３亜種４２６である。
【０１２７】
図５７Ｄは、７枚のシートを使用して、５つの辺を有するリング４２９がある第２主要実施形態の機器を形成する、第２実施形態３８６の第４亜種４２８である。
【０１２８】
図５７Ｅは、６枚のシートを使用して、六角形の断面を有するリング４３３を形成する、第２実施形態３８６の第５亜種４３０である。
【０１２９】
図５７Ｆは、８枚のシートを使用して、八角形の断面を有するリング４３３を形成する、第２実施形態３８６の第６亜種４３２である。
【０１３０】
図５７Ｇは、６枚のシートを使用して、第２主要実施形態の機器を作成するために金型を必要とせず、平坦なパターンのリング４３５を形成する、第２実施形態３８６の第７亜種４３４である。パターンは原料上にトレースし、平坦な状態で結合することに留意されたい。
【０１３１】
したがって、放射線の電磁エネルギを集中、集束および送出する装置として使用するために最適化した状態の基本的な多目的、多機能の装置の包括的な適用性が開示されている。
【図面の簡単な説明】
【０１３２】
【図１】凹状の反射表面を有する前膜および後膜がある２つの圧力変形可能な膜機器を有する膨張式支持体の第１の主要な周囲より低い実施形態の上面図である。
【図２】影で図示され、反射表面を有する２つの内部圧力変形性膜付きの膨張式支持体を示す第１の主要な周囲より低い実施形態の略縦断面図である。
【図３Ａ】機器への焦点距離を調節する作業の一例として、距離を短縮した焦点を形成する、わずかに膨張した膜部分がある反射鏡表面を有する第１の主要な周囲より低い実施形態の略縦断面図である。
【図３Ｂ】膜部分の膨張を大きくして、距離が長くなった焦点を形成する反射鏡表面を有する第１の主要な周囲より低い実施形態の略縦断面図である。
【図４】２つの反射性外膜と、非反射性の中心膜を有して、重複（redundant）反射鏡チャンバを形成する働きをする圧力変形可能な機器を有する第１の主要な周囲より低い実施形態の略縦断面図である。
【図５】追加の任意選択の固定および保存要素がある膨張式支持体を有する第１の主要な周囲より低い実施形態の上面図である。第２の実施形態の機器には、任意選択の周囲要素も使用可能である。
【図６】一体のプラスチック・プラグ弁の略断面図である。
【図７Ａ】ジップロック・タイプの弁の略部分上面図である。
【図７Ｂ】弁のクランプまたはひも閉鎖部の略部分上面図である。
【図８】第１の主要な実施形態の機器のため、前膜の中心にあるソケットに固定したアンテナを含む、Ｕ字型金具、クリップ、ブラケット、装着スタッド、フックおよびループ締結パッチなどの取り付け機器の略側断面図である。
【図９】水、錘材としての岩石または砂、または塩素を水に添加するため、前膜およびリング支持体用の軟質蝶番を有する気密性の正方形、円形または長方形のカバーを使用する第１実施形態の機器の略側断面図である。
【図１０】膜と膜との間のキャビティ内に収集される雨水などの落下物を収集するため、前膜の中心に配置した漏斗で改造した第１実施形態の機器の略側断面図である。
【図１１】収集用漏斗、排水管および収集容器を含む、雨水を収集する第１実施形態の機器の略側断面図である。
【図１２】水などの物体を収集し、保持する第１実施形態の機器の略側断面図である。これよりサイズが小さい別の集水リングを、主要支持リングと任意選択のリング間の空気通路口で接続する。
【図１３】沈殿物または凝縮水を収集するため、周囲の樋、排水管および集水タンクを設けた第１実施形態の機器の略側断面図である。
【図１４Ａ】しわを寄せるために両方の膜の内表面に含まれた半径方向に伸張する、または連続的に伸張する円形の（点線）弾性帯によって、または機器を使用していない場合に安全形体として反射鏡表面を歪曲することにより改造した第１実施形態の機器の略上面図である。
【図１４Ｂ】膜に取り付けた固定用プラスチック帯によって隔置された箇所に固定された弾性帯の略部分縦断面図である。
【図１５】機器を使用していない場合に展開することができる、回転可能で不透明な安全カバーを有する第１実施形態の機器の略側断面図である。
【図１６】両方の膜の中心に配置された透明なパッチ状領域で改造され、各膜が、中心に配置された弁を囲む１対の位置合わせされた十字線形部材を有する、第１実施形態の機器の略上面図である。支持体は、位置合わせした１対の十字線形部材がある透明パッチも有する。これらの形体により、機器を電磁気源と位置合わせすることができる。
【図１７】受信装置を形成するよう改造された第１実施形態の機器の略立面図である。
【図１８】各管の支持長さを制御する区画を有する１対の膨張式支持管によって後部が支持され、傾斜した第１実施形態の機器の略斜視図である。
【図１９Ａ】好ましい結合領域を示す第１実施形態の膨張していない機器の初期平坦パターンの略断面図である。
【図１９Ｂ】反射膜が膨張状態にある図１９Ａの機器の第１実施形態の機器の略側断面図である。
【図２０】任意選択のマイクロフォン・システムの助けで、または裸の耳で鳥の聴覚的囀りを集中させるために使用する第１実施形態の機器の略側断面図である。
【図２１】漏れ出る電子レンジまたはブラウン管機器から保護する電磁エネルギ・シールドとして使用する第１実施形態の機器の略側断面図である。
【図２２】救急用保温性床または毛布として使用する第１実施形態の機器の略斜視図である。軟質機器で人の上を覆うか、人に巻き付けることができる。
【図２３】導波管取り入れ機器、光ファイバ・ケーブルおよび光学画像投影器またはスライド投影器で使用する第１実施形態の機器の略斜視図である。
【図２４】周囲より高い内圧チャンバ内で無線周波数およびマイクロ波放射線を受けるために、アンテナも取り付けケーブルまたはロッドによって中心に配置され、内側に一方側が固定された第１実施形態の機器を有する電波望遠鏡の部品として使用する、宇宙にある透明の球の略縦断面図である。
【図２５】計算器などの低電力光起電力機器を動作させるか、再充電するために、ナトリウム・ランプ街灯から光を反射するために使用する第１実施形態の機器の略縦断面図である。
【図２６】太陽光放射線を導波管光取り入れ機器を通して光ファイバ・ケーブルへ、さらにダイバーのランプへと伝達することにより、ダイバー用の全整色光の形態の照明を生成するために使用する第１実施形態の機器の略縦断面図である。
【図２７】太陽光放射線から光ファイバ・ケーブル・システムを、さらに建物またはシェルタの屋内ランプへと屋内照明を生成するために使用する第１実施形態の機器の略縦断面図である。
【図２８】読書のためなどに暗い環境で遠いオブジェクトまたは区域を照明するため、焦点で燃焼するロウソクとともに使用する第１実施形態の機器の略縦断面図である。
【図２９】書物またはコンパスや地図などの他の資料を読むために、三日月の助けにより月の放射線を捕捉して集中させるため使用する第１実施形態の機器の略縦断面図である。
【図３０】別の人が見ている遠くの樹木に集束させた光信号のバーストにより通信するため、懐中電灯などの低電力光源で使用する第１実施形態の機器の略縦断面図である。
【図３１】機器の焦点に沿って中心に配置したアンテナを追加し、通常範囲から外れた送信局からの信号を受信することにより、放物面無線周波数（ＲＦ）またはマイクロ波送信／受信機器として使用する第１実施形態の機器の略縦断面図である。
【図３２】高所にあって黒くした水タンクを加熱するために使用する第１実施形態の機器の略縦断面図である。
【図３３】単一の機器または複数の機器として、寒冷気候中に暖を取るか生存のために、キャンプファイア、暖炉または太陽からの放射エネルギを、焦点にいない人へと反射するために使用する第１実施形態の機器の略縦断面図である。
【図３４】紙、木材などの可燃性材料を太陽放射線から点火するために使用する第１実施形態の機器の略縦断面図である。
【図３５】太陽放射線によって光電池機器に通電するために使用する第１実施形態の機器の略縦断面図である。
【図３６】電気を通すために太陽放射線によって熱電電池に通電するために使用する第１実施形態の機器の略縦断面図である。
【図３７】黒くしたタンクの中の水などの液体を太陽放射線によって加熱し、流入水から蒸気を形成し、蒸気タービンに通電するため使用する第１実施形態の機器の略縦断面図である。
【図３８】産業で材料を生産するために、外側を黒くした熱反応容器を太陽放射線によって加熱するために使用する第１実施形態の機器の略縦断面図である。
【図３９Ａ】太陽放射線によって液体を蒸留するために使用する第１実施形態の機器の略縦断面図であり、開始液を含み、導管によって凝縮コイルおよび蒸留液収集容器に接続された黒いタンクまたは圧力ポットを示す。
【図３９Ｂ】発酵装置として使用する第１実施形態の機器の略縦断面図である。
【図４０】肉焼き器と、４本のアーチ状の棒で形成され、尾根部または切り欠き部がある（ridged or notched）ケトル支持体との組み合わせを形成して、太陽放射線から熱を獲得するために使用する第１実施形態の機器の略斜視図である。
【図４１】端部を機器上にある１対の直径方向のピン継ぎ手に取り付けられ、４本の可撓性金属またはプラスチック・ケーブルによって安定した状態で保持された複数の剛性金属またはプラスチックの半円形支持脚を加えることにより、高濃度エネルギの打撃から保護するために展開および収縮可能な安全ケージを形成するために使用する第１実施形態の機器の略斜視図である。
【図４２】自身に固定された複数の脚支持体を形成し、電気コード、さらに受信機器に接続された電磁放射線機器などの焦点で、またはその付近で機器または材料を支持するために使用する第１実施形態の機器の略立面図である。
【図４３】支持リング用の第１弁と、支持リングを通って反射鏡膜の間でチャンバに入る導管を有する第２反射鏡チャンバ弁とを使用する第１実施形態の機器の略断面図である。
【図４４】相互に熱溶着または接着剤結合したテーパ状ゴアによって支持リングを構築する１つの方法の斜視図である。明快さを期して反射鏡チャンバは省略されている。
【図４５Ａ】２つの反射膜と、各部分のために弁がある２枚の環状シートから作成したトーラスとがある膨張状態の第１実施形態の機器の第１種の略縦断面図である。
【図４５Ｂ】金属製反射材料で被覆した２枚の円形ポリエチレンテレフタレート・シートと、４枚の環状シートとを組み合わせることによって作成した平坦な第１亜種パターンにある図４５Ａの種の略断面図である。反射膜は支持リング内に限定される。
【図４５Ｃ】２枚の円形の外部反射膜を、２枚の環状の内部非反射シートと組み合わせ、その結果として機器全体を囲む反射膜になった平坦な第２亜種パターンにある図４５Ａの種の略断面図である。
【図４６Ａ】４枚シートの環状支持構造と１対の反射膜を、２つの弁を装備した状態で図示した平坦パターンから形成した、第１実施形態の機器の第２種の略側断面図である。
【図４６Ｂ】２枚の円形かつ平面状の内部反射層を、内縁の内側で二重になった外部非反射リング層に結合した、６枚シートの平坦な第１亜種パターンにある図４６Ａの第２種の略断面図である。
【図４６Ｃ】２枚の円形の反射膜層を２つのリング層に結合して平面状の表面を形成し、外側のリング層を結合し、二重にした内側のリング支持層を結合した、４枚シートの平坦な第２亜種パターンにある図４６Ａの第２種の略断面図である。
【図４６Ｄ】２枚の円形反射鏡膜層を、その周縁で相互に結合し、１対の環状膜支持層の内側に結合して、反射鏡層の内表面を有するリング支持体を形成する、４枚シートの平坦な第３亜種パターンにある図４６Ａの第２種の略断面図である。
【図４７Ａ】６枚のシートを使用して、リング支持体と、膨張状態で示した２枚の反射膜を形成する、第１実施形態の機器の第３種の略側断面図である。
【図４７Ｂ】内部、中央および外部環状膜区間を有する平坦な第１亜種パターンにある図４７Ａの第３種の略断面図である。
【図４７Ｃ】支持リングの一部を形成する２枚の膜を有する平坦な第２亜種パターンにある図４７Ａの第３種の略断面図である。
【図４７Ｄ】支持リング中央層が反射膜の延長部である、平坦な第３亜種パターンにある図４７Ａの第３種の略断面図である。
【図４７Ｅ】支持構造の外側端を改造して、支持リング構造にさらに２枚のシートを追加し、（図４７Ｂ〜図４７Ｄの第４種のそれぞれに端構造を追加する例示として）８枚シートの全体構造を形成する、平坦な第４亜種パターンにある図４７Ｃの第３種の略断面図である。
【図４８Ａ】２枚の膜シートと支持リングの２枚のシートの十分に予備形成するか膨張した状態にある第１実施形態の機器の好ましい第４種の略縦断面図である。
【図４８Ｂ】部分的に予備形成した反射鏡膜が付いた４枚のシートおよび環状支持体を有する第１亜種にある図４８Ａの第４種の略縦断面図である。
【図４８Ｃ】２枚の予備形成した反射膜が付いた４枚のシートおよび２枚のバイアス付与し予備形成した環状膜を有する第２亜種にある図４８Ａの第４種の略縦断面図である。
【図４８Ｄ】２枚の予備形成した反射膜が付いた４枚のシートおよびリング支持体を有する第３亜種にある図４８Ａの第４種の略縦断面図である。
【図４９Ａ】第４亜種の略断面図である。
【図４９Ｂ】第５亜種の略断面図である。
【図４９Ｃ】第６亜種の略断面図である。
【図４９Ｄ】第７亜種の略断面図である。
【図４９Ｅ】第８亜種の略断面図である。
【図４９Ｆ】第９亜種の略断面図である。
【図４９Ｇ】第１０亜種の略断面図である。
【図４９Ｈ】第１１亜種の略断面図である。
【図４９Ｉ】第１２亜種の略断面図である。
【図４９Ｊ】第１３亜種の略断面図である。
【図４９Ｋ】第１４亜種の略断面図である。
【図４９Ｌ】第１５亜種の略断面図である。
【図５０Ａ】周囲より高い第２主要実施形態の略縦断面図である。
【図５０Ｂ】周囲より高い第２主要実施形態の略縦断面図である。
【図５１】第２実施形態の第１種の略縦断面図である。
【図５２】周囲より高い第２主要実施形態の第２種の略側断面図である。
【図５３】周囲より高い第２主要実施形態の第３種の略側断面図である。
【図５４】第２主要実施形態の第４種の略側断面図である。
【図５５】第２主要実施形態の第５種の略側断面図である。
【図５６】第２主要実施形態の第６種の略側断面図である。
【図５７Ａ】第２実施形態の第２種の第１亜種として、図５２の実施形態の略側断面図である。
【図５７Ｂ】第２実施形態の第２種の第２亜種の略側断面図である。
【図５７Ｃ】第２実施形態の第３亜種の略側断面図である。
【図５７Ｄ】第２実施形態の第４亜種の略側断面図である。
【図５７Ｅ】第２実施形態の第５亜種の略側断面図である。
【図５７Ｆ】第２実施形態の第６亜種の略側断面図である。
【図５７Ｇ】第２実施形態の第７亜種の略側断面図である。
【図１】
2005527760.tif 000003
【図２】
2005527760.tif 000004
【図３Ａ】
2005527760.tif 000005
【図３Ｂ】
2005527760.tif 000006
【図４】
2005527760.tif 000007
【図５】
2005527760.tif 000008
【図６】
2005527760.tif 000009
【図７Ａ】
2005527760.tif 000010
【図７Ｂ】
2005527760.tif 000011
【図８】
2005527760.tif 000012
【図９】
2005527760.tif 000013
【図１０】
2005527760.tif 000014
【図１１】
2005527760.tif 000015
【図１２】
2005527760.tif 000016
【図１３】
2005527760.tif 000017
【図１４Ａ】
2005527760.tif 000018
【図１４Ｂ】
2005527760.tif 000019
【図１５】
2005527760.tif 000020
【図１７】
2005527760.tif 000021
【図１６】
2005527760.tif 000022
【図１８】
2005527760.tif 000023
【図１９Ａ】
2005527760.tif 000024
【図１９Ｂ】
2005527760.tif 000025
【図２０】
2005527760.tif 000026
【図２１】
2005527760.tif 000027
【図２２】
2005527760.tif 000028
【図２３】
2005527760.tif 000029
【図２４】
2005527760.tif 000030
【図２５】
2005527760.tif 000031
【図２６】
2005527760.tif 000032
【図２７】
2005527760.tif 000033
【図２８】
2005527760.tif 000034
【図２９】
2005527760.tif 000035
【図３０】
2005527760.tif 000036
【図３１】
2005527760.tif 000037
【図３２】
2005527760.tif 000038
【図３３】
2005527760.tif 000039
【図３４】
2005527760.tif 000040
【図３５】
2005527760.tif 000041
【図３６】
2005527760.tif 000042
【図３７】
2005527760.tif 000043
【図３８】
2005527760.tif 000044
【図３９Ａ】
2005527760.tif 000045
【図３９Ｂ】
2005527760.tif 000046
【図４０】
2005527760.tif 000047
【図４１】
2005527760.tif 000048
【図４２】
2005527760.tif 000049
【図４３】
2005527760.tif 000050
【図４４】
2005527760.tif 000051
【図４５Ａ】
2005527760.tif 000052
【図４５Ｂ】
2005527760.tif 000053
【図４５Ｃ】
2005527760.tif 000054
【図４６Ａ】
2005527760.tif 000055
【図４６Ｂ】
2005527760.tif 000056
【図４６Ｃ】
2005527760.tif 000057
【図４６Ｄ】
2005527760.tif 000058
【図４７Ａ】
2005527760.tif 000059
【図４７Ｂ】
2005527760.tif 000060
【図４７Ｃ】
2005527760.tif 000061
【図４７Ｄ】
2005527760.tif 000062
【図４７Ｅ】
2005527760.tif 000063
【図４８Ａ】
2005527760.tif 000064
【図４８Ｂ】
2005527760.tif 000065
【図４８Ｃ】
2005527760.tif 000066
【図４８Ｄ】
2005527760.tif 000067
【図４９Ａ】
2005527760.tif 000068
【図４９Ｂ】
2005527760.tif 000069
【図４９Ｃ】
2005527760.tif 000070
【図４９Ｄ】
2005527760.tif 000071
【図４９Ｅ】
2005527760.tif 000072
【図４９Ｆ】
2005527760.tif 000073
【図４９Ｇ】
2005527760.tif 000074
【図４９Ｈ】
2005527760.tif 000075
【図４９Ｉ】
2005527760.tif 000076
【図４９Ｊ】
2005527760.tif 000077
【図４９Ｋ】
2005527760.tif 000078
【図４９Ｌ】
2005527760.tif 000079
【図５０Ａ】
2005527760.tif 000080
【図５０Ｂ】
2005527760.tif 000081
【図５１】
2005527760.tif 000082
【図５２】
2005527760.tif 000083
【図５３】
2005527760.tif 000084
【図５４】
2005527760.tif 000085
【図５５】
2005527760.tif 000086
【図５６】
2005527760.tif 000087
【図５７Ａ】
2005527760.tif 000088
【図５７Ｂ】
2005527760.tif 000089
【図５７Ｃ】
2005527760.tif 000090
【図５７Ｄ】
2005527760.tif 000091
【図５７Ｅ】
2005527760.tif 000092
【図５７Ｆ】
2005527760.tif 000093
【図５７Ｇ】
2005527760.tif 000094
【手続補正書】
【提出日】平成17年2月1日(2005.2.1)
【手続補正１】
【補正対象書類名】特許請求の範囲
【補正対象項目名】全文
【補正方法】変更
【補正の内容】
【特許請求の範囲】
【請求項１】
放射電磁エネルギを集中、集束又は送出する装置として使用する多機能、多目的装置であって、
リングを有し、前記リングが管状で膨張可能であり、前記リングが空の円形中心を画定し、さらに、
前記リングを膨張させるために前記リングに配置された第１膨張弁と、
前記リングの中心を横切って延びる少なくとも２枚の圧力変形可能な膜とを有し、前記膜および前記リングが、少なくとも１つの膨張式反射鏡チャンバを画定し、前記膜の少なくとも１枚が、前記反射鏡チャンバを膨張させるために自身を貫通して延びる第２膨張弁を有することを特徴とする装置。
【請求項２】
前記弁がそれぞれ、栓、可撓性目違い継ぎ弁、クランプおよびひもで構成されたグループから選択した閉鎖手段によって閉鎖される可撓管であることを特徴とする請求項１に記載の装置。
【請求項３】
さらに、前記装置に取り付けた少なくとも１つのアクセサリ機器を有し、アクセサリ機器が、
１又は複数の取っ手と、
開口付きタブと、
１又は複数の結び用ストラップと、
収縮して折り畳んだ装置を保存する保存用ポーチと、
１又は複数のポーチと、で構成されたグループから選択されることを特徴とする請求項１に記載の装置。
【請求項４】
さらに、前記装置に取り付ける少なくとも１つの締結具機器を有し、締結具機器が、Ｕ字型金具と、クリップと、ブラケットと、装着用スタッドと、ひも（line）と、フックおよびループ締結パッチとで構成されたグループから選択されることを特徴とする請求項１に記載の装置。
【請求項５】
前記圧力変形可能な膜の１つが、アクセサリ設備を受けるソケットを含むことを特徴とする請求項１に記載の装置。
【請求項６】
複数の圧力変形可能な膜が、周囲より低い圧力を加えた反射鏡チャンバを画定する２枚の反射膜であることを特徴とする請求項１に記載の装置。
【請求項７】
前記リングが少なくとも１つのアクセス口を有し、前記膜がそれぞれ、装置を材料で充填するために少なくとも１つの口を有することを特徴とする請求項１に記載の装置。
【請求項８】
前記膜の一方が、雨を収集する中心の口を有することを特徴とする請求項１に記載の装置。
【請求項９】
前記中心の口が、収集容器に挿入された導管を有する漏斗であることを特徴とする請求項８に記載の装置。
【請求項１０】
さらに、前記リング支持体の上に取り付ける１つまたは複数の追加のリングを含むことを特徴とする請求項１に記載の装置。
【請求項１１】
さらに、前記リングに取り付けた樋を含み、前記樋が、液体を収集する排出導管を有することを特徴とする請求項１に記載の装置。
【請求項１２】
さらに、安全形体としてしわが寄るよう、前記膜の少なくとも１枚の表面に取り付ける１又は複数の弾性帯を有することを特徴とする請求項１に記載の装置。
【請求項１３】
さらに、前記装置の少なくとも１カ所に取り付けたカバーを含み、前記カバーを収縮できることを特徴とする請求項１に記載の装置。
【請求項１４】
さらに、照準および位置合わせのために配置された十字線を有するパッチを有することを特徴とする請求項１に記載の装置。
【請求項１５】
さらに、
前記リングを支持する半球形中空支持体を含むことを特徴とする請求項１に記載の装置。
【請求項１６】
さらに、前期装置を支持する１又は複数の膨張式線形管を有する支持体を含むことを特徴とする請求項１に記載の装置。
【請求項１７】
さらに、前記リングに取り付けられ、ケトル又は肉焼き器の棒を支持するためにフックまたは尾根部を有する支持体を含むことを特徴とする請求項１に記載の装置。
【請求項１８】
さらに、前記リングに取り付けた安全ケージを含み、前記安全ケージが、折り畳み可能な枠組みを含むことを特徴とする請求項１に記載の装置。
【請求項１９】
さらに、線材トラスを含むことを特徴とする請求項１に記載の装置。
【請求項２０】
前記リングおよび前記膜が、少なくとも４枚のシートの平坦なパターンから形成されることを特徴とする請求項１に記載の装置。
【請求項２１】
少なくとも２枚の膜が、少なくとも１枚の反射膜と少なくとも１枚の透明な膜とを含み、該反射膜と透明な膜が周囲より高い圧力を加えた反射鏡チャンバを画定することを特徴とする請求項１に記載の装置。
【請求項２２】
前記弁がそれぞれ、栓、可撓性目違い継ぎ弁、クランプおよびひもで構成されたグループから選択した閉鎖手段によって閉鎖される可撓管であることを特徴とする請求項２１に記載の装置。
【請求項２３】
さらに、前記リングに取り付けた少なくとも１つのアクセサリ機器を有し、アクセサリ機器が、
１又は複数の取っ手と、
開口付きタブと、
１又は複数の結び用ストラップと、
保存用ポーチと、
装置を安定させるために密度の高い材料で充填する１又は複数のポーチと、で構成されたグループから選択されることを特徴とする請求項２１に記載の装置。
【請求項２４】
透明な膜が、上部に配置されて、中心に配置された第１弁を有し、反射膜が、下部に配置されて、凸凸反射レンズ・チャンバを形成し、リング支持体が第２弁を有することを特徴とする請求項２１に記載の装置。
【請求項２５】
前記リングが、２つの予備形成された半環状部片で作成され、結合された半環状部片の結合部で反射膜および透明な膜に結合されることを特徴とする請求項２４に記載の装置。
【請求項２６】
装置の上半分が、１枚透明な膜から形成され、１枚の反射膜の下半分に結合されて、反射鏡チャンバのおよび前記リング支持体を形成することを特徴とする請求項２１に記載の装置。
【請求項２７】
前記半球形中空支持体を支持する第２支持リングをさらに有することを特徴とする請求項１５に記載の装置。
【請求項２８】
前記圧力変形可能な膜の１又は複数に反射材が設けられることを特徴とする請求項１に記載の装置。
【請求項２９】
少なくとも１つのアクセス口をさらに有することを特徴とする請求項１に記載の装置。
【請求項３０】
内部に中空中心部を含む管状の膨張可能リングを有する支持要素と、
前記リングに配置され、前記リングを膨張させるように操作可能な第１膨張アセンブリと、
前記リングに取り付けられ、前記中空中心部を横切り、前記リングとともに少なくとも１つの膨張可能な反射鏡チャンバを画定する複数の圧力変形可能な膜と、
前記反射鏡チャンバの内部まで延びるように設けられ、前記反射鏡チャンバを膨張させるように操作可能な第２膨張アセンブリと、を備え、
反射材が前記複数の膜のうちの１又はそれ以上に設けられることを特徴とする装置。
【請求項３１】
前記第１膨張アセンブリと第２膨張アセンブリのいずれか又は両方は、弁を有することを特徴とする請求項３０に記載の装置。
【請求項３２】
前記弁は、目違い継ぎ具、クランプ若しくはひも具、又は、自動密封タイプ閉鎖機構であることを特徴とする請求項３１に記載の装置。
【請求項３３】
前記リングと中空中心部は円形であることを特徴とする請求項３１に記載の装置。
【請求項３４】
前記リングは、トロイドを形成するように結合された４枚又は６枚のシートを有することを特徴とする請求項３０に記載の装置。
【請求項３５】
前記シートは、強度および弾性率の高い材料からなる２枚の環状外側シートと、強度が高く弾性率の低い材料からなる２つの環状内側部分を含むことを特徴とする請求項３４に記載の装置。
【請求項３６】
前記リングは互いに結合される４枚のシートを有し、前記圧力変形可能な膜は前記トロイドの一部を形成することを特徴とする請求項３５に記載の装置。
【請求項３７】
前記シートは、強度及び弾性率が高い材料からなる２枚の環状外部シートと、強度及び弾性率の高い２つの内側部分を含むことを特徴とする請求項３４に記載の装置。
【請求項３８】
前記リングは互いに結合される６枚のシートを有し、圧力変形可能な膜は前記トロイドに結合されることを特徴とする請求項３４に記載の装置。
【請求項３９】
前記圧力変形可能な膜は前記リングと重なり、リングの周縁部に取り付けられることを特徴とする請求項３０に記載の装置。
【請求項４０】
前記中空中心部に位置する２つの独立した反射鏡チャンバを有することを特徴とする請求項３０に記載の装置。
【請求項４１】
前記反射膜の少なくとも１つは、放物面の形状に予備形成されることを特徴とする請求項３０に記載の装置。
【請求項４２】
前記反射膜の少なくとも１つは、非放物面の形状に予備形成される予備形成されることを特徴とする請求項３０に記載の装置。
【請求項４３】
前記反射膜は予備形成されておらず、前記反射膜の焦点距離は前記反射膜にわたって与えられる差圧の関数として変化することを特徴とする請求項３０に記載の装置。
【請求項４４】
前記反射材は、前記１又はそれ以上の反射膜の上に設けられる反射材料の被膜であることを特徴とする請求項３０に記載の装置。
【請求項４５】
前記反射材は、前記１又は複数の反射膜に一様に組み込まれた反射性粒子を含むことを特徴とする請求項３０に記載の装置。
【請求項４６】
前記反射材料は、前記１又はそれ以上の反射膜に一体的に含まれた導電性ワイヤ又はメッシュであることを特徴とする請求項３０に記載の装置。
【請求項４７】
前記第２膨張アセンブリは、前記リングを通って前記反射鏡チャンバに入ることを特徴とする請求項３０に記載の装置。
【請求項４８】
前記支持要素に取り付けられた１又は複数の膨張可能なリングをさらに備えることを特徴とする請求項３０に記載の装置。
【請求項４９】
前記装置によって定められる焦点又はその近くで物を保持する第１アセンブリをさらに備えることを特徴とする請求項３０に記載の装置。
【請求項５０】
前記第１アセンブリは複数のロッドを有することを特徴とする請求項４９に記載の装置。
【請求項５１】
前記物は容器であることを特徴とする請求項４９に記載の装置。
【請求項５２】
前記物は電磁放射の受信装置であることを特徴とする請求項４９に記載の装置。
【請求項５３】
前記物は、タービン電気装置、熱電気装置又は光電子装置のいずかである電力を発生する装置であることを特徴とする請求項４９に記載の装置。
【請求項５４】
前記物は、電磁光線を放射する装置であることを特徴とする請求項４９に記載の装置。
【請求項５５】
前記物は、導波管への取入れ装置であることを特徴とする請求項４９に記載の装置。
【請求項５６】
液体を捕獲する１又は複数の道具を有する液体捕獲装置を備えることを特徴とする請求項３０に記載の装置。
【請求項５７】
水を集める高放射率表面をさらに備えることを特徴とする請求項５６に記載の装置。
【請求項５８】
前記反射膜の１つに設けられた圧力開放弁をさらに備えることを特徴とする請求項３０に記載の装置。
【請求項５９】
前記リングは、平坦なパターンの少なくとも２つのシートから形成されることを特徴とする請求項３０に記載の装置。
【請求項６０】
前記圧力変形可能な膜は、追加の２枚のシートから形成されることを特徴とする請求項５９に記載の装置。
【請求項６１】
前記圧力変形可能な膜の少なくとも１つは、予備形成されることを特徴とする請求項６０に記載の装置。
【請求項６２】
前記格圧力変形可能な膜は、複数の重なり合うゴアを有することを特徴とする請求項５９に記載の装置。
【請求項６３】
その内部に形成された中空中心部を含む管状の膨張可能なリングを有する支持要素と、
前記リングに接続され、前記リングを膨張させる第１膨張手段と、
前記リングに取り付けられ、前記中空中心部を横切り、前記リングとともに少なくとも１つの膨張可能な反射鏡チャンバを画定する複数の圧力変形可能な膜と、
前記反射鏡チャンバ内へ延びるように設けられ、前記反射鏡チャンバを膨張させる第２膨張手段と、
前記リング又は前記複数の膜の１若しくは複数に設けられ電磁波を反射する手段と、を備えることを特徴とする多機能多目的装置。
【請求項６４】
焦点を定める請求項３０に記載の装置と、
前記焦点に又は該焦点の近くに配置されるマイクロフォンと、を備えることを特徴とするマイクロフォン装置。
【請求項６５】
請求項３０に記載の多目的装置と、
前記多目的装置からの集中され、焦点に集められ、又は、送出された電磁エネルギを受けるように配置された光起電性装置又は熱電気装置と、を備えることを特徴とする電力発生装置。
【請求項６６】
請求項３０に記載された多目的装置と、
前記多目的装置からの集中され、焦点に集められ、又は、送出された電磁エネルギを受けるように配置され、内部に加熱用液体媒質を有するタンクと、
前記タンクに接続され、近傍のタービンへ蒸気を通過させるパイプと、を備えることを特徴とする装置。
【請求項６７】
放射電磁エネルギを集中させ、焦点に集め、反射させ、又は送出する方法であって、
電磁エネルギを集中させ、焦点に集め、又は、送出する多機能多目的装置を設けるステップ（ａ）を含み、
該多機能多目的装置は、
中空中心部を含む管状の膨張可能なリングを有する支持要素と、
前記リングに設けられ、前記リングを膨張させるように操作可能な第１膨張アセンブリと、
前記リングに取り付けられ、前記中空中心部を横切り、前記リングと共に少なくとも１つの膨張可能な反射鏡チャンバを画定する複数の圧力変形可能な膜と、
前記反射鏡チャンバ内へ延びるように配置され、前記反射鏡チャンバを膨張させるように操作可能な第２膨張アセンブリと、を有し
前記複数の膜のうち１又はそれ以上に反射材が設けられ、
前記リングと反射鏡チャンバはそれぞれ膨張状態にされ、
前記方法は、
電磁エネルギ源からの電磁放射を受ける方向に前記装置を配置するステップ（ｂ）と、
前記反射材により前記電磁エネルギ源からの前記電磁エネルギを反射させて、該電磁エネルギを集中させるステップ（ｃ）と、さらに含むことを特徴とする方法。
【請求項６８】
前記電磁放射は、焦点に集められることを特徴とする請求項６７に記載の方法。
【請求項６９】
前記電磁エネルギは太陽からの放射エネルギであり、
前記方法は、太陽からの集中された電磁放射を用いて対象を加熱するステップ（ｄ）をさらに含むことを特徴とする請求項６７に記載の方法。
【請求項７０】
前記電磁エネルギ源は危険な電磁放射を発生し、
対象から離れた電気エネルギ源から発生された電磁放射を反射させることにより、前記対象を保護するステップ（ｄ）をさらに含むことを特徴とする請求項６７に記載の方法。
【請求項７１】
前記電磁エネルギ源は光源であり、前記電磁放射は光であり、
前記方法は、
前記光源から発生し集中させられた光により対象を照らすステップ（ｄ）をさらに含むことを特徴とする請求項６７に記載の方法。
【請求項７２】
前記電磁放射源は電磁放射を送信する送信機であり、
前記方法は、
前記送信機から送信された電磁放射を集中させることにより、送信された信号を高めるステップ（ｄ）をさらに含むことを特徴とする請求項６７に記載の方法。
【請求項７３】
前記電磁放射は太陽から放射された太陽光であり、
前記方法は、
前記集中された太陽光により光起電性セル装置又は熱電気セル装置にエネルギを与えるステップ（ｄ）をさらに含むことを踏むことを特徴とする請求項６７に記載の方法。
【請求項７４】
少なくとも１つの実質的に管状の膨張可能なリングを有し、中空中心部を画定する支持リングと、
前記支持リングを膨張させる少なくとも１つの手段と、
前記中空中心部を横切り、少なくとも１つの膨張可能な反射鏡チャンバの少なくとも実質的な所定部分を画定する少なくとも２以上の圧力変形可能な膜であり、該膜の少なくとも１つは、放射電磁エネルギを反射する少なくとも１つの手段を有する膜と、
前記反射鏡チャンバを膨張させる少なくとも１つの膨張手段と、
不測に又は予期せずに前記集中された電磁放射にさらされる危険を減らす少なくとも１つの安全手段と、を備えることを特徴とする野外配置可能ポータブル電磁エネルギ集中装置。
【請求項７５】
電磁エネルギ集中装置を操作している時に、不測に又は予期せず集中された電磁エネルギにさらされる危険を減らす方法であって、
野外配置可能電磁エネルギ集中装置を配置するステップ（ａ）を含み、
該野外配置可能電磁エネルギ集中装置は、
少なくとも１つの実質的に管状の膨張可能なリングを有し、中空中心部を画定する支持リングと、
前記支持リングを膨張させる少なくとも１つの手段と、
前記中空中心部を横切り、少なくとも１つの膨張可能な反射鏡チャンバの少なくとも実質的な所定部分を画定する少なくとも２以上の圧力変形可能な膜であり、該膜の少なくとも１つは、放射電磁エネルギを反射する少なくとも１つの手段を有する膜と、
前記反射鏡チャンバを膨張させる少なくとも１つの膨張手段と、
不測に又は予期せずに前記集中された電磁放射にさらされる危険を減らす少なくとも１つの安全手段と、を備え、
野外配置可能電磁エネルギ集中装置のリングと少なくとも１つの反射鏡チャンバは膨張させられ、
前記方法は、
放射電磁エネルギを集中させるために前記野外配置可能電磁エネルギ集中装置を操作するステップ（ｂ）と、
前記少なくとも１つの安全手段を用いて実質的に固定された焦点の近傍に放射電磁エネルギの集中を制限するステップ（ｃ）と、をさらに含み、
該固定された焦点は前記装置により定められることを特徴とする方法。
【手続補正２】
【補正対象書類名】明細書
【補正対象項目名】全文
【補正方法】変更
【補正の内容】
【発明の詳細な説明】
【技術分野】
【０００１】
本発明は概ね放射電磁エネルギを集中、集束かつ送出する機器および製造方法に関する。特に、本発明の好ましい実施形態の１つは、（１）加熱若しくは調理、（２）発電、（３）無線信号の送信若しくは受信の強化、（４）低照明環境での視野の強化、および／又は（５）光信号または画像の投影のため、無線周波放射線（ＲＦ）から紫外線放射（ＵＶ）を通して太陽エネルギまで、無線周波数放射線（ＲＦ）からの電磁エネルギを集束する一体型膨張式リングによって支持され、圧力で変形可能な反射膜から作成した膨張式放射面反射鏡機器に関する。
【背景技術】
【０００２】
第１の実施形態は、２つ以上の圧力変形可能な膜を使用し、その少なくとも１つは反射性で、中心の反射鏡チャンバを形成し、これは（大部分の用途で必要とされるような）周囲より低い圧力または周囲より高い圧力（sub-ambient or super-ambient pressures）へと膨張させて、反射膜を展開することができる。第２の実施形態は、少なくとも１つの反射膜および少なくとも１つの透明膜を使用して、中心の反射鏡チャンバを形成し、これは周囲より高い圧力にのみ膨張させることができる。本発明は、機器を、（１）水の収集及び／又は保存する、（２）水浮遊機器として使用する、（３）ガーニまたはキャスト（cast）として使用する、（４）軽便な発酵槽装置として使用する、又は（５）音響を指向性増幅するような非電磁性機能に使用できることも想定する。本発明は、本明細書の以下で検討し、機器の使用者には容易に明白になるような他の多数の使用法も想定する。
【０００３】
対象となる関連技術は、様々な電磁エネルギ・ハーネス機器について記載しているが、本発明を開示しているものはない。多くの様々な目的に有用であり、運搬および保管のために膨張式である経済的機器に対するニーズがある。
【０００４】
Wladimir von Maydellその他に対して１９６７年６月２０日に発行された米国特許第３，２３６，６２４号は、宇宙ステーションおよび飛行体のために太陽エネルギを収集するため、宇宙空間で永久的に剛性の構造内に形成することができる膨張式放物面反射鏡について記載している。反射鏡は、弁付き環状リング、半径方向に区分可能なカバーまたは細片ばね、半径方向の加熱線、および反射鏡材料で被覆したポリエステル発泡体が形成された弁付きの二重壁反射鏡を有する。リングおよび反射鏡は剛性の内部スペーサを有する。
【０００５】
Bibb B. Allenに対して１９９９年７月６日に発行された米国特許第５，９２０，２９４号は、第１の実施形態の電磁および太陽エネルギ用途にＭｙｌａｒ（登録商標）を使用するバルーン内に内部張力がある複数コードの取り付け具を有する宇宙アンテナについて記載している。第２の実施形態は、電磁および太陽エネルギ用途にＭｙｌａｒ（登録商標）を使用する膨張式環状支持バルーンの内側で金めっきモリブデンまたはグラファイト金網のアンテナ反射鏡の宇宙船への外部張力があるコート取り付け具を使用する。
【０００６】
Fritz Leonhardtその他に対して１９８２年９月２８日に発行された米国特許第４，３５２，１１２号は、湾曲した凹状表面および中心の開口を有する剛性発泡体裏打ちの個々の膜区画によって裏打ちされた研磨アルミニウム・シートまたはプラスチック・シートの内面を有する大型反射鏡について記載している。凹状または凸状反射鏡として形成された２つの膜を使用して、太陽光を反射し、熱吸収体、熱交換器などに集中させる。
【０００７】
Harold D. Justiceに対して１９６１年３月２８日に発行された米国特許第２，９７７，５９６号は、送信または受信局上の膨張式円形アンテナ・ソーサについて記載している。
【０００８】
Kent M. Mackその他に対して１９６１年１０月２４日に発行された米国特許第３，００５，９８７号は、軟質の不導体シートの２枚の凹状シートおよび構造的レースを有する膨張式の楕円形管状膜支持体を覆うレードームを有し、一方のシートが気化アルミニウムで被覆された膨張式アンテナ・アセンブリについて記載している。
【０００９】
Ralph L. McCrearyに対して１９６２年９月２５日に発行された米国特許第３，０５６，１３１号は、軟質プラスチック材料の２枚の薄い凹状シートを有し、少なくとも一方のシートが放物面形状を有する電磁放射線用膨張式反射鏡について記載している。
【００１０】
Desmond M. Brownに対して１９６５年１１月３０日に発行された米国特許第３，２２１，３３３号は、中間部分に接続され、容量性プレート・アンテナを形成するために平行に装着された２つのアンテナ要素を有する１対の隔置された平行の絶縁平面を含む偏球面バッグ空中線を有する膨張式無線アンテナについて記載している。
【００１１】
Richard J. Koehlerに対して１９６８年１１月２６日に発行された米国特許第３，４１３，６４５号は、一方の面に小さい波動エネルギ開口を、直角の面にこれより大きい波動エネルギ開口を提供する細長い膨張式放物面レーダ・アンテナ・トロイド・アセンブリについて記載している。
【００１２】
Floyd D. Amburgeyに対して１９６９年１０月７日に発行された米国特許第３，４７１，８６０号は、可変表面または軟質表面を有し、その幾何学的形状は、このアンテナ・タイプからの最高の受信を獲得するために軟質膜の背後の空気圧または部分真空によって変更することができる反射鏡アンテナについて記載している。
【００１３】
David N. Ulryに対して１９８７年６月９日に発行された米国特許第４，６７２，３８９号は、膨張式反射鏡装置および製造方法について記載している。圧縮フレーム部材によって維持されたエンベロープ内に周囲より高い圧力が維持される。
【００１４】
Daniel V. Sallisに対する１９８８年５月３日に発行された米国特許第４，７４１，６０９号は、円形フレームに装着した膜を有し、膜に張力を与えるため膨張可能であるブラダーを形成する薄膜の周囲付近に円形状に延びる膜の二重壁部分がある伸張膜ヘリオスタットについて記載している。
【００１５】
Marco C. Bernasconiその他に対して１９８８年７月５日に発行された米国特許第４，７５５，８１９号は、宇宙船用途に意図された放物面形反射鏡アンテナについて記載している。機器は、宇宙で気体によって膨張し、剛化トーラスによって安定させたアンテナ反射鏡およびアンテナ・レードームを形成する。カバー材料は、樹脂を含浸した織物で、これは太陽によって加熱されると重合し、これによって反射鏡アンテナが安定し、その形状を維持するために気体圧力を必要としなくなる。
【００１６】
Takase Mitsuoその他に対して１９９４年１月４日に発行された米国特許第５，２７６，６００号は、ベースと、自身上に形成され、ベース上に被せた高反射性の銀層を有し、２つの層の怠惰に接着層が挟まれている軟質ポリマ・プラスチック基質とによって構成された平面反射鏡について記載している。
【００１７】
Jack V. Millerに対して１９９６年１月２３日に発行された米国特許第５，４８６，９８４号は、光を受ける一方端と、放物面反射鏡の焦点付近で同軸上に配置された光軸に対して発光する反対端とを有する細長い光ファイバ光導波路を有する放物面光ファイバ光導波路照明器具について記載している。
【００１８】
Glenn Bakerその他に対して１９９８年１１月１７日に発行された米国特許第５，８３６，６６７号は、凹状のトロイド形反射表面の光軸から変位しているポイントに配置された電磁放射線源またはアーク灯について記載している。目標は光ファイバである。第２凹状反射鏡を第１反射鏡の反対側に配置して、小さい目標から収集した総束を強化する。
【００１９】
O'Malley O. Stoumenに対して１９９９年４月１３日に発行された米国特許第５，８９３，３６０号は、縁で密封された軟質材料の２枚のシートを有する膨張式太陽炉について記載している。上部シートは透明であり、下部シートは反射層を有する。
【００２０】
Michael L. Schrimmerその他に対して１９９９年９月７日に発行された米国特許第５，９４７，５８１号は、気体を含む気体不透過性膜および独立式照明用ＬＥＤを有する発光ダイオード（ＬＥＤ）で照明したバルーンについて記載している。
【００２１】
David P. Ramerその他に対して１９９９年１０月１９日に発行された米国特許第５，９６７，６５２号および２００１年５月２９日に発行された米国特許第６，２３８，０７７号は、球面扇形にわたる強度分布が調整された電磁放射線を投影する装置について記載している。
【００２２】
Robert Zingaleその他に対して２０００年８月２２日に発行された米国特許第６，１０６，１３５号は、内側に取り付けて懸垂し、ＡＣ光源または光ファイバによって繋ぎ止められた光源を有する膨張式半透明バルーンについて記載している。光源は、内部白熱灯、ＬＥＤ、レーザ、点滅するキセノン・ランプまたはＤＣバッテリでよい。
【００２３】
L. Dwight Gilgerに対して２０００年１１月２１日に発行された米国特許第６，１５０，９９５号は、光電池アレイおよび展開可能な外周部トラスＲＦ反射鏡との組み合わせについて記載している。
【００２４】
John Shipleyその他に対して２００１年４月１７日に発行された米国特許第６，２１９，００９号は、折り畳み式アンテナ反射鏡の膨張式半径方向トラス支持構造への張力を受けたコードおよび固定取り付けについて記載している。
【００２５】
Charles T. Suchyその他に対して１９５６年９月２６日に公示された英国特許出願第７５８，０９０号は、自身内に配置された無線空中線を有する膨張式バルーンについて記載している。
【００２６】
１９５３年１２月２３日に公示されたAdnan Tarciciのフランス特許出願第１，０４８，６８１号は、キャンピング時に調理用に太陽エネルギを集中させる反射鏡について記載している。
【００２７】
１９８４年６月５日に公示されたYasuo Nagazumiの日本特許出願第５９−９７２０５号は、窒素を充填し、放射するアルミニウム・ケーシングと断熱ミラーで画定された気密式チャンバを有する放物面アンテナについて記載している。
【特許文献１】米国特許第３，２３６，６２４号
【特許文献２】米国特許第５，９２０，２９４号
【特許文献３】米国特許第４，３５２，１１２号
【特許文献４】米国特許第２，９７７，５９６号
【特許文献５】米国特許第３，００５，９８７号
【特許文献６】米国特許第３，０５６，１３１号
【特許文献７】米国特許第３，２２１，３３３号
【特許文献８】米国特許第３，４１３，６４５号
【特許文献９】米国特許第３，４７１，８６０号
【特許文献１０】米国特許第４，６７２，３８９号
【特許文献１１】米国特許第４，７４１，６０９号
【特許文献１２】米国特許第４，７５５，８１９号
【特許文献１３】米国特許第５，２７６，６００号
【特許文献１４】米国特許第５，４８６，９８４号
【特許文献１５】米国特許第５，８３６，６６７号
【特許文献１６】米国特許第５，８９３，３６０号
【特許文献１７】米国特許第５，９４７，５８１号
【特許文献１８】米国特許第５，９６７，６５２号
【特許文献１９】米国特許第６，２３８，０７７号
【特許文献２０】米国特許第６，１０６，１３５号
【特許文献２１】米国特許第６，１５０，９９５号
【特許文献２２】米国特許第６，２１９，００９号
【特許文献２３】英国特許出願第７５８，０９０号
【特許文献２４】日本特許出願第５９−９７２０５号
【発明の開示】
【課題を解決するための手段】
【００２８】
本発明の機器は、少なくとも６つの非常に重大な態様にて関連技術より優れている。第１に、本発明の機器は、高度に多機能かつ多目的の性質の結果として、関連技術に対して優れている。本発明の機器の第１および第２の実施形態は両方とも、多数の電磁的用途および非電磁的用途を有する。これに対して、関連技術は全てその用途および応用については、これより非常に制限されている。
【００２９】
第２に、本発明の機器は、極端に軽量で、コンパクトに折り畳み可能な構成である結果、関連技術に対して優れ、これによって携帯および保管が大幅に容易になる。一例として、質量が約１２５グラムで、完全に折り畳んだ場合の寸法が９．０ｃｍ×１２．０ｃｍ×１．０ｃｍしかない本発明の機器のポケットサイズのタイプを膨張させて、１２０ｃｍの直径の１次反射鏡を有する完全に展開した機器を生成することができ、これは地上で太陽光線集光機器として使用する場合に、１０００ワットの高度に集中した広域スペクトル放射エネルギを提供することが分かる。したがって、このような機器は、１キログラム当たり約８０００ワットという空前の質量比電力出力を提供できることが分かる。
【００３０】
第３に、本発明の機器は、精密に予備形成した反射膜および他の光学形体の結果として、関連技術に対して優れ、これによって機器の運転安全性が大幅に向上する。特に、予備形成した（関連技術で一般的に使用されているような平面の膜ではなく）放物面反射膜により、機器は比較的短い焦点距離を有することができ（かつ機器をこの焦点距離に制限することができ）、それによって潜在的に危険な高濃度の放射線エネルギの位置に対する使用者の制御を向上させることができる。
【００３１】
また、予備形成した非放物面反射膜を使用して、エネルギ濃度の程度をより安全なレベルに制限することができる。さらに、任意選択の一体型安全ケージおよびカバーを使用することで、高濃度の電磁放射線への偶発的暴露の危険が低下する。
【００３２】
第４に、本発明の機器は、予備形成した反射膜の結果として展開（膨張）がさらに容易になる点で、関連技術に対して優れている。予備形成した反射膜を使用することにより、このような反射膜をはるかに少ない差圧を使用して十分に展開することができ、これによって適切な膨張を促進することが分かる。
【００３３】
第５に、本発明の機器の第１の実施形態は、関連技術の周囲より高い反射鏡チャンバの設計に固有の複数の損失を解消する点で、より効率的である。本発明の機器の第１の実施形態に周囲より低い圧力の反射鏡チャンバを使用することにより、太陽光または他の電磁放射線は、エネルギ源から反射鏡へ、次に目標へと邪魔されずに進行できることが分かる。したがって、本発明の機器の第１の実施形態により、このようなエネルギが反射鏡へ、および反射鏡から進行しても、放射線の電磁エネルギに損失がない（ゼロ損失）。これに対して、関連技術では太陽光または電磁放射線は、反射鏡へ、および反射鏡からの途中で周囲より高い圧力の反射鏡チャンバの透明膜を通過しなければならず、その結果、複数の損失が生じる。これらの損失には、電磁放射線が反射鏡へ、および反射鏡から進行する場合の反射、吸収および拡散がある。
【００３４】
さらに詳細には、光が反射鏡へと進行するにつれ、光が反射鏡への途中に通過しなければならない透明膜の外表面から、光の一部が反射する。残りの光が透明膜の厚さを通して進行するにつれ、分子の相互作用の結果として追加のエネルギが吸収かつ／または拡散される。次に、残りの光が透明膜の内表面に到達すると、透明膜と反射鏡チャンバ内の気体（通常は空気）との屈折率に差があるので、追加の光が膜を通って反射して戻ってしまう。この３つのプロセスが、ミラーから反射した光で繰り返され、その結果、合計で６つの重大な透過損失になる。さらに、何とか透明膜の通過に成功した光は、透明膜の表面が光学的に不完全であるので、なお望ましくない拡散または分散作用を受ける。最終的に、関連技術の周囲より高い圧力の反射鏡チャンバの透明膜は通常、このような機器の効率を２０パーセント以上低下させるのに寄与する。
【００３５】
第６に、本発明の機器は、極めて単純で高度に一体化した構造の結果、関連技術に対して優れ、これにより機器は非常に経済的になる。関連技術で規定された設計は、本発明の機器について本明細書で規定する高度の一体化も、その結果として生じる構成の構造の単純性も実際に示さないことが分かる。本発明の機器の相対的な単純性は、反射膜を周囲の圧力（および反射鏡チャンバの部分的排気）のみを使用して精密な凹状の放物表面に変形し、その反射膜を凹状に変形できるということに部分的に起因する。これに対して、関連技術は反射膜を凹状に変形するために、複雑な機械的構成または静電システムを使用する。
【００３６】
本文書のこれ以降の部分を読むと、本発明の機器の第１および第２の実施形態は、特に様々な製造方法などの様々な他の方法についても関連技術より優れていることが極めて明白になる。
【００３７】
本発明は、その好ましい実施形態において、圧力で変形可能な複数の膜で作成された軽便な多機能かつ多目的の膨張式放物面反射鏡機器（装置）であり、膜の少なくとも１つは反射性で、（１）加熱および調理、（２）熱的若しくは電気的エネルギの生成、（３）無線信号の送信若しくは受信の強化、（４）低照明環境での視野の強化、および／又は（５）光信号若しくは画像の投影のため、無線周波放射線（ＲＦ）から紫外線放射（ＵＶ）を通して太陽エネルギまで、無線周波数放射線（ＲＦ）からの電磁エネルギを集束する膨張式リングによって支持される。多機能機器は、（１）水の収集及び／又は保存する、（２）水浮遊機器として使用する、（３）ガーニまたはキャストとして使用する、（４）軽便な発酵槽装置として使用する、および／又は（５）音響を指向性増幅するなど、多数の非電磁的機能も提供する。
【００３８】
第１の実施形態は、２つの圧力変形性膜を使用し、少なくともその１つは反射性で、反射膜を展開するために周囲より低い圧力（好ましい）または周囲より高い圧力まで膨張することができる中心反射鏡チャンバを形成する。第２の実施形態は、少なくとも１つの反射膜および少なくとも１つの透明膜を使用して、中心反射鏡チャンバを形成し、これは周囲より高い圧力にのみ膨張させることができる。両方の実施形態とも、安全性を向上させ、動作を容易にするため放物面の形状に予備形成した反射膜を使用する。しかし、予備形成していない、つまり平面の反射膜を使用すると、焦点距離の変化が可能になると想定される。さらに、予備形成した非放物面の、つまり球形、波形、または一連の円錐区画の反射膜を使用すると、最大の集中程度を制限し、さらに安全性を向上することが想定される。
【００３９】
特定の軽便な機器および装置が、両方の実施形態について図示され、これはさらに、（１）調理、加熱、蒸留、および発電用の広域スペクトル太陽光エネルギの集中および収集、（２）無線信号の受信および送信、（３）屋内、地下および水中環境の照明、（４）水または他の液体の収集および貯蔵、および／又は（５）音響の指向性増幅など、広範囲の有用な用途を容易にするか、可能にする。複数の圧力変形性膜で製品を形成する製造プロセスが開示される。
【００４０】
したがって、非常に軽便で多機能かつ多目的の装置、およびその製造方法を提供することが、本発明の主要な目的であり、これは、典型例では、（しかし、選択的であるが）無線周波放射線（ＲＦ）から紫外線放射（ＵＶ）を通して太陽光放射線まで電磁エネルギを集束する放物面反射鏡として使用するよう構成されるが、無数の他の電磁および非電磁的用途にも使用することができる。本発明の多機能の性質に関して、本発明の特定の（しかし、選択的であるが）目的および利点は、
【００４１】
（ａ）調理、加熱、殺菌、希釈、材料処理のため、および放射熱の適用を必要とする、またはその恩恵を受ける他の目的のために、広域スペクトル（つまり太陽光）放射線を集中させ、任意選択で、例えば高放射率（通常は黒化）エネルギを吸収する外表面を有する太陽炉またはオートクレーブなど、集中した太陽光放射線を吸収するよう特に構成された様々な装具を使用することができる高度に軽便な多機能装置を提供すること、
（ｂ）タービン電気、熱電気および／または光電気機器を使用して電力を生成する軽便な多機能装置を提供すること、
（ｃ）手持ち式計算器などの他の方法では動作できない低電力の光起電性機器を動作させる（または再充電する）ために、街路灯などの相対的に仄暗い光源から放射した光を集中させるために使用することができる軽便な多機能装置を提供すること、
（ｄ）無線、マイクロ波、および衛星通信を増強するか、可能にし、さらに電波望遠鏡の使用を可能にするために使用できる軽便な多機能装置を提供すること、
（ｅ）三日月などの仄暗い光源から放射した可視光を、見るべきオブジェクト上に集中させることにより、暗くなった環境における視覚を向上させる軽便な多機能装置を提供すること、
（ｆ）ロウソクなどの視準していない光を暗い環境へ投光することにより、暗くなった環境における視覚を向上させる軽便な多機能装置を提供すること、
（ｇ）焦点に保持した非視準光源で使用する場合などに、光信号通信を可能にするか、増強し、信号ビーコンを形成する高度に軽便な多機能装置を提供すること、
（ｈ）導波管システムを使用して、全整色可視光（pan-chromatic visible light）（または放射線の他の有用なスペクトル範囲）を捕捉し、屋内、地下、および／又は水中環境に送出して、視覚を向上させるか、または光学画像投影装置などの設備を動作させる軽便な多機能装置を提供すること、
（ｉ）救急用多層保温用毛布、さらに静電および電磁エネルギ・シールドとして働き、人またはオブジェクトを保護することができるが、人またはオブジェクトを赤外線（ＩＲ）カメラから隠すこともできるか、電磁描像または検出機器から他の方法で保護することができる軽便な多機能装置を提供すること、
（ｊ）ガーニまたは膨張式キャストとして使用するなど、人またはオブジェクトの軟質で柔軟性がある支持体として働くことができる軽便な多機能装置を提供すること、
（ｋ）水浮遊機器、ボート、または雪そりとして使用することができる軽便な多機能装置を提供すること、
（ｌ）水、他の液体、および／又は特定の個体材料を捕捉、貯蔵、処理、および／又は分配するために使用することができ、様々な装備（集水リング、樋、漏斗、フィルタ、管、弁、ポンプなど）を装置に一体式または着脱式に組み込むことができる軽便な多機能装置を提供すること、
（ｍ）夜間に凝集プロセスによって集水するために使用できる高放射率表面（例えば、艶消しの黒い表面）を組み込んだ軽便な多機能装置を提供すること、
（ｎ）発酵槽として使用でき、上述した蒸留機能と組み合わせて、装置が高グレードの燃料、薬品および他の目的のためのアルコールを生成できるようにする軽便な多機能装置を提供すること、
（ｏ）音響の指向性増幅用の軽便な多機能装置を提供すること、および／又は
（ｐ）任意選択で１つまたは複数の圧力変形性で平面の反射膜を組み込み、機器が可変焦点距離を有することができるようにする軽便な多機能装置を提供することである。
【００４２】
本発明の別の典型的な（しかし、選択的な）目的は、携帯性および貯蔵を大幅に容易にし、それによりキャンピング、バックパッキング、ピクニック、ボートこぎ、救急時、災害救助、および高い質量比および／または高い体積比性能が重要である他の状態（地上または宇宙）にとって理想的に適切である高性能装置を提供するよう、極めて軽量で十分に折り畳むことができ、コンパクトに折り曲げることができる多機能装置を提供することである。携帯性および貯蔵性に関して、本発明の特定の（しかし、選択的な）目的は、
（ａ）重量を最低にするために、全体が非常に薄く強度が高い膜で構成された主要構造を有する多機能装置を提供すること、
（ｂ）通常は機器とともに搬送する必要がない加圧気体を使用して膨張可能な（剛化可能およびその他の方法で十分に展開可能な）多機能装置を提供すること、
（ｃ）使用していない場合に体積を最小にするため、十分に折り畳むことができ、コンパクトに折り曲げることができる多機能装置を提供すること、
（ｄ）重量および収容時の（展開していない）体積が非常に小さいので、地上で広域スペクトル太陽光集光装置として使用する場合に、それぞれ１キログラム当たり約８０００ワットおよび１立方メートル当たり１０メガワットという非常に高い質量比および体積比性能を生じる多機能装置を提供すること、および／又は
（ｅ）膜材料から作成され、ジプロック（登録商標）タイプ(即ち、目違い継ぎ(tongue-and-groove))、クランプタイプまたは結びつけタイプ（clamped or tied）、または自動密封タイプ（self-sealing）の閉鎖機構を含む極めて軽量でコンパクトな膨張弁を有する多機能機器を提供することである。
【００４３】
本発明のさらに別の典型的な（しかし、選択的であるが）目的は、運転、輸送、および貯蔵の安全性が向上した他機能装置を提供することである。安全性に関して、本発明の特定の（しかし、選択的であるが）目的は、
（ａ）焦点の周囲に物理的バリアを形成し、それによって潜在的に危険な濃度の電磁放射線に偶発的に暴露することを防止する一体安全ケージを有する軽便な多機能装置を提供すること、
（ｂ）機器を使用していない場合に、放射線が反射膜に当たるのを防止し、それによって潜在的に危険な濃度の電磁放射線が焦点に形成するのを防止し、したがってそれに偶発的に暴露する危険を防止する一体安全カバーを有する軽便な多機能装置を提供すること、
（ｃ）十分展開（加圧）していない場合は反射膜を歪曲し、それによって意図的でない潜在的に危険な濃度の電磁エネルギの形成をこの場合も防止する一体反射鏡のしわ寄せ機構を有する軽便な多機能装置を提供すること、
（ｄ）機器を短い焦点距離に制限し、それによって焦点に高度に集中したエネルギの位置に対するオペレータの制御を大きくすることにより、安全性を向上させる予備形成放物面反射膜を有する軽便な多機能装置を提供すること、および／又は
（ｅ）エネルギ集中の程度をより安全なレベルに制限する予備形成非放物面反射膜を有する軽便な多機能装置を提供することである。
【００４４】
本発明のさらに別の典型的な（しかし、選択的であるが）目的は、展開および運転がさらに容易になる軽便な多機能装置を提供することである。使用の容易性に関して、本発明の特定の（しかし、選択的であるが）目的は、
（ａ）取っ手、開口付きタブ、ひも（tie）、計量および保存用ポーチ（特に軽量、コンパクトで、機器を構成する膜の延長部から作成できるもの）などの様々な一体の固定および保存用形体を有する装置を提供すること、
（ｂ）Ｕ字型金具（clevises）、クリップ、ブラケット、ソケット、フックおよびループ・パッチなどの様々な一体アクセサリ・ハードウェア取り付け機器、および他の一般的な締結機構を有する装置を提供すること、
（ｃ）例えば、膨張式の調節可能な２脚支持体、積み重なった膨張式テーパ状支持体／レベリング・リング、又は別個の任意選択の膨張式（浮遊）支持リング付きの膨張式半球形装着要素などの機器を支持し、配向する様々な軽量で軽便な機構を有する装置を提供すること、
（ｄ）焦点で、またはその付近で様々な品目および／または装備を保持し、折り曲げ可能な多目的肉焼き器／ケトル支持体、折り曲げ可能な多脚焦点支持体および／または膨張式焦点支持体を含む軽量で軽便な機構を有する装置を提供すること、
（ｅ）平面の反射膜を使用する機器より非常に低い差圧を膜全体に使用して十分に展開することができ、それによって適切な膨張を容易にする、予備形成されて（pre-formed）圧力変形可能な反射膜を有する装置を提供すること、
（ｆ）電磁気源および／または目標との位置合わせを容易にするか、他の目的で機器を位置合わせするため、視覚的位置合わせガイド、傾角計、レベル、および／又は磁気コンパスなどの一体配向および位置合わせ形体を有する装置を提供すること、
（ｇ）手動または自動制御されるルーバーまたは虹彩絞り機構などの光／熱強度制御器を有する装置を提供すること、および／又は
（ｈ）光電池、電気ポンプ、ファン、ドライバ、タイマ、サーモスタット、制御器、および他の有用な機器を含むが、それに制限されない様々な用途を容易にするため、一体しきまたは別個に取り付けた様々な電子および／または機械的要素を有する装置を提供することである。
【００４５】
本発明のさらに別の典型的な（しかし、選択的であるが）目的は、より効率的である軽便な多機能装置で、２つの圧力変形可能な膜を使用して周囲より低い圧力の凹凹反射鏡チャンバ構成を形成し、それによって光が焦点へ、または焦点からの途中に少なくとも１回は透明膜を通過しなければならない周囲より高い圧力の反射鏡チャンバを使用する機器に固有の複数の損失が解消される装置を提供することである。
【００４６】
本発明のさらに別の典型的な（しかし、選択的であるが）目的は、極めて単純で高度に一体化された構造のおかげで高度に経済的であり、したがって日常的な使用にも教育目的にも普遍的に使用可能になる軽便な多機能装置を提供することである。経済性に関して、本発明の特定の（しかし、選択的であるが）目的は、
（ａ）製造工具および処理を大幅に単純化し、それによって製造費を削減する平坦なパターンの製造方法を使用して、薄く強度および（好ましくは）弾性率が高い材料の複数（概ね４枚以上）のシートから作成した装置（第１および第２の実施形態）を提供すること、および
（ｂ）単純で十分に確立された製造プロセスを使用して、強度が高い市販の材料のわずか２枚のシートから製造することができる装置（第２の実施形態）を提供することである。
【００４７】
本発明のさらに別の典型的な（しかし、選択的であるが）目的は、落下耐性または他の損傷耐性が高い軽便な多機能装置を提供することである。落下／損傷耐性に関して、本発明の特定の（しかし、選択的であるが）目的は、
（ａ）１つの反射鏡チャンバが損傷した場合、機器がなお動作可能であるよう、１つまたは複数の重複（redundant）反射鏡チャンバを有する装置を提供すること、および／又は
（ｂ）装置を意図的に落下（例えば、空中投下）または意図せずに（つまり偶発的に）落下させることができ、それでもかなりの損傷がないよう、主に非常に軟質の材料で構築した装置を提供することである。
【００４８】
本発明のさらに別の目的は、装置の動作に燃料を必要としないということから環境に優しい軽便な多機能装置を提供することである。燃料の代わりに、本発明はもっぱら放射する太陽エネルギを使用し、それによって空気、水または土壌の汚染を引き起こさず、これは一般的に炭化水素燃料の燃焼に頼り、したがって必然的に燃焼プロセスと燃料の漏れとの両方を通して汚染を引き起こす他の一般的な軽便な調理および加熱設備とは全く対照的である。
【００４９】
上述の目的のために、安価で信頼でき、所期の目的を達成する際に十分に効果的である改良型の要素およびその配置構成を提供することが、本発明のさらなる目的である。
【００５０】
本発明の以上およびその他の目的は、以下の明細書および図面をさらに再検討することにより、容易に明白になる。
【発明を実施するための最良の形態】
【００５１】
本発明の好ましい実施形態によると、基本的機器は、放射性電磁エネルギを集中、集束かつ送出するタイプの装置であり、これは少なくとも２枚の圧力で変形可能な膜を組み込むことによって放射エネルギを操作し、膜の少なくとも一方が反射性で、膨張したトロイド（ドーナツ形体）またはリングで支持しなければならない。機器は、無線周波数（ＲＦ）から紫外線（ＵＶ）を通して広範囲の電磁スペクトルにわたって効果的である。この高度に多機能の機器は、無数の非電磁用途にも適用可能であることに留意されたい。
【００５２】
図１から図４９Ｌで示した基本的機器の好ましいstyle='text-underline:words'>第１の実施形態は、周囲より低い圧力まで膨張して、膨張式トロイドまたはリングによって支持された凹凹反射鏡構成を形成する膨張式圧力エンベロープ（反射鏡チャンバ）の部分であり、９０％を超える実効効率、および１０，０００倍以上日光を集中させる能力を有する少なくとも１枚の反射膜を有する。図５０Ａから図５７Ｇで示した基本的機器のstyle='text-underline:words'>第２の実施形態は、少なくとも１枚の反射膜および少なくとも１枚の透明膜を有して、周囲より高い圧力まで膨張させて膨張式リングによって支持された凸凸レンズ構成を形成する圧力エンベロープ（反射鏡チャンバ）を有する。この実施形態は、７５〜８５％の実効効率を有する。両方の実施形態について、異なる数の部片を結合することにより膜およびリング支持体を製造することを示す。機器の両方の実施形態は、十分に確立された製造プロセスを使用して市販の材料から製造できることに留意されたい。さらに、style='text-underline:words'>第１の実施形態について示した様々な用途の大部分は、words'>第２の実施形態にも当てはまる。
【００５３】
図１および図２では、反射膜のみを有する第１の実施形態１０を、円形の断面を有し、上前側の弾性反射膜１４および下後側の重複（redundant）弾性反射膜１６を支持するトロイドまたはリング状支持要素１２として図示する。図は、支持要素１２が円形であることを示す。しかし、本発明は、六角形、正方形、長方形、楕円形などの断面形状を有するものなど、他のタイプの支持体を使用して実践できることが分かる。膜１４は、反射鏡チャンバを膨張させる膨張手段の一例として、中心に配置された膨張弁１８を有する。膨張式トロイド形支持構造１２は、支持リングを膨張させる膨張手段の一例として、膨張して剛性リングを形成するための気体弁１８も有する（リング状支持体および中心の反射鏡チャンバを別個に膨張するため、２つの弁が図示されている）。
【００５４】
反射膜１４および１６は、安全目的で短い焦点距離を提供し、反射膜１４および１６を十分に変形して滑らかにするのに必要な差圧を減少させるために、（製造中に）放物面の形状に予備形成する。しかし以下で示すように、本発明は、反射膜１４および１６にわたって加える差圧の関数として可変焦点距離を提供することができる機器を生成するため、平面状（予備形成されていない）膜を使用して実践することができる。
【００５５】
反射膜１４および１６は、トロイド状支持構造の内部分との組み合わせで、二重の放物面凹凹反射鏡構成の反射鏡チャンバ２０を提供する。トロイドを形成する一例として、トロイド１２を形成するためのシーム２２が図示されている。膜１４、１６をトロイド１２に接着剤または熱で結合する。あるいは以下で示すように、反射膜およびトロイド要素は、各側で１つの部片でよい。膜１４、１６は、例えば、Ｍｙｌａｒ（登録商標）、つまりポリエチレンテレフタレート・プラスチック組成から作成する。反射表面２４は、膜１４、１６の外側を蒸着アルミニウムおよび同様の反射性材料で被覆することによって設ける。プラスチックの反射膜は、均質に組み込まれた反射性粒子を有するか、一体の導電性ワイヤまたは網を含むことができる。
【００５６】
トロイド１２は、ビニルなどの高張力が可能な材料（つまり高い強度および低い弾性率を有する材料）から作成し、これはトロイド・リング構造の十分な膨張を妨げないよう、平坦な環状シートから製造したトロイドの内部分が十分に緊張（伸張）できるようにするために必要である。
【００５７】
図３Ａおよび図３Ｂで示すように、太陽放射線２８の焦点２６の調節は、反射鏡チャンバ２０内の膨張圧を増大させ、焦点距離３０を延長することによって示される。
図４は、重複（redundant）反射鏡チャンバを形成するために、２つの反射性外膜と、非反射性の中心膜１５とを有する第１の実施形態を示している。
【００５８】
図５は、安定した位置を組み込み、他の要素を取り付けるためにトロイド１２に追加することができる付属物を示す。１対の取っ手３２を、トロイド１２の側部の正反対に配置する。保管時などに吊り下げるため、開口付きタブ３４を、側部の取っ手３２間に等距離で設ける。１対の吊り下げ用ストラップ３６を開口付きタブ３４の両側に取り付ける。すぼめて折り曲げた装置１０を保存するため、保存用ポーチ３８を設ける。直立した装置１０を安定させるための高密度材料で充填するため、１対の底部ポーチ４０を設ける。
【００５９】
図６は、反射膜１４用でもある弁の例として、トロイド１２上に一体化した栓（plug）４４を有する軟質プラグ弁４２を示す。これらの弁は、高さが低い弁でもよく、シールの完全性を向上させるためにねじ込めることが分かる。図７Ａは、トロイド１２上に従来の目違い継ぎジプロック（登録商標）部分（ziplock  portion）４８がある目違い継ぎジプロック（登録商標）・タイプの弁４６を示す。図７Ｂは、クランプ（clamp）またはひも（tie）５２によって閉鎖するよう締め付けられた弁５０を示す。
【００６０】
図８は、支持体５６を結びつけるＵ字型金具、シャックル、クリップ、またはブラケット（bracket）５４、および他の要素を取り付けるフックおよびループ締結パッチ５８および装着スタッド（mounting stud）６０などの、第１主要装置の実施形態１０上にある様々な取り付け機器を示す。中心に配置されたソケット６２は、上前側反射膜１４にアンテナ６４を挿入するため図示されている。
【００６１】
図９は、水を担持するか錘材（weights）を加えるための４つ（または他の任意の数）の口を加えることにより、装置６６を形成するよう改造された第１の実施形態の装置１０の異なる使用法を示す。反射鏡チャンバ２０に突き当たるトロイド１２の内部口６８によって、水がトロイド１２から反射鏡チャンバ２０に流入することができる。トロイド１２および上膜１４上の比較的大きい荷重カバー（loading cover）７０を、正方形、長方形または円形として形成し、７２で蝶番接続し、周囲のフックおよびループ締結具（fastener）５８（または他の任意のタイプの締結具）によって締結して閉鎖する。
【００６２】
図１０は、排水を容易にするよう上膜１４の中心に配置して、流出する雨７８を反射鏡チャンバ２０へと通す出口ダクト７６、つまり改造した弁および／または漏斗状に形成した膜を有する採雨装置７４を示す。
【００６３】
図１１は、改造された採雨装置８０を示し、ここでは中心に配置された漏斗８２が下膜１６を通過して導管８４および収集容器８６へと至る。この構成によって、器具は様々な動作モード間、つまり採雨と調理との間で迅速に変換することができる。この構成は、使用者が対向する反射膜１４と１６に含まれる漏斗／弁の対向する対を接続することによって組み込めることに留意されたい。採雨（または本出願で述べる他の任意の目的）のために装置の容積を増加する必要がある場合は、追加のリング１２を使用して、壁の高さを増加させることができる。
【００６４】
図１２は、必然的にではないが一般的に比較的小さい直径を有し、膨張してトロイド１２の頂部に取り付けられる追加の膨張した収集リング９０を有する装置８８で雨水Ｒまたは他の液体を収集することを示す。したがって、リング９０は集水容積を増加させる。これは、衝撃の水はねによる損失を減少させ、特に傾斜した表面（丘）または動作する表面（揺れる船舶の甲板）に配置した場合に、漏れを減少させる。
【００６５】
収集リング９０の大径は、有効捕捉面積を増加させるために拡大することができる。液体収集（またはリング９０の直径方向に延びる棒上の焦点で品目を支持するなど、本出願で述べる他の目的）のために装置の外部体積を増加させる必要がある場合は、追加の収集リング９０を機器に取り付けて、壁の高さを増加させることができる。液体貯蔵のために装置の容積を増加させる必要がある場合は、追加のトロイド支持構造リング１２を、反射膜１４、１６間で機器に組み込むことができる。
【００６６】
図１３は、周囲の樋９６で水９４を収集し、導管８４を介して水を収集容器８６へと排出する装置９２を示す。周囲の樋９６はトロイド１２の外縁に配置することができ、トロイド１２を有する膜の延長部から製造できることに留意されたい。
【００６７】
図１４Ａおよび図１４Ｂは、表面を歪曲することにより、装置１００が潜在的に危険な濃度のエネルギを生成するのを防止するため、安全ファクタとして膜１４、１６にゴムなどの幾つかの円形弾性帯９８を追加することを示す。図１４Ｂは、隔置されたプラスチック細片１０２によって反射鏡チャンバ内に固定されている弾性帯９８を示し、これは反射膜の内表面に熱またはその他の方法で結合される。
【００６８】
図１５は、トロイド１２の取り付けポイント１０８まで巻き上げることができる円形のプラスチック・カバー１０６を有する装置１０４を示す。カバー１０６は、任意選択でフックおよびループ・パッチを有し、巻き上げ状態または展開状態で保持できるようにすることが可能である。カバーの目的は、ミラーを保護し、使用していない場合に意図的でない危険なエネルギの集中を防止することである。
【００６９】
図１６は、装置１１０と電磁気源との位置合わせを補助するため、一対の字線形部材（cross-hair configured member）１１４、さらに別の一対の部材１１４をトロイド１２内に有する中心の透明なパッチ１１２を、両方の膜１４、１６に挿入するよう改造された装置１１０を示す。
【００７０】
図１７は、第１主要装置の実施形態１０が内部に横たわった、ゴア（gores）１２２から作成された半球形の装着および安定化構成要素１２０を支持する膨張したベース・リング１１８を有する衛星皿形受信装置１１６を示す。この装置１１６は、衛星通信の受信に使用する場合は、付属の受信器（図示せず）を必要とすることがある。反射鏡を複数のゴアで作成してもよいことが分かる。
【００７１】
他の支持方法には、半球形の装着具を砂に掘るなどして地面の窪みに納めること、またはソースおよび／または目標へと適切に配向するため、機器を傾斜するために使用する複数のテーパ状支持リングなどがある。道央に、支持リングは、傾斜面又は丘の上に機器を設置する場合に、支持リングは水平化機能も与える。
【００７２】
図１８は、個々の気体膨張弁１８で膨張可能な区画１２８を有する２本の支持管１２６によって第１主要装置１０を支持する、膨張可能で高さが調節可能な２脚支持構造１２４を示す。したがって、これらの支持管１２６は、各支持管の各区画に挿入する空気の量を制御することにより、でこぼこの大地に配置するために高さを調節可能である。支持管１２６は、図５で示すように吊り下げストラップ３６によって、または任意の他のよく知られている締結手段によって傾斜した装置１０の頂部に結びつけられる。支持管１２６の反対側の端部は、管を保管したり、管を重くして装置１２４を安定させたりするためのポーチ１３０を有する。装置の位置を維持するために、コード１３２を各管１２６および装置１０の底部に取り付ける。
【００７３】
図１９Ａおよび図１９Ｂはそれぞれ、トロイド１２に重なるサイズ超過の反射膜１４、１６を有する、膨張していない平坦なパターン１３４または膨張した装置１３６を示す。膨張させるために必要な弁を設置する。この膨張した装置１３６は、本発明の他の機器の多くと同様、給水船として、または雪で覆われた斜面（図示せず）を滑り降りるために使用することができる。
【００７４】
図２０は、人の耳（図示せず）を焦点に配置するか、ポケット１４４に収容したシャフト１４２上のマイクロフォン１４０を前側反射膜１４の中心に配置することにより、囀る鳥１３８などの遠方の音を聞くために使用する第１の実施形態の機器１０を示す。
【００７５】
図２１は、コンピュータ１５２などのブラウン管を含む機器または漏れ出る電子レンジ１５４から漏れる危険な電磁線１５０に近接しなければならない人１４８（影で図示）を保護する電磁エネルギ・シールド１４６として使用する第１の実施形態の機器１０を示す。この保護は、機器が膨張しているかに関係なく提供される。
【００７６】
図２２は、人１４８が反射した体熱によって自身を暖めるため、救急用保温性床または毛布１５６として使用する第１の実施形態の機器１０を示す。毛布１５６は人１４８に巻き付けることができる。この場合も、この機能を達成するために、機器を膨張させる必要はない。機器は、負傷した人を支持するガーニまたはキャスト（cast）として使用できることを、さらに記しておく。
【００７７】
図２３は、太陽放射線２８または月の放射線を使用して、機器１０に取り付けたトラス支持体１６８によって支持された導波管取り入れ機器１６６から太陽放射線２８を受ける光ファイバ・ケーブル１６４を通して太陽放射線２８を伝達することにより、建物１６２の内側の投影器スクリーン１６０に画像を投影する光学画像投影器１５８に照明を提供する第１の実施形態の機器１０を示す。
【００７８】
図２４は、４本のケーブルまたは棒１８２によって焦点に固定されたアンテナ１８０から無線周波数およびマイクロ波放射線１７８を受けるために、ブレース１７６によって支持され、周囲より高い圧力の大気１７４中に設置された第１の実施形態の機器１０を含む宇宙空間（outer space）１７２の透明な球１７０を示す。
【００７９】
図２５は、第１の実施形態の装置１０から反射し、最初にナトリウム・ランプ街灯１８６から受けた放射線によって通電／再充電された手持ち式計算器１８４などの低電力光起電力機器を示す。
【００８０】
図２６は、海１９０上で船舶１８８に収容され、太陽光放射線２８を反射して、導波管光取り入れ機器１６６および光ファイバ・ケーブル１６４内に集中させ、ダイバー（図示せず）が使用する水中のランプ１９２を照明する第１の実施形態の機器１０を示す。
【００８１】
図２７は、太陽光放射線２８を受け取り、放射線を導波管取り入れ機器１６６、光ファイバ・ケーブル１６４、および個々のランプ１９２に伝達することにより、高層建築１９６の部屋１９４を照明するために第１の実施形態の機器１０を使用することを示す。
【００８２】
図２８は、暗がりで約４５フィート（１３．７ｍ）離れた位置にある書物２００を読むために、点灯したロウソク１９８からの照明を集束する第１の実施形態の機器１０の使用を示す。
【００８３】
図２９は、三日月２０４からの月の放射線２０２で書物２００を読めるようにする第１の実施形態の装置１０を示す。この方法でコンパスや地図も読むことができる。
【００８４】
図３０は、第１の人２０８が操作する懐中電灯２０６からの光信号を伝達して、モールス信号の知識がある第２の人２１４が観察している遠くの樹木２１２または同様の不透明なオブジェクトに視準光の像２１０を投影することを示す。光源を覆って信号を伝達することにより、例えば、ロウソク、マッチおよびタバコ用ライタなどの他の光源で、置換することができる。
【００８５】
図３１は、装置の焦線に膜１４の中心のポケット１４４に固定し、中心に配置したアンテナ２１８を追加し、通常は範囲から外れた送信局２２０からの信号を受信することにより、放物面無線周波数（ＲＦ）またはマイクロ波受信機器２１６を形成する、第１の実施形態の装置１０の改造を示す。機器は、送信範囲を拡張し、無線通信を強化するために使用することもできる。
【００８６】
図３２は、塔２２４の高所にあって、これを通る導管２２６を通過して建物に入り、再加熱するために塔へと戻る水または空気を含む黒いタンク２２２に集束する太陽放射線２８によって建物を暖房する第１の実施形態の機器１０を示す。
【００８７】
図３３は、単独で、または第２機器１０と協力して、寒冷気候中にキャンプファイア２３０から放射した熱によって当たる人２２８を暖める第１の実施形態の機器１０の使用を示す。反射膜上に電磁放射線をフィルタリングかつ／または反射する伝導性メッシュを使用してよいことが分かる。
【００８８】
図３４は、紙、木材などの可燃性材料２３２を太陽放射線２８によって点火するために第１の実施形態の機器１０を使用することを示す。
【００８９】
図３５は、機器２３４を第１の実施形態の機器１０の焦点に配置した場合に、第１の実施形態の機器１０によって太陽放射線２８を集束することにより光電池機器２３４に通電することを示す。
【００９０】
図３６は、第１の実施形態の機器１０によって太陽放射線２８を集束することにより熱電電池機器２３６に通電することを示す。導電線２３８が、電力を必要とする任意の機器に通電する。
【００９１】
図３７は、加熱用液体媒質２４６を有する黒いタンク２４４へとパイプ２４２から流入する水などの液体２４０を太陽放射線２８によって加熱し、流出用パイプ２５２を通って近傍のタービン（図示せず）へと通過するためにコイル２５０内に流出蒸気２４８を生成して、電力を生成する第１の実施形態の機器１０の使用を示す。
【００９２】
図３８は、産業製品２５６を生産し、ある距離でトラス支持体１６８によって支持された黒い熱反応容器２５４へと、放射した太陽放射線２８を集中させることによって熱を提供するために使用されている第１の実施形態の機器１０を示す。反応した製品を移送するためのパイプ類は省略されている。反応は、バッチ・モードまたは連続モードで操作できることが分かる。
【００９３】
図３９Ａは、太陽放射線２８を使用することによって液体２５８を蒸留するために使用する第１の実施形態の機器１０を示す。液体を含むフラスコ２６０を、コイル状の蒸留管２６２に取り付ける。コイル状の蒸留管２６２は、頂部が開放しており、凝集した液体を導管８４を通して図１１のように収集容器８６に蓄積する。
【００９４】
この機器は、太陽熱オートクレーブ装置または発酵装置として使用することもできる。前者の使用法では、機器を使用して医療用、歯科用、または他の装置を殺菌することができる。図３９Ｂで示す発酵装置として、機器はカバー８５を有し、圧力解放弁８７または嫌気性空気ロック（anaerobic air valve）を有することができる。
【００９５】
図４０は、肉焼き機器（rotisserie device）２６８を支持するよう構成され、取り付けられた４本のアーチ状の棒２６６を有する調理機器２６４に組み込まれた第１の実施形態の機器１０を示す。棒２６６は、ケトル２６２などの他の調理用品を支持するため、一連のフックまたはぎざぎざ２７０を有する。第１の実施形態の機器１０は太陽放射線によって通電される。装置は膨張式肉焼き器としても使用できることが分かる。
【００９６】
図４１は、危険な濃度の太陽放射線に偶発的に暴露することから自身を保護するため、展開および折り畳み可能な安全ケージ２７４を形成するよう使用される第１の実施形態の機器１０を示す。安全ケージ２７４は、複数の、例えば９本の剛性金属またはプラスチックの半円形支持脚２７６を有し、これは端部が機器１０の１対の対向するピン継ぎ手２７８に取り付けられ、各支持脚２７６を隔置するよう取り付けられた複数の可撓性金属またはプラスチック・ケーブル２８０によって安定した状態で保持される。
【００９７】
図４２は、第１の実施形態の機器１０の３つのピン継ぎ手２７８に取り付けた棒で構成され、焦点に固定されて電磁放射線受信機器２８４を支持する３脚支持体２８２を示す。機器２８４は、導電線２３８によって受信器の表示機器２８６に接続される。
【００９８】
図４３は、トロイド１２用の第１弁１８があるが、トロイドを通過して反射鏡チャンバ２０に入る延長第２弁２８８で改造された第１の実施形態の機器１０を示す（この延長第２弁２８８は、反射鏡チャンバを膨張させる膨張手段の別の例である）。
【００９９】
図４４は、複数のゴア（gores）１２２（図１７）から作成した代替トロイド２９０を示し、反射鏡膜は省略されている。
【０１００】
図４５Ａから図４５Ｃは、４枚または６枚の異なるプラスチック層のシートから平坦なパターンで作成された第１の実施形態の機器１０の第１種２９２を示し、円形はシームまたは結合部２２を示す。第１種による６層で構成された図４５Ｂの第１亜種２９３では、トロイド１２が、Ｍｙｌａｒ（登録商標）などの強度および弾性率が高い材料２９４の２枚の環状外部シートから形成される。トロイド１２の内部環状部分２９６は、反射鏡チャンバ２０の内側が平坦である場合に配置され、ビニルなどの弾性率が低く強度が高い材料から形成される。弾性率が低く強度が高い材料は、トーラスが十分に膨張するのを妨げないよう十分に緊張（伸張）する能力を有する。反射鏡チャンバ２０を形成する円形の反射膜１４、１６は、Ｍｙｌａｒ（登録商標）をアルミニウム、金などで被覆して作成する。４つの層しかない図４５Ｃの第２亜種２９５では、反射膜１４、１６は円形であり、トロイド１２の一部を形成する。
【０１０１】
第２種２９８は、図４６Ａで示したような平坦なパターンから形成する４枚または６枚シートの構成の第１種に類似した膨張構造を有する。内部環状シート２９４は、ここでは平坦になったトロイド領域１２の内側にある。図４６Ｃおよび図４６Ｄの第２および第３亜種３０２および３０４ではそれぞれ、４枚のシートしか使用しない。第２亜種３０２では、反射鏡膜１４、１６は、トロイド１２の外側部分も形成する。第３亜種３０４では、反射鏡膜１４、１６はトロイド１２の内側部分を形成している。このような平坦なレイアウトのパターンにより、特定の状況で最適となる機器１０の反射鏡表面積の量に融通性を与えることができる。
【０１０２】
図４７Ａで示した第３種３０６では、図４７Ｂから図４７Ｅが、６、８または１０枚シートの平坦なレイアウトのパターンをベースとしている。図４７Ｂの第１亜種３０８では、トロイド１２は、２枚の外部環状シート３１０、２枚の中央環状シート３１２、および２枚の内部環状シート３１４を有する６枚のシートで構成される。反射膜１４、１６が８枚シートの構造３０８を完成させる。図４７Ｃの第２亜種では、反射膜１４、１６がそれぞれ上表面および下表面を構成し、６枚シートの平坦なレイアウトの構造３１６を形成する。図４７Ｄは、第３亜種のような６枚シートの平坦なレイアウトの構造３１８を示し、ここでは反射膜と中央環状シートを組み合わせる。図４７Ｅは、前述した亜種のいずれかのトロイド部分１２にさらに２つの環状端層３２２を追加することに基づく第４亜種３２０であるが、図４７Ｃの８枚シートのレイアウトのパターンを改造して、１０枚シートのレイアウトのパターンを形成するよう図示されている。
【０１０３】
図４８Ａから図４８Ｄは、全ての亜種についてシートを４枚しか使用せず、十分に、または部分的に予備形成した状態で第４種３２４を示す。図４８Ａは、第４種の第１亜種３２４を表している。この第１亜種３２４では、反射膜１４、１６を、style='text-underline:words'>完全に予備形成した部片２個のトロイド要素１２に取り付ける。図４８Ｂで示す第２亜種３２６は、部分的に予備形成された膜１４および１６を有し、その結果、反射鏡チャンバ２０が制限される。また、トロイド１２は、部分的に予備形成されて断面が楕円形（oval）の構成３２８を有する。図４８Ｃの第３亜種３３０は、断面が円錐形の外部先端３３２を有し、バイアス付与された予備形成トロイド要素１２を有する。図４８Ｄの第４亜種３３４は、トロイド要素１２の予備形成した内部分と、断面が予備形成されていない、または平坦にした外端部３３６を有する。
【０１０４】
図４９Ａは第５種の第１亜種３３８であり、六角形の断面３４０を有する支持リングまたはトロイド１２を形成する８枚のシート、および反射チャンバ２０を画定する反射膜の２枚のシート１４、１６を有する第１の好ましい実施形態の機器１０の３次元代替構造を示す。この追加の亜種は、予備形成しないで膜の曲がり・ゆがみ（buckling）を最小にすることで、より剛性のある構造を提供する。
【０１０５】
図４９Ｂは第５種の第２亜種３４２であり、５枚のシートを有し、そのうち３枚が三角形の断面３４４を有する支持リング１２を形成する第１の実施形態の機器１０の３次元代替構造を示す。
【０１０６】
図４９Ｃは第５種の第３亜種３４６であり、６枚のシートを有し、そのうち４枚が正方形または長方形の断面３４８を有する支持リング１２を形成する第１の実施形態の機器１０の３次元代替構造を示す。
【０１０７】
図４９Ｄは第５種の第４亜種３５０であり、６枚のシートを有して、断面が四辺形３５２の支持リング１２を形成し、これが長さの等しい傾斜した上辺および下辺、および長い方の内辺に平行で垂直の外辺を有する第１の実施形態の機器１０の３次元代替構造を示す。
【０１０８】
図４９Ｅは第５種の第５亜種３５４であり、７枚のシートを有し、そのうち５枚が五角形３５６を有する断面の支持リング１２を形成して、その長さの等しい傾斜した外側シートが、垂直の内部シートに取り付けた２本の水平で平行な辺に取り付けられた第１の実施形態の機器１０の３次元代替構造を示す。
【０１０９】
図４９Ｆは第５種の第６亜種３５８であり、９枚のシートを有し、そのうち７枚は七角形３６０を有する断面の支持リング１２を形成して、これが三角形の外側形状、２つの長さが等しい上辺および平行な下辺、および垂直の内辺を有する第１の実施形態の機器１０の３次元代替構造を示す。
【０１１０】
図４９Ｇは第５種の第７亜種３６２であり、６枚のシートを有し、そのうち４枚が四辺形３６４の断面の支持リング１２を形成し、これが三角形の外側形状および三角形の内側形状を有し、外側の三角形の方がより円錐形である第１の実施形態の機器１０の３次元代替構造を示す。
【０１１１】
図４９Ｈは第５種の第８亜種３６６であり、７枚のシートを有し、そのうち５枚が断面に五角形３６８を有する支持リング１２を形成し、内側部分が三角形であり、外側シートが水平に対して直角で平行な上下シートである第１の実施形態の機器１０の３次元代替構造を示す。
【０１１２】
図４９Ｉは第５種の第９亜種３７０であり、７枚のシートを有して、断面が五角形３７２である支持リング１２を形成し、外側の２枚のシートが下側に傾斜して垂直の外側シートに接続し、内側部分が円錐形である第１の実施形態の機器１０の３次元代替構造を示す。
【０１１３】
図４９Ｊは第５種の第１０亜種３７４であり、８枚のシートを有して六角形の断面３７６および任意選択で等しい辺を有する支持リング１２を形成する第１の実施形態の機器１０の３次元代替構造を示す。
【０１１４】
図４９Ｋは第５種の第１１亜種３７８であり、断面が八角形で、直径方向反対側にある外側および内側のシートが先端を形成する支持リング３８０を形成するため、８枚のシートを有する支持リング１２を形成する第１の実施形態の機器１０の３次元代替構造を示す。
【０１１５】
図４９Ｌは第５種の第１２亜種３８２であり、断面に八角形３８４を形成し、直径方向反対側にある外側および内側のシートが垂直かつ平行である８枚のシートを有する支持リング１２を形成する第１の実施形態の機器１０の３次元代替構造を示す。
【０１１６】
図５０Ａは、電磁放射線集中モードにあり、太陽に面する透明膜３８８、および内表面にあって周縁によって支持リング１２に取り付けられ、凸状反射鏡構造３９２を形成する背面反射金属化膜３９０を有する第２の実施形態３８６である。放射する太陽光２８は、反射して、機器３８６の焦点に配置したエネルギ吸収性オブジェクト３９４に集束するものとして図示されている。
【０１１７】
図５０Ｂは、放射線投影モードにあり、同じ反射鏡構造３９２であるが、焦点に配置した電球、懐中電灯またはランプなどの光源３９６から遠方のオブジェクトへと電磁線を投影する第２の実施形態３８６である。集中モードか投影モードかの選択は、光源の位置に依存することに留意されたい。
【０１１８】
図５１は、透明または反射性の環状（断面は楕円形）膜の２つの部片によって支持リング４００を予備形成することにより作成した第２の実施形態の第１種３９８であり、膜は側部がシーム２２によって密封され、透明な膜３８８および後部の反射膜３９０に面する上部または放射線の線源で形成された周囲より高い（super-ambient）凸状要素３９２の周縁にリング４００を取り付ける。第１弁１８を、透明な膜の中心に配置し、第２弁１８は、膨張するために支持リング４００内に必要である。
【０１１９】
図５２は、第２の実施形態３８６の第２種４０２の略側面図である。この第２種４０２はシート２枚のみで作成されている。そのために、頂部の透明な膜３８８及び反射膜３９０の中央部分の周縁部を挟み込んで密閉し、支持リング４００の外側シームを密閉することによって、頂部の透明な膜３８８を反射膜３９０に取り付ける。
【０１２０】
図５３は、第１種３９８と同様に４枚のシートで作成するが、支持リングに対する周囲より高い反射鏡チャンバの取り付け４０６がずれ、放射線源に面する反射鏡チャンバを拡大する、第２の実施形態３８６の第３種４０４の略側面図である。
【０１２１】
図５４は、２つの独立した周囲より高い反射鏡チャンバ４１０を有し、各チャンバの反射膜３９０が内部に配置された、第２の実施形態３８６の第４種４０８の略側面図である。底部反射鏡チャンバ４１０は、上部チャンバが損傷した場合に有用となる重複（redundant）チャンバと見なされる。
【０１２２】
図５５は、内部に配置された反射膜３９０（点線）を有する２つの弁付き反射鏡チャンバ４１０、４１０を形成する２枚の外側の透明な膜３８８、３８８を有する、第２の実施形態３８６の第５種４１２の略側面図である。この構造は、透明な膜３８８の一方が動作不能になった場合でも、機器４１２が動作可能であるので貴重である。
【０１２３】
図５６は、３つの反射鏡チャンバ４１６、４１８および４２０を有し、それぞれにトロイド４００によって支持された個々の弁１８がある、第２の実施形態３８６の第６種４１４の略側面図である。上部の３枚の膜３８８は透明であり、下部の膜は反射膜３９０それぞれの片側または両側が反射性である。
【０１２４】
図５７Ａは、図５１の第２の実施形態３８６の第１種の第１亜種４２２であり、金型または３次元工具によって円形トロイド４００の内側に取り付けた反射鏡チャンバ３９２を作成するために４枚のシートを使用することを示す。必要な部片数が少ないほど、生産費が低下することが分かる。図５７Ｂから図５７Ｇは、金型セットで高温にて予備形成する必要がない支持リングを有する亜種を表している。
【０１２５】
図５７Ｂは、６枚のシートを使用して、４つの辺を有するリング４２５がある第２の実施形態の機器を作成する、第２の実施形態３８６の第２亜種４２４である。
【０１２６】
図５７Ｃは、６枚のシートを使用して、２辺が平行な５つの辺を有するリング４２７がある第２の実施形態の機器を作成する、第２の実施形態３８６の第３亜種４２６である。
【０１２７】
図５７Ｄは、７枚のシートを使用して、５つの辺を有するリング４２９がある第２の実施形態の機器を形成する、第２の実施形態３８６の第４亜種４２８である。
【０１２８】
図５７Ｅは、６枚のシートを使用して、六角形の断面を有するリング４３３を形成する、第２の実施形態３８６の第５亜種４３０である。
【０１２９】
図５７Ｆは、８枚のシートを使用して、八角形の断面を有するリング４３３を形成する、第２の実施形態３８６の第６亜種４３２である。
【０１３０】
図５７Ｇは、６枚のシートを使用して、第２の実施形態の機器を作成するために金型を必要とせず、平坦なパターンのリング４３５を形成する、第２の実施形態３８６の第７亜種４３４である。パターンは原料上にトレースし、平坦な状態で結合することに留意されたい。
【０１３１】
したがって、放射線の電磁エネルギを集中、集束および送出する装置として使用するために最適化した状態の基本的な多目的、多機能の装置の包括的な適用性が開示されている。
【図面の簡単な説明】
【０１３２】
【図１】凹状の反射表面を有する前膜および後膜がある２つの圧力変形可能な膜機器を有する膨張式支持体の第１の実施形態の上面図である。
【図２】影で図示され、反射表面を有する２つの内部圧力変形性膜付きの膨張式支持体を示す第１の実施形態の側面図である。
【図３Ａ】機器への焦点距離を調節する作業の一例として、距離を短縮した焦点を形成する、わずかに膨張した膜部分がある反射鏡表面を有する第１の実施形態の略縦断面図である。
【図３Ｂ】膜部分の膨張を大きくして、距離が長くなった焦点を形成する反射鏡表面を有する第１の実施形態の略縦断面図である。
【図４】２つの反射性外膜と、非反射性の中心膜を有して、重複（redundant）反射鏡チャンバを形成する働きをする圧力変形可能な機器を有する第１の実施形態の略縦断面図である。
【図５】追加の任意選択の固定および保存要素がある膨張式支持体を有する第１の実施形態の上面図である。第２の実施形態の機器には、任意選択の周囲要素も使用可能である。
【図６】一体のプラスチック・プラグ弁の略断面図である。
【図７Ａ】目違い継ぎ（ジプロック（登録商標））タイプの弁の略部分上面図である。
【図７Ｂ】弁のクランプまたはひも閉鎖部の略部分上面図である。
【図８】第１の実施形態の機器のため、前膜の中心にあるソケットに固定したアンテナを含む、Ｕ字型金具、クリップ、ブラケット、装着スタッド、フックおよびループ締結パッチなどの取り付け機器の略側断面図である。
【図９】水、錘材としての岩石または砂、または塩素を水に添加するため、前膜およびリング支持体用の軟質蝶番を有する気密性の正方形、円形または長方形のカバーを使用する第１の実施形態の機器の略側断面図である。
【図１０】膜と膜との間のキャビティ内に収集される雨水などの落下物を収集するため、前膜の中心に配置した漏斗で改造した第１の実施形態の機器の略側断面図である。
【図１１】収集用漏斗、排水管および収集容器を含む、雨水を収集する第１の実施形態の機器の略側断面図である。
【図１２】水などの物体を収集し、保持する第１の実施形態の機器の略側断面図である。これよりサイズが小さい別の集水リングを、主要支持リングと任意選択のリング間の空気通路口で接続する。
【図１３】沈殿物または凝縮水を収集するため、周囲の樋、排水管および集水タンクを設けた第１の実施形態の機器の略側断面図である。
【図１４Ａ】しわを寄せるために両方の膜の内表面に含まれた半径方向に伸張する、または連続的に伸張する円形の（点線）弾性帯によって、または機器を使用していない場合に安全形体として反射鏡表面を歪曲することにより改造した第１の実施形態の機器の略上面図である。
【図１４Ｂ】膜に取り付けた固定用プラスチック帯によって隔置された箇所に固定された弾性帯の略部分縦断面図である。
【図１５】機器を使用していない場合に展開することができる、回転可能で不透明な安全カバーを有する第１の実施形態の機器の略側断面図である。
【図１６】両方の膜の中心に配置された透明なパッチ状領域で改造され、各膜が、中心に配置された弁を囲む１対の位置合わせされた十字線形部材を有する、第１の実施形態の機器の略上面図である。支持体は、位置合わせした１対の十字線形部材がある透明パッチも有する。これらの形体により、機器を電磁気源と位置合わせすることができる。
【図１７】受信装置を形成するよう改造された第１の実施形態の機器の略立面図である。
【図１８】各管の支持長さを制御する区画を有する１対の膨張式支持管によって後部が支持され、傾斜した第１の実施形態の機器の略斜視図である。
【図１９Ａ】好ましい結合領域を示す第１の実施形態の膨張していない機器の初期平坦パターンの略断面図である。
【図１９Ｂ】膨張状態にある図１９Ａの第１の実施形態の機器の略側断面図である。
【図２０】任意選択のマイクロフォン・システムの助けで、または裸の耳で鳥の聴覚的囀りを集中させるために使用する第１の実施形態の機器の略側断面図である。
【図２１】漏れ出る電子レンジまたはブラウン管機器から保護する電磁エネルギ・シールドとして使用する第１の実施形態の機器の略側断面図である。
【図２２】救急用保温性床または毛布として使用する第１の実施形態の機器の略斜視図である。軟質機器で人の上を覆うか、人に巻き付けることができる。
【図２３】導波管取り入れ機器、光ファイバ・ケーブルおよび光学画像投影器またはスライド投影器で使用する第１の実施形態の機器の略斜視図である。
【図２４】周囲より高い内圧チャンバ内で無線周波数およびマイクロ波放射線を受けるために、アンテナも取り付けケーブルまたはロッドによって中心に配置され、内側に一方側が固定された第１の実施形態の機器を有する電波望遠鏡の部品として使用する宇宙にある透明の球の略縦断面図である。
【図２５】計算器などの低電力光起電力機器を動作させるか、再充電するために、ナトリウム・ランプ街灯から光を反射するために使用する第１の実施形態の機器の略縦断面図である。
【図２６】太陽光放射線を導波管光取り入れ機器を通して光ファイバ・ケーブルへ、さらにダイバーのランプへと伝達することにより、ダイバー用の全整色光の形態の照明を生成するために使用する第１の実施形態の機器の略縦断面図である。
【図２７】太陽光放射線を光ファイバ・ケーブル・システムへ集光させ、さらに建物またはシェルタの屋内ランプへと屋内照明を生成するために使用する第１の実施形態の機器の略縦断面図である。
【図２８】読書のためなどに暗い環境で遠いオブジェクトまたは区域を照明するため、焦点で燃焼するロウソクとともに使用する第１の実施形態の機器の略縦断面図である。
【図２９】書物またはコンパスや地図などの他の資料を読むために、三日月の助けにより月の放射線を捕捉して集中させるため使用する第１の実施形態の機器の略縦断面図である。
【図３０】別の人が見ている遠くの樹木に集束させた光信号のバーストにより通信するため、懐中電灯などの低電力光源で使用する第１の実施形態の機器の略縦断面図である。
【図３１】機器の焦点に沿って中心に配置したアンテナを追加し、通常範囲から外れた送信局からの信号を受信することにより、放物面無線周波数（ＲＦ）またはマイクロ波送信／受信機器として使用する第１の実施形態の機器の略縦断面図である。
【図３２】高所にあって黒くした水タンクを加熱するために使用する第１の実施形態の機器の略縦断面図である。
【図３３】単一の機器または複数の機器として、寒冷気候中に暖を取るか生存のために、キャンプファイア、暖炉または太陽からの放射エネルギを、焦点にいない人へと反射するために使用する第１の実施形態の機器の略縦断面図である。
【図３４】紙、木材などの可燃性材料を太陽放射線から点火するために使用する第１の実施形態の機器の略縦断面図である。
【図３５】太陽放射線によって光電池機器に通電するために使用する第１の実施形態の機器の略縦断面図である。
【図３６】電気を通すために太陽放射線によって熱電電池に通電するために使用する第１の実施形態の機器の略縦断面図である。
【図３７】黒くしたタンクの中の水などの液体を太陽放射線によって加熱し、流入水から蒸気を形成し、蒸気タービンに通電するため使用する第１の実施形態の機器の略縦断面図である。
【図３８】産業で材料を生産するために、外側を黒くした熱反応容器を太陽放射線によって加熱するために使用する第１の実施形態の機器の略縦断面図である。
【図３９Ａ】太陽放射線によって液体を蒸留するために使用する第１の実施形態の機器の略縦断面図であり、開始液を含み、導管によって凝縮コイルおよび蒸留液収集容器に接続された黒いタンクまたは圧力ポットを示す。
【図３９Ｂ】発酵装置として使用する第１の実施形態の機器の略縦断面図である。
【図４０】肉焼き器と、４本のアーチ状の棒で形成され、尾根部または切り欠き部がある（ridged or notched）ケトル支持体との組み合わせを形成して、太陽放射線から熱を獲得するために使用する第１の実施形態の機器の略斜視図である。
【図４１】端部を機器上にある１対の直径方向のピン継ぎ手に取り付けられ、４本の可撓性金属またはプラスチック・ケーブルによって安定した状態で保持された複数の剛性金属またはプラスチックの半円形支持脚を加えることにより、高密度に集光されたエネルギから保護するために展開および収縮可能な安全ケージを形成するために使用する第１の実施形態の機器の略斜視図である。
【図４２】自身に固定された複数の脚支持体を形成し、電気コード、さらに受信機器に接続された電磁放射線機器などの焦点で、またはその付近で機器または材料を支持するために使用する第１の実施形態の機器の略立面図である。
【図４３】支持リング用の第１弁と、支持リングを通って反射鏡膜の間でチャンバに入る導管を有する第２反射鏡チャンバ弁とを使用する第１の実施形態の機器の略断面図である。
【図４４】相互に熱溶着または接着剤結合したテーパ状ゴアによって支持リングを構築する１つの方法の斜視図である。明快さを期して反射鏡チャンバは省略されている。
【図４５Ａ】２つの反射膜と、各部分のために弁がある２枚の環状シートから作成したトーラスとがある膨張状態の第１の実施形態の機器の第１種の略縦断面図である。
【図４５Ｂ】金属製反射材料で被覆した２枚の円形合成樹脂（例えば、ポリエチレンテレフタレート）シートと、４枚の環状シートとを組み合わせることによって作成した平坦な第１亜種パターンにある図４５Ａの種の略断面図である。反射膜は支持リング内に限定される。
【図４５Ｃ】２枚の円形の外部反射膜を、２枚の環状の内部非反射シートと組み合わせ、その結果として機器全体を囲む反射膜になった平坦な第２亜種パターンにある図４５Ａの種の略断面図である。
【図４６Ａ】４枚シートの環状支持構造と１対の反射膜を、２つの弁を装備した状態で図示した平坦パターンから形成した、第１の実施形態の機器の第２種の略側断面図である。
【図４６Ｂ】２枚の円形かつ平面状の内部反射層を、内縁の内側で二重になった外部非反射リング層に結合した、６枚シートの平坦な第１亜種パターンにある図４６Ａの第２種の略断面図である。
【図４６Ｃ】２枚の円形の反射膜層を２つのリング層に結合して平面状の表面を形成し、外側のリング層を結合し、二重にした内側のリング支持層を結合した、４枚シートの平坦な第２亜種パターンにある図４６Ａの第２種の略断面図である。
【図４６Ｄ】２枚の円形反射鏡膜層を、その周縁で相互に結合し、１対の環状膜の内側に結合して、反射鏡層の内表面を有するリング支持体を形成する、４枚シートの平坦な第３亜種パターンにある図４６Ａの第２種の略断面図である。
【図４７Ａ】６枚のシートを使用して、リング支持体と、膨張状態で示した２枚の反射膜を形成する、第１の実施形態の機器の第３種の略側断面図である。
【図４７Ｂ】内部、中央および外部環状膜区間を有する平坦な第１亜種パターンにある図４７Ａの第３種の略断面図である。
【図４７Ｃ】支持リングの一部を形成する２枚の膜を有する平坦な第２亜種パターンにある図４７Ａの第３種の略断面図である。
【図４７Ｄ】支持リング中央層が反射膜の延長部である、平坦な第３亜種パターンにある図４７Ａの第３種の略断面図である。
【図４７Ｅ】支持構造の外側端を改造して、支持リング構造にさらに２枚のシートを追加し、（図４７Ｂ〜図４７Ｄの第４種のそれぞれに端構造を追加する例示として）８枚シートの全体構造を形成する、平坦な第４亜種パターンにある図４７Ｃの第３種の略断面図である。
【図４８Ａ】２枚の膜シートと支持リングの２枚のシートの十分に予備形成するか膨張した状態にある第１の実施形態の機器の好ましい第４種による第１亜種の略縦断面図である。
【図４８Ｂ】部分的に予備形成した反射鏡膜が付いた４枚のシートおよび環状支持体を有する第４種による第２亜種の略縦断面図である。
【図４８Ｃ】２枚の予備形成した反射膜が付いた４枚のシートおよび２枚のバイアス付与し予備形成した環状膜を有する第４種による第３亜種の略縦断面図である。
【図４８Ｄ】２枚の予備形成した反射膜が付いた４枚のシートおよびリング支持体を有する第４種による第４亜種の略縦断面図である。
【図４９Ａ】第５種による第１亜種の略断面図である。
【図４９Ｂ】第５種による第２亜種の略断面図である。
【図４９Ｃ】第５種による第３亜種の略断面図である。
【図４９Ｄ】第５種による第４亜種の略断面図である。
【図４９Ｅ】第５種による第５亜種の略断面図である。
【図４９Ｆ】第５種による第６亜種の略断面図である。
【図４９Ｇ】第５種による第７亜種の略断面図である。
【図４９Ｈ】第５種による第８亜種の略断面図である。
【図４９Ｉ】第５種による第９亜種の略断面図である。
【図４９Ｊ】第５種による第１０亜種の略断面図である。
【図４９Ｋ】第５種による第１１亜種の略断面図である。
【図４９Ｌ】第５種による第１２亜種の略断面図である。
【図５０Ａ】放射エネルギを集中させる第２の実施形態の略縦断面図である。
【図５０Ｂ】放射エネルギを放射させる第２の実施形態の略縦断面図である。
【図５１】第２の実施形態の第１種の略縦断面図である。
【図５２】周囲より高い第２の実施形態の第２種の略側断面図である。
【図５３】周囲より高い第２の実施形態の第３種の略側断面図である。
【図５４】第２の実施形態の第４種の略側断面図である。
【図５５】第２の実施形態の第５種の略側断面図である。
【図５６】第２の実施形態の第６種の略側断面図である。
【図５７Ａ】第２の実施形態の第２種の第１亜種として、図５２の実施形態の略側断面図である。
【図５７Ｂ】第２の実施形態の第２種による第２亜種の略側断面図である。
【図５７Ｃ】第２の実施形態の第３亜種の略側断面図である。
【図５７Ｄ】第２の実施形態の第４亜種の略側断面図である。
【図５７Ｅ】第２の実施形態の第５亜種の略側断面図である。
【図５７Ｆ】第２の実施形態の第６亜種の略側断面図である。
【図５７Ｇ】第２の実施形態の第７亜種の略側断面図である。
【手続補正４】
【補正対象書類名】図面
【補正対象項目名】全図
【補正方法】変更
【補正の内容】
【図１】
2005527760.tif 000095
【図２】
2005527760.tif 000096
【図３Ａ】
2005527760.tif 000097
【図３Ｂ】
2005527760.tif 000098
【図４】
2005527760.tif 000099
【図５】
2005527760.tif 000100
【図６】
2005527760.tif 000101
【図７Ａ】
2005527760.tif 000102
【図７Ｂ】
2005527760.tif 000103
【図８】
2005527760.tif 000104
【図９】
2005527760.tif 000105
【図１０】
2005527760.tif 000106
【図１１】
2005527760.tif 000107
【図１２】
2005527760.tif 000108
【図１３】
2005527760.tif 000109
【図１４Ａ】
2005527760.tif 000110
【図１４Ｂ】
2005527760.tif 000111
【図１５】
2005527760.tif 000112
【図１６】
2005527760.tif 000113
【図１７】
2005527760.tif 000114
【図１８】
2005527760.tif 000115
【図１９Ａ】
2005527760.tif 000116
【図１９Ｂ】
2005527760.tif 000117
【図２０】
2005527760.tif 000118
【図２１】
2005527760.tif 000119
【図２２】
2005527760.tif 000120
【図２３】
2005527760.tif 000121
【図２４】
2005527760.tif 000122
【図２５】
2005527760.tif 000123
【図２６】
2005527760.tif 000124
【図２７】
2005527760.tif 000125
【図２８】
2005527760.tif 000126
【図２９】
2005527760.tif 000127
【図３０】
2005527760.tif 000128
【図３１】
2005527760.tif 000129
【図３２】
2005527760.tif 000130
【図３３】
2005527760.tif 000131
【図３４】
2005527760.tif 000132
【図３５】
2005527760.tif 000133
【図３６】
2005527760.tif 000134
【図３７】
2005527760.tif 000135
【図３８】
2005527760.tif 000136
【図３９Ａ】
2005527760.tif 000137
【図３９Ｂ】
2005527760.tif 000138
【図４０】
2005527760.tif 000139
【図４１】
2005527760.tif 000140
【図４２】
2005527760.tif 000141
【図４３】
2005527760.tif 000142
【図４４】
2005527760.tif 000143
【図４５Ａ】
2005527760.tif 000144
【図４５Ｂ】
2005527760.tif 000145
【図４５Ｃ】
2005527760.tif 000146
【図４６Ａ】
2005527760.tif 000147
【図４６Ｂ】
2005527760.tif 000148
【図４６Ｃ】
2005527760.tif 000149
【図４６Ｄ】
2005527760.tif 000150
【図４７Ａ】
2005527760.tif 000151
【図４７Ｂ】
2005527760.tif 000152
【図４７Ｃ】
2005527760.tif 000153
【図４７Ｄ】
2005527760.tif 000154
【図４７Ｅ】
2005527760.tif 000155
【図４８Ａ】
2005527760.tif 000156
【図４８Ｂ】
2005527760.tif 000157
【図４８Ｃ】
2005527760.tif 000158
【図４８Ｄ】
2005527760.tif 000159
【図４９Ａ】
2005527760.tif 000160
【図４９Ｂ】
2005527760.tif 000161
【図４９Ｃ】
2005527760.tif 000162
【図４９Ｄ】
2005527760.tif 000163
【図４９Ｅ】
2005527760.tif 000164
【図４９Ｆ】
2005527760.tif 000165
【図４９Ｇ】
2005527760.tif 000166
【図４９Ｈ】
2005527760.tif 000167
【図４９Ｉ】
2005527760.tif 000168
【図４９Ｊ】
2005527760.tif 000169
【図４９Ｋ】
2005527760.tif 000170
【図４９Ｌ】
2005527760.tif 000171
【図５０Ａ】
2005527760.tif 000172
【図５０Ｂ】
2005527760.tif 000173
【図５１】
2005527760.tif 000174
【図５２】
2005527760.tif 000175
【図５３】
2005527760.tif 000176
【図５４】
2005527760.tif 000177
【図５５】
2005527760.tif 000178
【図５６】
2005527760.tif 000179
【図５７Ａ】
2005527760.tif 000180
【図５７Ｂ】
2005527760.tif 000181
【図５７Ｃ】
2005527760.tif 000182
【図５７Ｄ】
2005527760.tif 000183
【図５７Ｅ】
2005527760.tif 000184
【図５７Ｆ】
2005527760.tif 000185
【図５７Ｇ】
2005527760.tif 000186
【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
放射電磁エネルギを集中、集束又は送出する装置として使用する多機能、多目的装置であって、
リングを有し、前記リングが管状で膨張可能であり、前記リングが空の円形中心を画定し、さらに、
前記リングを膨張させるために前記リングに配置された第１膨張弁と、
前記リングの中心を横切って延びる少なくとも２枚の圧力変形可能な膜とを有し、前記膜および前記リングが、少なくとも１つの膨張式反射鏡チャンバを画定し、前記膜の少なくとも１枚が、前記反射鏡チャンバを膨張させるために自身を貫通して延びる第２膨張弁を有することを特徴とする装置。
【請求項２】
前記弁がそれぞれ、栓、可撓性目違い継ぎ弁、クランプおよびひもで構成されたグループから選択した閉鎖手段によって閉鎖される可撓管であることを特徴とする請求項１に記載の装置。
【請求項３】
さらに、前記装置に取り付けた少なくとも１つのアクセサリ機器を有し、アクセサリ機器が、
１又は複数の取っ手と、
開口付きタブと、
１又は複数の結び用ストラップと、
収縮して折り畳んだ装置を保存する保存用ポーチと、
１又は複数のポーチと、で構成されたグループから選択されることを特徴とする請求項１に記載の装置。
【請求項４】
さらに、前記装置に取り付ける少なくとも１つの締結具機器を有し、締結具機器が、Ｕ字型金具と、クリップと、ブラケットと、装着用スタッドと、ひも（line）と、フックおよびループ締結パッチとで構成されたグループから選択されることを特徴とする請求項１に記載の装置。
【請求項５】
前記圧力変形可能な膜の１つが、アクセサリ設備を受けるソケットを含むことを特徴とする請求項１に記載の装置。
【請求項６】
複数の圧力変形可能な膜が、周囲より低い圧力を加えた反射鏡チャンバを画定する２枚の反射膜であることを特徴とする請求項１に記載の装置。
【請求項７】
前記リングが少なくとも１つのアクセス口を有し、前記膜がそれぞれ、装置を材料で充填するために少なくとも１つの口を有することを特徴とする請求項１に記載の装置。
【請求項８】
前記膜の一方が、雨を収集する中心の口を有することを特徴とする請求項１に記載の装置。
【請求項９】
前記中心の口が、収集容器に挿入された導管を有する漏斗であることを特徴とする請求項８に記載の装置。
【請求項１０】
さらに、前記リング支持体の上に取り付ける１つまたは複数の追加のリングを含むことを特徴とする請求項１に記載の装置。
【請求項１１】
さらに、前記リングに取り付けた樋を含み、前記樋が、液体を収集する排出導管を有することを特徴とする請求項１に記載の装置。
【請求項１２】
さらに、安全形体としてしわが寄るよう、前記膜の少なくとも１枚の表面に取り付ける１又は複数の弾性帯を有することを特徴とする請求項１に記載の装置。
【請求項１３】
さらに、前記装置の少なくとも１カ所に取り付けたカバーを含み、前記カバーを収縮できることを特徴とする請求項１に記載の装置。
【請求項１４】
さらに、照準および位置合わせのために配置された十字線を有するパッチを有することを特徴とする請求項１に記載の装置。
【請求項１５】
さらに、
前記リングを支持する半球形中空支持体を含むことを特徴とする請求項１に記載の装置。
【請求項１６】
さらに、前期装置を支持する１又は複数の膨張式線形管を有する支持体を含むことを特徴とする請求項１に記載の装置。
【請求項１７】
さらに、前記リングに取り付けられ、ケトル又は肉焼き器の棒を支持するためにフックまたは尾根部を有する支持体を含むことを特徴とする請求項１に記載の装置。
【請求項１８】
さらに、前記リングに取り付けた安全ケージを含み、前記安全ケージが、折り畳み可能な枠組みを含むことを特徴とする請求項１に記載の装置。
【請求項１９】
さらに、線材トラスを含むことを特徴とする請求項１に記載の装置。
【請求項２０】
前記リングおよび前記膜が、少なくとも４枚のシートの平坦なパターンから形成されることを特徴とする請求項１に記載の装置。
【請求項２１】
少なくとも２枚の膜が、少なくとも１枚の反射膜と少なくとも１枚の透明な膜とを含み、該反射膜と透明な膜が周囲より高い圧力を加えた反射鏡チャンバを画定することを特徴とする請求項１に記載の装置。
【請求項２２】
前記弁がそれぞれ、栓、可撓性目違い継ぎ弁、クランプおよびひもで構成されたグループから選択した閉鎖手段によって閉鎖される可撓管であることを特徴とする請求項２１に記載の装置。
【請求項２３】
さらに、前記リングに取り付けた少なくとも１つのアクセサリ機器を有し、アクセサリ機器が、
１又は複数の取っ手と、
開口付きタブと、
１又は複数の結び用ストラップと、
保存用ポーチと、
装置を安定させるために密度の高い材料で充填する１又は複数のポーチと、で構成されたグループから選択されることを特徴とする請求項２１に記載の装置。
【請求項２４】
透明な膜が、上部に配置されて、中心に配置された第１弁を有し、反射膜が、下部に配置されて、凸凸反射レンズ・チャンバを形成し、リング支持体が第２弁を有することを特徴とする請求項２１に記載の装置。
【請求項２５】
前記リングが、２つの予備形成された半環状部片で作成され、結合された半環状部片の結合部で反射膜および透明な膜に結合されることを特徴とする請求項２４に記載の装置。
【請求項２６】
装置の上半分が、１枚透明な膜から形成され、１枚の反射膜の下半分に結合されて、反射鏡チャンバのおよび前記リング支持体を形成することを特徴とする請求項２１に記載の装置。
【請求項２７】
前記半球形中空支持体を支持する第２支持リングをさらに有することを特徴とする請求項１５に記載の装置。
【請求項２８】
前記圧力変形可能な膜の１又は複数に反射材が設けられることを特徴とする請求項１に記載の装置。
【請求項２９】
少なくとも１つのアクセス口をさらに有することを特徴とする請求項１に記載の装置。
【請求項３０】
内部に中空中心部を含む管状の膨張可能リングを有する支持要素と、
前記リングに配置され、前記リングを膨張させるように操作可能な第１膨張アセンブリと、
前記リングに取り付けられ、前記中空中心部を横切り、前記リングとともに少なくとも１つの膨張可能な反射鏡チャンバを画定する複数の圧力変形可能な膜と、
前記反射鏡チャンバの内部まで延びるように設けられ、前記反射鏡チャンバを膨張させるように操作可能な第２膨張アセンブリと、を備え、
反射材が前記複数の膜のうちの１又はそれ以上に設けられることを特徴とする装置。
【請求項３１】
前記第１膨張アセンブリと第２膨張アセンブリのいずれか又は両方は、弁を有すること
を特徴とする請求項３０に記載の装置。
【請求項３２】
前記弁は、目違い継ぎ具、クランプ若しくはひも具、又は、自動密封タイプ閉鎖機構であることを特徴とする請求項３１に記載の装置。
【請求項３３】
前記リングと中空中心部は円形であることを特徴とする請求項３１に記載の装置。
【請求項３４】
前記リングは、トロイドを形成するように結合された４枚又は６枚のシートを有することを特徴とする請求項３０に記載の装置。
【請求項３５】
前記シートは、強度および弾性率の高い材料からなる２枚の環状外側シートと、強度が高く弾性率の低い材料からなる２つの環状内側部分を含むことを特徴とする請求項３４に記載の装置。
【請求項３６】
前記リングは互いに結合される４枚のシートを有し、前記圧力変形可能な膜は前記トロイドの一部を形成することを特徴とする請求項３５に記載の装置。
【請求項３７】
前記シートは、強度及び弾性率が高い材料からなる２枚の環状外部シートと、強度及び弾性率の高い２つの内側部分を含むことを特徴とする請求項３４に記載の装置。
【請求項３８】
前記リングは互いに結合される６枚のシートを有し、圧力変形可能な膜は前記トロイドに結合されることを特徴とする請求項３４に記載の装置。
【請求項３９】
前記圧力変形可能な膜は前記リングと重なり、リングの周縁部に取り付けられることを特徴とする請求項３０に記載の装置。
【請求項４０】
前記中空中心部に位置する２つの独立した反射鏡チャンバを有することを特徴とする請求項３０に記載の装置。
【請求項４１】
前記反射膜の少なくとも１つは、放物面の形状に予備形成されることを特徴とする請求項３０に記載の装置。
【請求項４２】
前記反射膜の少なくとも１つは、非放物面の形状に予備形成される予備形成されることを特徴とする請求項３０に記載の装置。
【請求項４３】
前記反射膜は予備形成されておらず、前記反射膜の焦点距離は前記反射膜にわたって与えられる差圧の関数として変化することを特徴とする請求項３０に記載の装置。
【請求項４４】
前記反射材は、前記１又はそれ以上の反射膜の上に設けられる反射材料の被膜であることを特徴とする請求項３０に記載の装置。
【請求項４５】
前記反射材は、前記１又は複数の反射膜に一様に組み込まれた反射性粒子を含むことを特徴とする請求項３０に記載の装置。
【請求項４６】
前記反射材料は、前記１又はそれ以上の反射膜に一体的に含まれた導電性ワイヤ又はメッシュであることを特徴とする請求項３０に記載の装置。
【請求項４７】
前記第２膨張アセンブリは、前記リングを通って前記反射鏡チャンバに入ることを特徴とする請求項３０に記載の装置。
【請求項４８】
前記支持要素に取り付けられた１又は複数の膨張可能なリングをさらに備えることを特徴とする請求項３０に記載の装置。
【請求項４９】
前記装置によって定められる焦点又はその近くで物を保持する第１アセンブリをさらに備えることを特徴とする請求項３０に記載の装置。
【請求項５０】
前記第１アセンブリは複数のロッドを有することを特徴とする請求項４９に記載の装置。
【請求項５１】
前記物は容器であることを特徴とする請求項４９に記載の装置。
【請求項５２】
前記物は電磁放射の受信装置であることを特徴とする請求項４９に記載の装置。
【請求項５３】
前記物は、タービン電気装置、熱電気装置又は光電子装置のいずかである電力を発生する装置であることを特徴とする請求項４９に記載の装置。
【請求項５４】
前記物は、電磁光線を放射する装置であることを特徴とする請求項４９に記載の装置。
【請求項５５】
前記物は、導波管への取入れ装置であることを特徴とする請求項４９に記載の装置。
【請求項５６】
液体を捕獲する１又は複数の道具を有する液体捕獲装置を備えることを特徴とする請求項３０に記載の装置。
【請求項５７】
水を集める高放射率表面をさらに備えることを特徴とする請求項５６に記載の装置。
【請求項５８】
前記反射膜の１つに設けられた圧力開放弁をさらに備えることを特徴とする請求項３０に記載の装置。
【請求項５９】
前記リングは、平坦なパターンの少なくとも２つのシートから形成されることを特徴とする請求項３０に記載の装置。
【請求項６０】
前記圧力変形可能な膜は、追加の２枚のシートから形成されることを特徴とする請求項５９に記載の装置。
【請求項６１】
前記圧力変形可能な膜の少なくとも１つは、予備形成されることを特徴とする請求項６０に記載の装置。
【請求項６２】
前記格圧力変形可能な膜は、複数の重なり合うゴアを有することを特徴とする請求項５９に記載の装置。
【請求項６３】
その内部に形成された中空中心部を含む管状の膨張可能なリングを有する支持要素と、
前記リングに接続され、前記リングを膨張させる第１膨張手段と、
前記リングに取り付けられ、前記中空中心部を横切り、前記リングとともに少なくとも１つの膨張可能な反射鏡チャンバを画定する複数の圧力変形可能な膜と、
前記反射鏡チャンバ内へ延びるように設けられ、前記反射鏡チャンバを膨張させる第２膨張手段と、
前記リング又は前記複数の膜の１若しくは複数に設けられ電磁波を反射する手段と、を備えることを特徴とする多機能多目的装置。
【請求項６４】
焦点を定める請求項３０に記載の装置と、
前記焦点に又は該焦点の近くに配置されるマイクロフォンと、を備えることを特徴とするマイクロフォン装置。
【請求項６５】
請求項３０に記載の多目的装置と、
前記多目的装置からの集中され、焦点に集められ、又は、送出された電磁エネルギを受けるように配置された光起電性装置又は熱電気装置と、を備えることを特徴とする電力発生装置。
【請求項６６】
請求項３０に記載された多目的装置と、
前記多目的装置からの集中され、焦点に集められ、又は、送出された電磁エネルギを受けるように配置され、内部に加熱用液体媒質を有するタンクと、
前記タンクに接続され、近傍のタービンへ蒸気を通過させるパイプと、を備えることを特徴とする装置。
【請求項６７】
放射電磁エネルギを集中させ、焦点に集め、反射させ、又は送出する方法であって、
電磁エネルギを集中させ、焦点に集め、又は、送出する多機能多目的装置を設けるステップ（ａ）を含み、
該多機能多目的装置は、
中空中心部を含む管状の膨張可能なリングを有する支持要素と、
前記リングに設けられ、前記リングを膨張させるように操作可能な第１膨張アセンブリと、
前記リングに取り付けられ、前記中空中心部を横切り、前記リングと共に少なくとも１つの膨張可能な反射鏡チャンバを画定する複数の圧力変形可能な膜と、
前記反射鏡チャンバ内へ延びるように配置され、前記反射鏡チャンバを膨張させるように操作可能な第２膨張アセンブリと、を有し
前記複数の膜のうち１又はそれ以上に反射材が設けられ、
前記リングと反射鏡チャンバはそれぞれ膨張状態にされ、
前記方法は、
電磁エネルギ源からの電磁放射を受ける方向に前記装置を配置するステップ（ｂ）と、
前記反射材により前記電磁エネルギ源からの前記電磁エネルギを反射させて、該電磁エネルギを集中させるステップ（ｃ）と、さらに含むことを特徴とする方法。
【請求項６８】
前記電磁放射は、焦点に集められることを特徴とする請求項６７に記載の方法。
【請求項６９】
前記電磁エネルギは太陽からの放射エネルギであり、
前記方法は、太陽からの集中された電磁放射を用いて対象を加熱するステップ（ｄ）をさらに含むことを特徴とする請求項６７に記載の方法。
【請求項７０】
前記電磁エネルギ源は危険な電磁放射を発生し、
対象から離れた電気エネルギ源から発生された電磁放射を反射させることにより、前記対象を保護するステップ（ｄ）をさらに含むことを特徴とする請求項６７に記載の方法。
【請求項７１】
前記電磁エネルギ源は光源であり、前記電磁放射は光であり、
前記方法は、
前記光源から発生し集中させられた光により対象を照らすステップ（ｄ）をさらに含むことを特徴とする請求項６７に記載の方法。
【請求項７２】
前記電磁放射源は電磁放射を送信する送信機であり、
前記方法は、
前記送信機から送信された電磁放射を集中させることにより、送信された信号を高める
ステップ（ｄ）をさらに含むことを特徴とする請求項６７に記載の方法。
【請求項７３】
前記電磁放射は太陽から放射された太陽光であり、
前記方法は、
前記集中された太陽光により光起電性セル装置又は熱電気セル装置にエネルギを与えるステップ（ｄ）をさらに含むことを踏むことを特徴とする請求項６７に記載の方法。
【請求項７４】
少なくとも１つの実質的に管状の膨張可能なリングを有し、中空中心部を画定する支持リングと、
前記支持リングを膨張させる少なくとも１つの手段と、
前記中空中心部を横切り、少なくとも１つの膨張可能な反射鏡チャンバの少なくとも実質的な所定部分を画定する少なくとも２以上の圧力変形可能な膜であり、該膜の少なくとも１つは、放射電磁エネルギを反射する少なくとも１つの手段を有する膜と、
前記反射鏡チャンバを膨張させる少なくとも１つの膨張手段と、
不測に又は予期せずに前記集中された電磁放射にさらされる危険を減らす少なくとも１つの安全手段と、を備えることを特徴とする野外配置可能ポータブル電磁エネルギ集中装置。
【請求項７５】
電磁エネルギ集中装置を操作している時に、不測に又は予期せず集中された電磁エネルギにさらされる危険を減らす方法であって、
野外配置可能電磁エネルギ集中装置を配置するステップ（ａ）を含み、
該野外配置可能電磁エネルギ集中装置は、
少なくとも１つの実質的に管状の膨張可能なリングを有し、中空中心部を画定する支持リングと、
前記支持リングを膨張させる少なくとも１つの手段と、
前記中空中心部を横切り、少なくとも１つの膨張可能な反射鏡チャンバの少なくとも実質的な所定部分を画定する少なくとも２以上の圧力変形可能な膜であり、該膜の少なくとも１つは、放射電磁エネルギを反射する少なくとも１つの手段を有する膜と、
前記反射鏡チャンバを膨張させる少なくとも１つの膨張手段と、
不測に又は予期せずに前記集中された電磁放射にさらされる危険を減らす少なくとも１つの安全手段と、を備え、
野外配置可能電磁エネルギ集中装置のリングと少なくとも１つの反射鏡チャンバは膨張させられ、
前記方法は、
放射電磁エネルギを集中させるために前記野外配置可能電磁エネルギ集中装置を操作するステップ（ｂ）と、
前記少なくとも１つの安全手段を用いて実質的に固定された焦点の近傍に放射電磁エネルギの集中を制限するステップ（ｃ）と、をさらに含み、
該固定された焦点は前記装置により定められることを特徴とする方法。
【手続補正２】
【補正対象書類名】明細書
【補正対象項目名】全文
【補正方法】変更
【補正の内容】
【発明の詳細な説明】
【技術分野】
【０００１】
本発明は概ね放射電磁エネルギを集中、集束かつ送出する機器および製造方法に関する。特に、本発明の好ましい実施形態の１つは、（１）加熱若しくは調理、（２）発電、（
３）無線信号の送信若しくは受信の強化、（４）低照明環境での視野の強化、および／又は（５）光信号または画像の投影のため、無線周波放射線（ＲＦ）から紫外線放射（ＵＶ）を通して太陽エネルギまで、無線周波数放射線（ＲＦ）からの電磁エネルギを集束する一体型膨張式リングによって支持され、圧力で変形可能な反射膜から作成した膨張式放射面反射鏡機器に関する。
【背景技術】
【０００２】
第１の実施形態は、２つ以上の圧力変形可能な膜を使用し、その少なくとも１つは反射性で、中心の反射鏡チャンバを形成し、これは（大部分の用途で必要とされるような）周囲より低い圧力または周囲より高い圧力（sub-ambient or super-ambient pressures）へと膨張させて、反射膜を展開することができる。第２の実施形態は、少なくとも１つの反射膜および少なくとも１つの透明膜を使用して、中心の反射鏡チャンバを形成し、これは周囲より高い圧力にのみ膨張させることができる。本発明は、機器を、（１）水の収集及び／又は保存する、（２）水浮遊機器として使用する、（３）ガーニまたはキャスト（cast）として使用する、（４）軽便な発酵槽装置として使用する、又は（５）音響を指向性増幅するような非電磁性機能に使用できることも想定する。本発明は、本明細書の以下で検討し、機器の使用者には容易に明白になるような他の多数の使用法も想定する。
【０００３】
対象となる関連技術は、様々な電磁エネルギ・ハーネス機器について記載しているが、本発明を開示しているものはない。多くの様々な目的に有用であり、運搬および保管のために膨張式である経済的機器に対するニーズがある。
【０００４】
Wladimir von Maydellその他に対して１９６７年６月２０日に発行された米国特許第３，２３６，６２４号は、宇宙ステーションおよび飛行体のために太陽エネルギを収集するため、宇宙空間で永久的に剛性の構造内に形成することができる膨張式放物面反射鏡について記載している。反射鏡は、弁付き環状リング、半径方向に区分可能なカバーまたは細片ばね、半径方向の加熱線、および反射鏡材料で被覆したポリエステル発泡体が形成された弁付きの二重壁反射鏡を有する。リングおよび反射鏡は剛性の内部スペーサを有する。
【０００５】
Bibb B. Allenに対して１９９９年７月６日に発行された米国特許第５，９２０，２９４号は、第１の実施形態の電磁および太陽エネルギ用途にＭｙｌａｒ（登録商標）を使用するバルーン内に内部張力がある複数コードの取り付け具を有する宇宙アンテナについて記載している。第２の実施形態は、電磁および太陽エネルギ用途にＭｙｌａｒ（登録商標）を使用する膨張式環状支持バルーンの内側で金めっきモリブデンまたはグラファイト金網のアンテナ反射鏡の宇宙船への外部張力があるコート取り付け具を使用する。
【０００６】
Fritz Leonhardtその他に対して１９８２年９月２８日に発行された米国特許第４，３５２，１１２号は、湾曲した凹状表面および中心の開口を有する剛性発泡体裏打ちの個々の膜区画によって裏打ちされた研磨アルミニウム・シートまたはプラスチック・シートの内面を有する大型反射鏡について記載している。凹状または凸状反射鏡として形成された２つの膜を使用して、太陽光を反射し、熱吸収体、熱交換器などに集中させる。
【０００７】
Harold D. Justiceに対して１９６１年３月２８日に発行された米国特許第２，９７７，５９６号は、送信または受信局上の膨張式円形アンテナ・ソーサについて記載している。
【０００８】
Kent M. Mackその他に対して１９６１年１０月２４日に発行された米国特許第３，００５，９８７号は、軟質の不導体シートの２枚の凹状シートおよび構造的レースを有する膨張式の楕円形管状膜支持体を覆うレードームを有し、一方のシートが気化アルミニウムで被覆された膨張式アンテナ・アセンブリについて記載している。
【０００９】
Ralph L. McCrearyに対して１９６２年９月２５日に発行された米国特許第３，０５６，１３１号は、軟質プラスチック材料の２枚の薄い凹状シートを有し、少なくとも一方のシートが放物面形状を有する電磁放射線用膨張式反射鏡について記載している。
【００１０】
Desmond M. Brownに対して１９６５年１１月３０日に発行された米国特許第３，２２１，３３３号は、中間部分に接続され、容量性プレート・アンテナを形成するために平行に装着された２つのアンテナ要素を有する１対の隔置された平行の絶縁平面を含む偏球面バッグ空中線を有する膨張式無線アンテナについて記載している。
【００１１】
Richard J. Koehlerに対して１９６８年１１月２６日に発行された米国特許第３，４１３，６４５号は、一方の面に小さい波動エネルギ開口を、直角の面にこれより大きい波動エネルギ開口を提供する細長い膨張式放物面レーダ・アンテナ・トロイド・アセンブリについて記載している。
【００１２】
Floyd D. Amburgeyに対して１９６９年１０月７日に発行された米国特許第３，４７１，８６０号は、可変表面または軟質表面を有し、その幾何学的形状は、このアンテナ・タイプからの最高の受信を獲得するために軟質膜の背後の空気圧または部分真空によって変更することができる反射鏡アンテナについて記載している。
【００１３】
David N. Ulryに対して１９８７年６月９日に発行された米国特許第４，６７２，３８９号は、膨張式反射鏡装置および製造方法について記載している。圧縮フレーム部材によって維持されたエンベロープ内に周囲より高い圧力が維持される。
【００１４】
Daniel V. Sallisに対する１９８８年５月３日に発行された米国特許第４，７４１，６０９号は、円形フレームに装着した膜を有し、膜に張力を与えるため膨張可能であるブラダーを形成する薄膜の周囲付近に円形状に延びる膜の二重壁部分がある伸張膜ヘリオスタットについて記載している。
【００１５】
Marco C. Bernasconiその他に対して１９８８年７月５日に発行された米国特許第４，７５５，８１９号は、宇宙船用途に意図された放物面形反射鏡アンテナについて記載している。機器は、宇宙で気体によって膨張し、剛化トーラスによって安定させたアンテナ反射鏡およびアンテナ・レードームを形成する。カバー材料は、樹脂を含浸した織物で、これは太陽によって加熱されると重合し、これによって反射鏡アンテナが安定し、その形状を維持するために気体圧力を必要としなくなる。
【００１６】
Takase Mitsuoその他に対して１９９４年１月４日に発行された米国特許第５，２７６，６００号は、ベースと、自身上に形成され、ベース上に被せた高反射性の銀層を有し、２つの層の怠惰に接着層が挟まれている軟質ポリマ・プラスチック基質とによって構成された平面反射鏡について記載している。
【００１７】
Jack V. Millerに対して１９９６年１月２３日に発行された米国特許第５，４８６，９８４号は、光を受ける一方端と、放物面反射鏡の焦点付近で同軸上に配置された光軸に対して発光する反対端とを有する細長い光ファイバ光導波路を有する放物面光ファイバ光導波路照明器具について記載している。
【００１８】
Glenn Bakerその他に対して１９９８年１１月１７日に発行された米国特許第５，８３６，６６７号は、凹状のトロイド形反射表面の光軸から変位しているポイントに配置された電磁放射線源またはアーク灯について記載している。目標は光ファイバである。第２凹状反射鏡を第１反射鏡の反対側に配置して、小さい目標から収集した総束を強化する。
【００１９】
O'Malley O. Stoumenに対して１９９９年４月１３日に発行された米国特許第５，８９３，３６０号は、縁で密封された軟質材料の２枚のシートを有する膨張式太陽炉について記載している。上部シートは透明であり、下部シートは反射層を有する。
【００２０】
Michael L. Schrimmerその他に対して１９９９年９月７日に発行された米国特許第５，９４７，５８１号は、気体を含む気体不透過性膜および独立式照明用ＬＥＤを有する発光ダイオード（ＬＥＤ）で照明したバルーンについて記載している。
【００２１】
David P. Ramerその他に対して１９９９年１０月１９日に発行された米国特許第５，９６７，６５２号および２００１年５月２９日に発行された米国特許第６，２３８，０７７号は、球面扇形にわたる強度分布が調整された電磁放射線を投影する装置について記載している。
【００２２】
Robert Zingaleその他に対して２０００年８月２２日に発行された米国特許第６，１０６，１３５号は、内側に取り付けて懸垂し、ＡＣ光源または光ファイバによって繋ぎ止められた光源を有する膨張式半透明バルーンについて記載している。光源は、内部白熱灯、ＬＥＤ、レーザ、点滅するキセノン・ランプまたはＤＣバッテリでよい。
【００２３】
L. Dwight Gilgerに対して２０００年１１月２１日に発行された米国特許第６，１５０，９９５号は、光電池アレイおよび展開可能な外周部トラスＲＦ反射鏡との組み合わせについて記載している。
【００２４】
John Shipleyその他に対して２００１年４月１７日に発行された米国特許第６，２１９，００９号は、折り畳み式アンテナ反射鏡の膨張式半径方向トラス支持構造への張力を受けたコードおよび固定取り付けについて記載している。
【００２５】
Charles T. Suchyその他に対して１９５６年９月２６日に公示された英国特許出願第７５８，０９０号は、自身内に配置された無線空中線を有する膨張式バルーンについて記載している。
【００２６】
１９５３年１２月２３日に公示されたAdnan Tarciciのフランス特許出願第１，０４８，６８１号は、キャンピング時に調理用に太陽エネルギを集中させる反射鏡について記載している。
【００２７】
１９８４年６月５日に公示されたYasuo Nagazumiの日本特許出願第５９−９７２０５号は、窒素を充填し、放射するアルミニウム・ケーシングと断熱ミラーで画定された気密式チャンバを有する放物面アンテナについて記載している。
【特許文献１】米国特許第３，２３６，６２４号
【特許文献２】米国特許第５，９２０，２９４号
【特許文献３】米国特許第４，３５２，１１２号
【特許文献４】米国特許第２，９７７，５９６号
【特許文献５】米国特許第３，００５，９８７号
【特許文献６】米国特許第３，０５６，１３１号
【特許文献７】米国特許第３，２２１，３３３号
【特許文献８】米国特許第３，４１３，６４５号
【特許文献９】米国特許第３，４７１，８６０号
【特許文献１０】米国特許第４，６７２，３８９号
【特許文献１１】米国特許第４，７４１，６０９号
【特許文献１２】米国特許第４，７５５，８１９号
【特許文献１３】米国特許第５，２７６，６００号
【特許文献１４】米国特許第５，４８６，９８４号
【特許文献１５】米国特許第５，８３６，６６７号
【特許文献１６】米国特許第５，８９３，３６０号
【特許文献１７】米国特許第５，９４７，５８１号
【特許文献１８】米国特許第５，９６７，６５２号
【特許文献１９】米国特許第６，２３８，０７７号
【特許文献２０】米国特許第６，１０６，１３５号
【特許文献２１】米国特許第６，１５０，９９５号
【特許文献２２】米国特許第６，２１９，００９号
【特許文献２３】英国特許出願第７５８，０９０号
【特許文献２４】日本特許出願第５９−９７２０５号
【発明の開示】
【課題を解決するための手段】
【００２８】
本発明の機器は、少なくとも６つの非常に重大な態様にて関連技術より優れている。第１に、本発明の機器は、高度に多機能かつ多目的の性質の結果として、関連技術に対して優れている。本発明の機器のム謔Pおよび第２の実施形態は両方とも、多数の電磁的用途および非電磁的用途を有する。これに対して、関連技術は全てその用途および応用については、これより非常に制限されている。
【００２９】
第２に、本発明の機器は、極端に軽量で、コンパクトに折り畳み可能な構成である結果、関連技術に対して優れ、これによって携帯および保管が大幅に容易になる。一例として、質量が約１２５グラムで、完全に折り畳んだ場合の寸法が９．０ｃｍ×１２．０ｃｍ×１．０ｃｍしかない本発明の機器のポケットサイズのタイプを膨張させて、１２０ｃｍの直径の１次反射鏡を有する完全に展開した機器を生成することができ、これは地上で太陽光線集光機器として使用する場合に、１０００ワットの高度に集中した広域スペクトル放射エネルギを提供することが分かる。したがって、このような機器は、１キログラム当たり約８０００ワットという空前の質量比電力出力を提供できることが分かる。
【００３０】
第３に、本発明の機器は、精密に予備形成した反射膜および他の光学形体の結果として、関連技術に対して優れ、これによって機器の運転安全性が大幅に向上する。特に、予備形成した（関連技術で一般的に使用されているような平面の膜ではなく）放物面反射膜により、機器は比較的短い焦点距離を有することができ（かつ機器をこの焦点距離に制限することができ）、それによって潜在的に危険な高濃度の放射線エネルギの位置に対する使用者の制御を向上させることができる。
【００３１】
また、予備形成した非放物面反射膜を使用して、エネルギ濃度の程度をより安全なレベルに制限することができる。さらに、任意選択の一体型安全ケージおよびカバーを使用することで、高濃度の電磁放射線への偶発的暴露の危険が低下する。
【００３２】
第４に、本発明の機器は、予備形成した反射膜の結果として展開（膨張）がさらに容易になる点で、関連技術に対して優れている。予備形成した反射膜を使用することにより、このような反射膜をはるかに少ない差圧を使用して十分に展開することができ、これによって適切な膨張を促進することが分かる。
【００３３】
第５に、本発明の機器の第１の実施形態は、関連技術の周囲より高い反射鏡チャンバの設計に固有の複数の損失を解消する点で、より効率的である。本発明の機器の第１の実施形態に周囲より低い圧力の反射鏡チャンバを使用することにより、太陽光または他の電磁放射線は、エネルギ源から反射鏡へ、次に目標へと邪魔されずに進行できることが分かる
。したがって、本発明の機器の第１の実施形態により、このようなエネルギが反射鏡へ、および反射鏡から進行しても、放射線の電磁エネルギに損失がない（ゼロ損失）。これに対して、関連技術では太陽光または電磁放射線は、反射鏡へ、および反射鏡からの途中で周囲より高い圧力の反射鏡チャンバの透明膜を通過しなければならず、その結果、複数の損失が生じる。これらの損失には、電磁放射線が反射鏡へ、および反射鏡から進行する場合の反射、吸収および拡散がある。
【００３４】
さらに詳細には、光が反射鏡へと進行するにつれ、光が反射鏡への途中に通過しなければならない透明膜の外表面から、光の一部が反射する。残りの光が透明膜の厚さを通して進行するにつれ、分子の相互作用の結果として追加のエネルギが吸収かつ／または拡散される。次に、残りの光が透明膜の内表面に到達すると、透明膜と反射鏡チャンバ内の気体（通常は空気）との屈折率に差があるので、追加の光が膜を通って反射して戻ってしまう。この３つのプロセスが、ミラーから反射した光で繰り返され、その結果、合計で６つの重大な透過損失になる。さらに、何とか透明膜の通過に成功した光は、透明膜の表面が光学的に不完全であるので、なお望ましくない拡散または分散作用を受ける。最終的に、関連技術の周囲より高い圧力の反射鏡チャンバの透明膜は通常、このような機器の効率を２０パーセント以上低下させるのに寄与する。
【００３５】
第６に、本発明の機器は、極めて単純で高度に一体化した構造の結果、関連技術に対して優れ、これにより機器は非常に経済的になる。関連技術で規定された設計は、本発明の機器について本明細書で規定する高度の一体化も、その結果として生じる構成の構造の単純性も実際に示さないことが分かる。本発明の機器の相対的な単純性は、反射膜を周囲の圧力（および反射鏡チャンバの部分的排気）のみを使用して精密な凹状の放物表面に変形し、その反射膜を凹状に変形できるということに部分的に起因する。これに対して、関連技術は反射膜を凹状に変形するために、複雑な機械的構成または静電システムを使用する。
【００３６】
本文書のこれ以降の部分を読むと、本発明の機器の第１および第２の実施形態は、特に様々な製造方法などの様々な他の方法についても関連技術より優れていることが極めて明白になる。
【００３７】
本発明は、その好ましい実施形態において、圧力で変形可能な複数の膜で作成された軽便な多機能かつ多目的の膨張式放物面反射鏡機器（装置）であり、膜の少なくとも１つは反射性で、（１）加熱および調理、（２）熱的若しくは電気的エネルギの生成、（３）無線信号の送信若しくは受信の強化、（４）低照明環境での視野の強化、および／又は（５）光信号若しくは画像の投影のため、無線周波放射線（ＲＦ）から紫外線放射（ＵＶ）を通して太陽エネルギまで、無線周波数放射線（ＲＦ）からの電磁エネルギを集束する膨張式リングによって支持される。多機能機器は、（１）水の収集及び／又は保存する、（２）水浮遊機器として使用する、（３）ガーニまたはキャストとして使用する、（４）軽便な発酵槽装置として使用する、および／又は（５）音響を指向性増幅するなど、多数の非電磁的機能も提供する。
【００３８】
第１の実施形態は、２つの圧力変形性膜を使用し、少なくともその１つは反射性で、反射膜を展開するために周囲より低い圧力（好ましい）または周囲より高い圧力まで膨張することができる中心反射鏡チャンバを形成する。第２の実施形態は、少なくとも１つの反射膜および少なくとも１つの透明膜を使用して、中心反射鏡チャンバを形成し、これは周囲より高い圧力にのみ膨張させることができる。両方の実施形態とも、安全性を向上させ、動作を容易にするため放物面の形状に予備形成した反射膜を使用する。しかし、予備形成していない、つまり平面の反射膜を使用すると、焦点距離の変化が可能になると想定される。さらに、予備形成した非放物面の、つまり球形、波形、または一連の円錐区画の反
射膜を使用すると、最大の集中程度を制限し、さらに安全性を向上することが想定される。
【００３９】
特定の軽便な機器および装置が、両方の実施形態について図示され、これはさらに、（１）調理、加熱、蒸留、および発電用の広域スペクトル太陽光エネルギの集中および収集、（２）無線信号の受信および送信、（３）屋内、地下および水中環境の照明、（４）水または他の液体の収集および貯蔵、および／又は（５）音響の指向性増幅など、広範囲の有用な用途を容易にするか、可能にする。複数の圧力変形性膜で製品を形成する製造プロセスが開示される。
【００４０】
したがって、非常に軽便で多機能かつ多目的の装置、およびその製造方法を提供することが、本発明の主要な目的であり、これは、典型例では、（しかし、選択的であるが）無線周波放射線（ＲＦ）から紫外線放射（ＵＶ）を通して太陽光放射線まで電磁エネルギを集束する放物面反射鏡として使用するよう構成されるが、無数の他の電磁および非電磁的用途にも使用することができる。本発明の多機能の性質に関して、本発明の特定の（しかし、選択的であるが）目的および利点は、
【００４１】
（ａ）調理、加熱、殺菌、希釈、材料処理のため、および放射熱の適用を必要とする、またはその恩恵を受ける他の目的のために、広域スペクトル（つまり太陽光）放射線を集中させ、任意選択で、例えば高放射率（通常は黒化）エネルギを吸収する外表面を有する太陽炉またはオートクレーブなど、集中した太陽光放射線を吸収するよう特に構成された様々な装具を使用することができる高度に軽便な多機能装置を提供すること、
（ｂ）タービン電気、熱電気および／または光電気機器を使用して電力を生成する軽便な多機能装置を提供すること、
（ｃ）手持ち式計算器などの他の方法では動作できない低電力の光起電性機器を動作させる（または再充電する）ために、街路灯などの相対的に仄暗い光源から放射した光を集中させるために使用することができる軽便な多機能装置を提供すること、
（ｄ）無線、マイクロ波、および衛星通信を増強するか、可能にし、さらに電波望遠鏡の使用を可能にするために使用できる軽便な多機能装置を提供すること、
（ｅ）三日月などの仄暗い光源から放射した可視光を、見るべきオブジェクト上に集中させることにより、暗くなった環境における視覚を向上させる軽便な多機能装置を提供すること、
（ｆ）ロウソクなどの視準していない光を暗い環境へ投光することにより、暗くなった環境における視覚を向上させる軽便な多機能装置を提供すること、
（ｇ）焦点に保持した非視準光源で使用する場合などに、光信号通信を可能にするか、増強し、信号ビーコンを形成する高度に軽便な多機能装置を提供すること、
（ｈ）導波管システムを使用して、全整色可視光（pan-chromatic visible light）（または放射線の他の有用なスペクトル範囲）を捕捉し、屋内、地下、および／又は水中環境に送出して、視覚を向上させるか、または光学画像投影装置などの設備を動作させる軽便な多機能装置を提供すること、
（ｉ）救急用多層保温用毛布、さらに静電および電磁エネルギ・シールドとして働き、人またはオブジェクトを保護することができるが、人またはオブジェクトを赤外線（ＩＲ）カメラから隠すこともできるか、電磁描像または検出機器から他の方法で保護することができる軽便な多機能装置を提供すること、
（ｊ）ガーニまたは膨張式キャストとして使用するなど、人またはオブジェクトの軟質で柔軟性がある支持体として働くことができる軽便な多機能装置を提供すること、
（ｋ）水浮遊機器、ボート、または雪そりとして使用することができる軽便な多機能装置を提供すること、
（ｌ）水、他の液体、および／又は特定の個体材料を捕捉、貯蔵、処理、および／又は分配するために使用することができ、様々な装備（集水リング、樋、漏斗、フィルタ、管
、弁、ポンプなど）を装置に一体式または着脱式に組み込むことができる軽便な多機能装置を提供すること、
（ｍ）夜間に凝集プロセスによって集水するために使用できる高放射率表面（例えば、艶消しの黒い表面）を組み込んだ軽便な多機能装置を提供すること、
（ｎ）発酵槽として使用でき、上述した蒸留機能と組み合わせて、装置が高グレードの燃料、薬品および他の目的のためのアルコールを生成できるようにする軽便な多機能装置を提供すること、
（ｏ）音響の指向性増幅用の軽便な多機能装置を提供すること、および／又は
（ｐ）任意選択で１つまたは複数の圧力変形性で平面の反射膜を組み込み、機器が可変焦点距離を有することができるようにする軽便な多機能装置を提供することである。
【００４２】
本発明の別の典型的な（しかし、選択的な）目的は、携帯性および貯蔵を大幅に容易にし、それによりキャンピング、バックパッキング、ピクニック、ボートこぎ、救急時、災害救助、および高い質量比および／または高い体積比性能が重要である他の状態（地上または宇宙）にとって理想的に適切である高性能装置を提供するよう、極めて軽量で十分に折り畳むことができ、コンパクトに折り曲げることができる多機能装置を提供することである。携帯性および貯蔵性に関して、本発明の特定の（しかし、選択的な）目的は、
（ａ）重量を最低にするために、全体が非常に薄く強度が高い膜で構成された主要構造を有する多機能装置を提供すること、
（ｂ）通常は機器とともに搬送する必要がない加圧気体を使用して膨張可能な（剛化可能およびその他の方法で十分に展開可能な）多機能装置を提供すること、
（ｃ）使用していない場合に体積を最小にするため、十分に折り畳むことができ、コンパクトに折り曲げることができる多機能装置を提供すること、
（ｄ）重量および収容時の（展開していない）体積が非常に小さいので、地上で広域スペクトル太陽光集光装置として使用する場合に、それぞれ１キログラム当たり約８０００ワットおよび１立方メートル当たり１０メガワットという非常に高い質量比および体積比性能を生じる多機能装置を提供すること、および／又は
（ｅ）膜材料から作成され、ジプロック（登録商標）タイプ(即ち、目違い継ぎ(tongue-and-groove))、クランプタイプまたは結びつけタイプ（clamped or tied）、または自動密封タイプ（self-sealing）の閉鎖機構を含む極めて軽量でコンパクトな膨張弁を有する多機能機器を提供することである。
【００４３】
本発明のさらに別の典型的な（しかし、選択的であるが）目的は、運転、輸送、および貯蔵の安全性が向上した他機能装置を提供することである。安全性に関して、本発明の特定の（しかし、選択的であるが）目的は、
（ａ）焦点の周囲に物理的バリアを形成し、それによって潜在的に危険な濃度の電磁放射線に偶発的に暴露することを防止する一体安全ケージを有する軽便な多機能装置を提供すること、
（ｂ）機器を使用していない場合に、放射線が反射膜に当たるのを防止し、それによって潜在的に危険な濃度の電磁放射線が焦点に形成するのを防止し、したがってそれに偶発的に暴露する危険を防止する一体安全カバーを有する軽便な多機能装置を提供すること、
（ｃ）十分展開（加圧）していない場合は反射膜を歪曲し、それによって意図的でない潜在的に危険な濃度の電磁エネルギの形成をこの場合も防止する一体反射鏡のしわ寄せ機構を有する軽便な多機能装置を提供すること、
（ｄ）機器を短い焦点距離に制限し、それによって焦点に高度に集中したエネルギの位置に対するオペレータの制御を大きくすることにより、安全性を向上させる予備形成放物面反射膜を有する軽便な多機能装置を提供すること、および／又は
（ｅ）エネルギ集中の程度をより安全なレベルに制限する予備形成非放物面反射膜を有する軽便な多機能装置を提供することである。
【００４４】
本発明のさらに別の典型的な（しかし、選択的であるが）目的は、展開および運転がさらに容易になる軽便な多機能装置を提供することである。使用の容易性に関して、本発明の特定の（しかし、選択的であるが）目的は、
（ａ）取っ手、開口付きタブ、ひも（tie）、計量および保存用ポーチ（特に軽量、コンパクトで、機器を構成する膜の延長部から作成できるもの）などの様々な一体の固定および保存用形体を有する装置を提供すること、
（ｂ）Ｕ字型金具（clevises）、クリップ、ブラケット、ソケット、フックおよびループ・パッチなどの様々な一体アクセサリ・ハードウェア取り付け機器、および他の一般的な締結機構を有する装置を提供すること、
（ｃ）例えば、膨張式の調節可能な２脚支持体、積み重なった膨張式テーパ状支持体／レベリング・リング、又は別個の任意選択の膨張式（浮遊）支持リング付きの膨張式半球形装着要素などの機器を支持し、配向する様々な軽量で軽便な機構を有する装置を提供すること、
（ｄ）焦点で、またはその付近で様々な品目および／または装備を保持し、折り曲げ可能な多目的肉焼き器／ケトル支持体、折り曲げ可能な多脚焦点支持体および／または膨張式焦点支持体を含む軽量で軽便な機構を有する装置を提供すること、
（ｅ）平面の反射膜を使用する機器より非常に低い差圧を膜全体に使用して十分に展開することができ、それによって適切な膨張を容易にする、予備形成されて（pre-formed）圧力変形可能な反射膜を有する装置を提供すること、
（ｆ）電磁気源および／または目標との位置合わせを容易にするか、他の目的で機器を位置合わせするため、視覚的位置合わせガイド、傾角計、レベル、および／又は磁気コンパスなどの一体配向および位置合わせ形体を有する装置を提供すること、
（ｇ）手動または自動制御されるルーバーまたは虹彩絞り機構などの光／熱強度制御器を有する装置を提供すること、および／又は
（ｈ）光電池、電気ポンプ、ファン、ドライバ、タイマ、サーモスタット、制御器、および他の有用な機器を含むが、それに制限されない様々な用途を容易にするため、一体しきまたは別個に取り付けた様々な電子および／または機械的要素を有する装置を提供することである。
【００４５】
本発明のさらに別の典型的な（しかし、選択的であるが）目的は、より効率的である軽便な多機能装置で、２つの圧力変形可能な膜を使用して周囲より低い圧力の凹凹反射鏡チャンバ構成を形成し、それによって光が焦点へ、または焦点からの途中に少なくとも１回は透明膜を通過しなければならない周囲より高い圧力の反射鏡チャンバを使用する機器に固有の複数の損失が解消される装置を提供することである。
【００４６】
本発明のさらに別の典型的な（しかし、選択的であるが）目的は、極めて単純で高度に一体化された構造のおかげで高度に経済的であり、したがって日常的な使用にも教育目的にも普遍的に使用可能になる軽便な多機能装置を提供することである。経済性に関して、本発明の特定の（しかし、選択的であるが）目的は、
（ａ）製造工具および処理を大幅に単純化し、それによって製造費を削減する平坦なパターンの製造方法を使用して、薄く強度および（好ましくは）弾性率が高い材料の複数（概ね４枚以上）のシートから作成した装置（第１および第２の実施形態）を提供すること、および
（ｂ）単純で十分に確立された製造プロセスを使用して、強度が高い市販の材料のわずか２枚のシートから製造することができる装置（第２の実施形態）を提供することである。
【００４７】
本発明のさらに別の典型的な（しかし、選択的であるが）目的は、落下耐性または他の損傷耐性が高い軽便な多機能装置を提供することである。落下／損傷耐性に関して、本発明の特定の（しかし、選択的であるが）目的は、
（ａ）１つの反射鏡チャンバが損傷した場合、機器がなお動作可能であるよう、１つまたは複数の重複（redundant）反射鏡チャンバを有する装置を提供すること、および／又は
（ｂ）装置を意図的に落下（例えば、空中投下）または意図せずに（つまり偶発的に）落下させることができ、それでもかなりの損傷がないよう、主に非常に軟質の材料で構築した装置を提供することである。
【００４８】
本発明のさらに別の目的は、装置の動作に燃料を必要としないということから環境に優しい軽便な多機能装置を提供することである。燃料の代わりに、本発明はもっぱら放射する太陽エネルギを使用し、それによって空気、水または土壌の汚染を引き起こさず、これは一般的に炭化水素燃料の燃焼に頼り、したがって必然的に燃焼プロセスと燃料の漏れとの両方を通して汚染を引き起こす他の一般的な軽便な調理および加熱設備とは全く対照的である。
【００４９】
上述の目的のために、安価で信頼でき、所期の目的を達成する際に十分に効果的である改良型の要素およびその配置構成を提供することが、本発明のさらなる目的である。
【００５０】
本発明の以上およびその他の目的は、以下の明細書および図面をさらに再検討することにより、容易に明白になる。
【発明を実施するための最良の形態】
【００５１】
本発明の好ましい実施形態によると、基本的機器は、放射性電磁エネルギを集中、集束かつ送出するタイプの装置であり、これは少なくとも２枚の圧力で変形可能な膜を組み込むことによって放射エネルギを操作し、膜の少なくとも一方が反射性で、膨張したトロイド（ドーナツ形体）またはリングで支持しなければならない。機器は、無線周波数（ＲＦ）から紫外線（ＵＶ）を通して広範囲の電磁スペクトルにわたって効果的である。この高度に多機能の機器は、無数の非電磁用途にも適用可能であることに留意されたい。
【００５２】
図１から図４９Ｌで示した基本的機器の好ましいstyle='text-underline:words'>第１の実施形態は、周囲より低い圧力まで膨張して、膨張式トロイドまたはリングによって支持された凹凹反射鏡構成を形成する膨張式圧力エンベロープ（反射鏡チャンバ）の部分であり、９０％を超える実効効率、および１０，０００倍以上日光を集中させる能力を有する少なくとも１枚の反射膜を有する。図５０Ａから図５７Ｇで示した基本的機器のstyle='text-underline:words'>第２の実施形態は、少なくとも１枚の反射膜および少なくとも１枚の透明膜を有して、周囲より高い圧力まで膨張させて膨張式リングによって支持された凸凸レンズ構成を形成する圧力エンベロープ（反射鏡チャンバ）を有する。この実施形態は、７５〜８５％の実効効率を有する。両方の実施形態について、異なる数の部片を結合することにより膜およびリング支持体を製造することを示す。機器の両方の実施形態は、十分に確立された製造プロセスを使用して市販の材料から製造できることに留意されたい。さらに、style='text-underline:words'>第１の実施形態について示した様々な用途の大部分は、words'>第２の実施形態にも当てはまる。
【００５３】
図１および図２では、反射膜のみを有する第１の実施形態１０を、円形の断面を有し、上前側の弾性反射膜１４および下後側の重複（redundant）弾性反射膜１６を支持するトロイドまたはリング状支持要素１２として図示する。図は、支持要素１２が円形であることを示す。しかし、本発明は、六角形、正方形、長方形、楕円形などの断面形状を有するものなど、他のタイプの支持体を使用して実践できることが分かる。膜１４は、反射鏡チャンバを膨張させる膨張手段の一例として、中心に配置された膨張弁１８を有する。膨張式トロイド形支持構造１２は、支持リングを膨張させる膨張手段の一例として、膨張して剛性リングを形成するための気体弁１８も有する（リング状支持体および中心の反射鏡チ
ャンバを別個に膨張するため、２つの弁が図示されている）。
【００５４】
反射膜１４および１６は、安全目的で短い焦点距離を提供し、反射膜１４および１６を十分に変形して滑らかにするのに必要な差圧を減少させるために、（製造中に）放物面の形状に予備形成する。しかし以下で示すように、本発明は、反射膜１４および１６にわたって加える差圧の関数として可変焦点距離を提供することができる機器を生成するため、平面状（予備形成されていない）膜を使用して実践することができる。
【００５５】
反射膜１４および１６は、トロイド状支持構造の内部分との組み合わせで、二重の放物面凹凹反射鏡構成の反射鏡チャンバ２０を提供する。トロイドを形成する一例として、トロイド１２を形成するためのシーム２２が図示されている。膜１４、１６をトロイド１２に接着剤または熱で結合する。あるいは以下で示すように、反射膜およびトロイド要素は、各側で１つの部片でよい。膜１４、１６は、例えば、Ｍｙｌａｒ（登録商標）、つまりポリエチレンテレフタレート・プラスチック組成から作成する。反射表面２４は、膜１４、１６の外側を蒸着アルミニウムおよび同様の反射性材料で被覆することによって設ける。プラスチックの反射膜は、均質に組み込まれた反射性粒子を有するか、一体の導電性ワイヤまたは網を含むことができる。
【００５６】
トロイド１２は、ビニルなどの高張力が可能な材料（つまり高い強度および低い弾性率を有する材料）から作成し、これはトロイド・リング構造の十分な膨張を妨げないよう、平坦な環状シートから製造したトロイドの内部分が十分に緊張（伸張）できるようにするために必要である。
【００５７】
図３Ａおよび図３Ｂで示すように、太陽放射線２８の焦点２６の調節は、反射鏡チャンバ２０内の膨張圧を増大させ、焦点距離３０を延長することによって示される。
図４は、重複（redundant）反射鏡チャンバを形成するために、２つの反射性外膜と、非反射性の中心膜１５とを有する第１の実施形態を示している。
【００５８】
図５は、安定した位置を組み込み、他の要素を取り付けるためにトロイド１２に追加することができる付属物を示す。１対の取っ手３２を、トロイド１２の側部の正反対に配置する。保管時などに吊り下げるため、開口付きタブ３４を、側部の取っ手３２間に等距離で設ける。１対の吊り下げ用ストラップ３６を開口付きタブ３４の両側に取り付ける。すぼめて折り曲げた装置１０を保存するため、保存用ポーチ３８を設ける。直立した装置１０を安定させるための高密度材料で充填するため、１対の底部ポーチ４０を設ける。
【００５９】
図６は、反射膜１４用でもある弁の例として、トロイド１２上に一体化した栓（plug）４４を有する軟質プラグ弁４２を示す。これらの弁は、高さが低い弁でもよく、シールの完全性を向上させるためにねじ込めることが分かる。図７Ａは、トロイド１２上に従来の目違い継ぎジプロック（登録商標）部分（ziplock  portion）４８がある目違い継ぎジプロック（登録商標）・タイプの弁４６を示す。図７Ｂは、クランプ（clamp）またはひも（tie）５２によって閉鎖するよう締め付けられた弁５０を示す。
【００６０】
図８は、支持体５６を結びつけるＵ字型金具、シャックル、クリップ、またはブラケット（bracket）５４、および他の要素を取り付けるフックおよびループ締結パッチ５８および装着スタッド（mounting stud）６０などの、第１主要装置の実施形態１０上にある様々な取り付け機器を示す。中心に配置されたソケット６２は、上前側反射膜１４にアンテナ６４を挿入するため図示されている。
【００６１】
図９は、水を担持するか錘材（weights）を加えるための４つ（または他の任意の数）の口を加えることにより、装置６６を形成するよう改造された第１の実施形態の装置１０
の異なる使用法を示す。反射鏡チャンバ２０に突き当たるトロイド１２の内部口６８によって、水がトロイド１２から反射鏡チャンバ２０に流入することができる。トロイド１２および上膜１４上の比較的大きい荷重カバー（loading cover）７０を、正方形、長方形または円形として形成し、７２で蝶番接続し、周囲のフックおよびループ締結具（fastener）５８（または他の任意のタイプの締結具）によって締結して閉鎖する。
【００６２】
図１０は、排水を容易にするよう上膜１４の中心に配置して、流出する雨７８を反射鏡チャンバ２０へと通す出口ダクト７６、つまり改造した弁および／または漏斗状に形成した膜を有する採雨装置７４を示す。
【００６３】
図１１は、改造された採雨装置８０を示し、ここでは中心に配置された漏斗８２が下膜１６を通過して導管８４および収集容器８６へと至る。この構成によって、器具は様々な動作モード間、つまり採雨と調理との間で迅速に変換することができる。この構成は、使用者が対向する反射膜１４と１６に含まれる漏斗／弁の対向する対を接続することによって組み込めることに留意されたい。採雨（または本出願で述べる他の任意の目的）のために装置の容積を増加する必要がある場合は、追加のリング１２を使用して、壁の高さを増加させることができる。
【００６４】
図１２は、必然的にではないが一般的に比較的小さい直径を有し、膨張してトロイド１２の頂部に取り付けられる追加の膨張した収集リング９０を有する装置８８で雨水Ｒまたは他の液体を収集することを示す。したがって、リング９０は集水容積を増加させる。これは、衝撃の水はねによる損失を減少させ、特に傾斜した表面（丘）または動作する表面（揺れる船舶の甲板）に配置した場合に、漏れを減少させる。
【００６５】
収集リング９０の大径は、有効捕捉面積を増加させるために拡大することができる。液体収集（またはリング９０の直径方向に延びる棒上の焦点で品目を支持するなど、本出願で述べる他の目的）のために装置の外部体積を増加させる必要がある場合は、追加の収集リング９０を機器に取り付けて、壁の高さを増加させることができる。液体貯蔵のために装置の容積を増加させる必要がある場合は、追加のトロイド支持構造リング１２を、反射膜１４、１６間で機器に組み込むことができる。
【００６６】
図１３は、周囲の樋９６で水９４を収集し、導管８４を介して水を収集容器８６へと排出する装置９２を示す。周囲の樋９６はトロイド１２の外縁に配置することができ、トロイド１２を有する膜の延長部から製造できることに留意されたい。
【００６７】
図１４Ａおよび図１４Ｂは、表面を歪曲することにより、装置１００が潜在的に危険な濃度のエネルギを生成するのを防止するため、安全ファクタとして膜１４、１６にゴムなどの幾つかの円形弾性帯９８を追加することを示す。図１４Ｂは、隔置されたプラスチック細片１０２によって反射鏡チャンバ内に固定されている弾性帯９８を示し、これは反射膜の内表面に熱またはその他の方法で結合される。
【００６８】
図１５は、トロイド１２の取り付けポイント１０８まで巻き上げることができる円形のプラスチック・カバー１０６を有する装置１０４を示す。カバー１０６は、任意選択でフックおよびループ・パッチを有し、巻き上げ状態または展開状態で保持できるようにすることが可能である。カバーの目的は、ミラーを保護し、使用していない場合に意図的でない危険なエネルギの集中を防止することである。
【００６９】
図１６は、装置１１０と電磁気源との位置合わせを補助するため、一対の字線形部材（cross-hair configured member）１１４、さらに別の一対の部材１１４をトロイド１２内に有する中心の透明なパッチ１１２を、両方の膜１４、１６に挿入するよう改造された装
置１１０を示す。
【００７０】
図１７は、第１主要装置の実施形態１０が内部に横たわった、ゴア（gores）１２２から作成された半球形の装着および安定化構成要素１２０を支持する膨張したベース・リング１１８を有する衛星皿形受信装置１１６を示す。この装置１１６は、衛星通信の受信に使用する場合は、付属の受信器（図示せず）を必要とすることがある。反射鏡を複数のゴアで作成してもよいことが分かる。
【００７１】
他の支持方法には、半球形の装着具を砂に掘るなどして地面の窪みに納めること、またはソースおよび／または目標へと適切に配向するため、機器を傾斜するために使用する複数のテーパ状支持リングなどがある。道央に、支持リングは、傾斜面又は丘の上に機器を設置する場合に、支持リングは水平化機能も与える。
【００７２】
図１８は、個々の気体膨張弁１８で膨張可能な区画１２８を有する２本の支持管１２６によって第１主要装置１０を支持する、膨張可能で高さが調節可能な２脚支持構造１２４を示す。したがって、これらの支持管１２６は、各支持管の各区画に挿入する空気の量を制御することにより、でこぼこの大地に配置するために高さを調節可能である。支持管１２６は、図５で示すように吊り下げストラップ３６によって、または任意の他のよく知られている締結手段によって傾斜した装置１０の頂部に結びつけられる。支持管１２６の反対側の端部は、管を保管したり、管を重くして装置１２４を安定させたりするためのポーチ１３０を有する。装置の位置を維持するために、コード１３２を各管１２６および装置１０の底部に取り付ける。
【００７３】
図１９Ａおよび図１９Ｂはそれぞれ、トロイド１２に重なるサイズ超過の反射膜１４、１６を有する、膨張していない平坦なパターン１３４または膨張した装置１３６を示す。膨張させるために必要な弁を設置する。この膨張した装置１３６は、本発明の他の機器の多くと同様、給水船として、または雪で覆われた斜面（図示せず）を滑り降りるために使用することができる。
【００７４】
図２０は、人の耳（図示せず）を焦点に配置するか、ポケット１４４に収容したシャフト１４２上のマイクロフォン１４０を前側反射膜１４の中心に配置することにより、囀る鳥１３８などの遠方の音を聞くために使用する第１の実施形態の機器１０を示す。
【００７５】
図２１は、コンピュータ１５２などのブラウン管を含む機器または漏れ出る電子レンジ１５４から漏れる危険な電磁線１５０に近接しなければならない人１４８（影で図示）を保護する電磁エネルギ・シールド１４６として使用する第１の実施形態の機器１０を示す。この保護は、機器が膨張しているかに関係なく提供される。
【００７６】
図２２は、人１４８が反射した体熱によって自身を暖めるため、救急用保温性床または毛布１５６として使用する第１の実施形態の機器１０を示す。毛布１５６は人１４８に巻き付けることができる。この場合も、この機能を達成するために、機器を膨張させる必要はない。機器は、負傷した人を支持するガーニまたはキャスト（cast）として使用できることを、さらに記しておく。
【００７７】
図２３は、太陽放射線２８または月の放射線を使用して、機器１０に取り付けたトラス支持体１６８によって支持された導波管取り入れ機器１６６から太陽放射線２８を受ける光ファイバ・ケーブル１６４を通して太陽放射線２８を伝達することにより、建物１６２の内側の投影器スクリーン１６０に画像を投影する光学画像投影器１５８に照明を提供する第１の実施形態の機器１０を示す。
【００７８】
図２４は、４本のケーブルまたは棒１８２によって焦点に固定されたアンテナ１８０から無線周波数およびマイクロ波放射線１７８を受けるために、ブレース１７６によって支持され、周囲より高い圧力の大気１７４中に設置された第１の実施形態の機器１０を含む宇宙空間（outer space）１７２の透明な球１７０を示す。
【００７９】
図２５は、第１の実施形態の装置１０から反射し、最初にナトリウム・ランプ街灯１８６から受けた放射線によって通電／再充電された手持ち式計算器１８４などの低電力光起電力機器を示す。
【００８０】
図２６は、海１９０上で船舶１８８に収容され、太陽光放射線２８を反射して、導波管光取り入れ機器１６６および光ファイバ・ケーブル１６４内に集中させ、ダイバー（図示せず）が使用する水中のランプ１９２を照明する第１の実施形態の機器１０を示す。
【００８１】
図２７は、太陽光放射線２８を受け取り、放射線を導波管取り入れ機器１６６、光ファイバ・ケーブル１６４、および個々のランプ１９２に伝達することにより、高層建築１９６の部屋１９４を照明するために第１の実施形態の機器１０を使用することを示す。
【００８２】
図２８は、暗がりで約４５フィート（１３．７ｍ）離れた位置にある書物２００を読むために、点灯したロウソク１９８からの照明を集束する第１の実施形態の機器１０の使用を示す。
【００８３】
図２９は、三日月２０４からの月の放射線２０２で書物２００を読めるようにする第１の実施形態の装置１０を示す。この方法でコンパスや地図も読むことができる。
【００８４】
図３０は、第１の人２０８が操作する懐中電灯２０６からの光信号を伝達して、モールス信号の知識がある第２の人２１４が観察している遠くの樹木２１２または同様の不透明なオブジェクトに視準光の像２１０を投影することを示す。光源を覆って信号を伝達することにより、例えば、ロウソク、マッチおよびタバコ用ライタなどの他の光源で、置換することができる。
【００８５】
図３１は、装置の焦線に膜１４の中心のポケット１４４に固定し、中心に配置したアンテナ２１８を追加し、通常は範囲から外れた送信局２２０からの信号を受信することにより、放物面無線周波数（ＲＦ）またはマイクロ波受信機器２１６を形成する、第１の実施形態の装置１０の改造を示す。機器は、送信範囲を拡張し、無線通信を強化するために使用することもできる。
【００８６】
図３２は、塔２２４の高所にあって、これを通る導管２２６を通過して建物に入り、再加熱するために塔へと戻る水または空気を含む黒いタンク２２２に集束する太陽放射線２８によって建物を暖房する第１の実施形態の機器１０を示す。
【００８７】
図３３は、単独で、または第２機器１０と協力して、寒冷気候中にキャンプファイア２３０から放射した熱によって当たる人２２８を暖める第１の実施形態の機器１０の使用を示す。反射膜上に電磁放射線をフィルタリングかつ／または反射する伝導性メッシュを使用してよいことが分かる。
【００８８】
図３４は、紙、木材などの可燃性材料２３２を太陽放射線２８によって点火するために第１の実施形態の機器１０を使用することを示す。
【００８９】
図３５は、機器２３４を第１の実施形態の機器１０の焦点に配置した場合に、第１の実施形態の機器１０によって太陽放射線２８を集束することにより光電池機器２３４に通電
することを示す。
【００９０】
図３６は、第１の実施形態の機器１０によって太陽放射線２８を集束することにより熱電電池機器２３６に通電することを示す。導電線２３８が、電力を必要とする任意の機器に通電する。
【００９１】
図３７は、加熱用液体媒質２４６を有する黒いタンク２４４へとパイプ２４２から流入する水などの液体２４０を太陽放射線２８によって加熱し、流出用パイプ２５２を通って近傍のタービン（図示せず）へと通過するためにコイル２５０内に流出蒸気２４８を生成して、電力を生成する第１の実施形態の機器１０の使用を示す。
【００９２】
図３８は、産業製品２５６を生産し、ある距離でトラス支持体１６８によって支持された黒い熱反応容器２５４へと、放射した太陽放射線２８を集中させることによって熱を提供するために使用されている第１の実施形態の機器１０を示す。反応した製品を移送するためのパイプ類は省略されている。反応は、バッチ・モードまたは連続モードで操作できることが分かる。
【００９３】
図３９Ａは、太陽放射線２８を使用することによって液体２５８を蒸留するために使用する第１の実施形態の機器１０を示す。液体を含むフラスコ２６０を、コイル状の蒸留管２６２に取り付ける。コイル状の蒸留管２６２は、頂部が開放しており、凝集した液体を導管８４を通して図１１のように収集容器８６に蓄積する。
【００９４】
この機器は、太陽熱オートクレーブ装置または発酵装置として使用することもできる。前者の使用法では、機器を使用して医療用、歯科用、または他の装置を殺菌することができる。図３９Ｂで示す発酵装置として、機器はカバー８５を有し、圧力解放弁８７または嫌気性空気ロック（anaerobic air valve）を有することができる。
【００９５】
図４０は、肉焼き機器（rotisserie device）２６８を支持するよう構成され、取り付けられた４本のアーチ状の棒２６６を有する調理機器２６４に組み込まれた第１の実施形態の機器１０を示す。棒２６６は、ケトル２６２などの他の調理用品を支持するため、一連のフックまたはぎざぎざ２７０を有する。第１の実施形態の機器１０は太陽放射線によって通電される。装置は膨張式肉焼き器としても使用できることが分かる。
【００９６】
図４１は、危険な濃度の太陽放射線に偶発的に暴露することから自身を保護するため、展開および折り畳み可能な安全ケージ２７４を形成するよう使用される第１の実施形態の機器１０を示す。安全ケージ２７４は、複数の、例えば９本の剛性金属またはプラスチックの半円形支持脚２７６を有し、これは端部が機器１０の１対の対向するピン継ぎ手２７８に取り付けられ、各支持脚２７６を隔置するよう取り付けられた複数の可撓性金属またはプラスチック・ケーブル２８０によって安定した状態で保持される。
【００９７】
図４２は、第１の実施形態の機器１０の３つのピン継ぎ手２７８に取り付けた棒で構成され、焦点に固定されて電磁放射線受信機器２８４を支持する３脚支持体２８２を示す。機器２８４は、導電線２３８によって受信器の表示機器２８６に接続される。
【００９８】
図４３は、トロイド１２用の第１弁１８があるが、トロイドを通過して反射鏡チャンバ２０に入る延長第２弁２８８で改造された第１の実施形態の機器１０を示す（この延長第２弁２８８は、反射鏡チャンバを膨張させる膨張手段の別の例である）。
【００９９】
図４４は、複数のゴア（gores）１２２（図１７）から作成した代替トロイド２９０を示し、反射鏡膜は省略されている。
【０１００】
図４５Ａから図４５Ｃは、４枚または６枚の異なるプラスチック層のシートから平坦なパターンで作成された第１の実施形態の機器１０の第１種２９２を示し、円形はシームまたは結合部２２を示す。第１種による６層で構成された図４５Ｂの第１亜種２９３では、トロイド１２が、Ｍｙｌａｒ（登録商標）などの強度および弾性率が高い材料２９４の２枚の環状外部シートから形成される。トロイド１２の内部環状部分２９６は、反射鏡チャンバ２０の内側が平坦である場合に配置され、ビニルなどの弾性率が低く強度が高い材料から形成される。弾性率が低く強度が高い材料は、トーラスが十分に膨張するのを妨げないよう十分に緊張（伸張）する能力を有する。反射鏡チャンバ２０を形成する円形の反射膜１４、１６は、Ｍｙｌａｒ（登録商標）をアルミニウム、金などで被覆して作成する。４つの層しかない図４５Ｃの第２亜種２９５では、反射膜１４、１６は円形であり、トロイド１２の一部を形成する。
【０１０１】
第２種２９８は、図４６Ａで示したような平坦なパターンから形成する４枚または６枚シートの構成の第１種に類似した膨張構造を有する。内部環状シート２９４は、ここでは平坦になったトロイド領域１２の内側にある。図４６Ｃおよび図４６Ｄの第２および第３亜種３０２および３０４ではそれぞれ、４枚のシートしか使用しない。第２亜種３０２では、反射鏡膜１４、１６は、トロイド１２の外側部分も形成する。第３亜種３０４では、反射鏡膜１４、１６はトロイド１２の内側部分を形成している。このような平坦なレイアウトのパターンにより、特定の状況で最適となる機器１０の反射鏡表面積の量に融通性を与えることができる。
【０１０２】
図４７Ａで示した第３種３０６では、図４７Ｂから図４７Ｅが、６、８または１０枚シートの平坦なレイアウトのパターンをベースとしている。図４７Ｂの第１亜種３０８では、トロイド１２は、２枚の外部環状シート３１０、２枚の中央環状シート３１２、および２枚の内部環状シート３１４を有する６枚のシートで構成される。反射膜１４、１６が８枚シートの構造３０８を完成させる。図４７Ｃの第２亜種では、反射膜１４、１６がそれぞれ上表面および下表面を構成し、６枚シートの平坦なレイアウトの構造３１６を形成する。図４７Ｄは、第３亜種のような６枚シートの平坦なレイアウトの構造３１８を示し、ここでは反射膜と中央環状シートを組み合わせる。図４７Ｅは、前述した亜種のいずれかのトロイド部分１２にさらに２つの環状端層３２２を追加することに基づく第４亜種３２０であるが、図４７Ｃの８枚シートのレイアウトのパターンを改造して、１０枚シートのレイアウトのパターンを形成するよう図示されている。
【０１０３】
図４８Ａから図４８Ｄは、全ての亜種についてシートを４枚しか使用せず、十分に、または部分的に予備形成した状態で第４種３２４を示す。図４８Ａは、第４種の第１亜種３２４を表している。この第１亜種３２４では、反射膜１４、１６を、style='text-underline:words'>完全に予備形成した部片２個のトロイド要素１２に取り付ける。図４８Ｂで示す第２亜種３２６は、部分的に予備形成された膜１４および１６を有し、その結果、反射鏡チャンバ２０が制限される。また、トロイド１２は、部分的に予備形成されて断面が楕円形（oval）の構成３２８を有する。図４８Ｃの第３亜種３３０は、断面が円錐形の外部先端３３２を有し、バイアス付与された予備形成トロイド要素１２を有する。図４８Ｄの第４亜種３３４は、トロイド要素１２の予備形成した内部分と、断面が予備形成されていない、または平坦にした外端部３３６を有する。
【０１０４】
図４９Ａは第５種の第１亜種３３８であり、六角形の断面３４０を有する支持リングまたはトロイド１２を形成する８枚のシート、および反射チャンバ２０を画定する反射膜の２枚のシート１４、１６を有する第１の好ましい実施形態の機器１０の３次元代替構造を示す。この追加の亜種は、予備形成しないで膜の曲がり・ゆがみ（buckling）を最小にすることで、より剛性のある構造を提供する。
【０１０５】
図４９Ｂは第５種の第２亜種３４２であり、５枚のシートを有し、そのうち３枚が三角形の断面３４４を有する支持リング１２を形成する第１の実施形態の機器１０の３次元代替構造を示す。
【０１０６】
図４９Ｃは第５種の第３亜種３４６であり、６枚のシートを有し、そのうち４枚が正方形または長方形の断面３４８を有する支持リング１２を形成する第１の実施形態の機器１０の３次元代替構造を示す。
【０１０７】
図４９Ｄは第５種の第４亜種３５０であり、６枚のシートを有して、断面が四辺形３５２の支持リング１２を形成し、これが長さの等しい傾斜した上辺および下辺、および長い方の内辺に平行で垂直の外辺を有する第１の実施形態の機器１０の３次元代替構造を示す。
【０１０８】
図４９Ｅは第５種の第５亜種３５４であり、７枚のシートを有し、そのうち５枚が五角形３５６を有する断面の支持リング１２を形成して、その長さの等しい傾斜した外側シートが、垂直の内部シートに取り付けた２本の水平で平行な辺に取り付けられた第１の実施形態の機器１０の３次元代替構造を示す。
【０１０９】
図４９Ｆは第５種の第６亜種３５８であり、９枚のシートを有し、そのうち７枚は七角形３６０を有する断面の支持リング１２を形成して、これが三角形の外側形状、２つの長さが等しい上辺および平行な下辺、および垂直の内辺を有する第１の実施形態の機器１０の３次元代替構造を示す。
【０１１０】
図４９Ｇは第５種の第７亜種３６２であり、６枚のシートを有し、そのうち４枚が四辺形３６４の断面の支持リング１２を形成し、これが三角形の外側形状および三角形の内側形状を有し、外側の三角形の方がより円錐形である第１の実施形態の機器１０の３次元代替構造を示す。
【０１１１】
図４９Ｈは第５種の第８亜種３６６であり、７枚のシートを有し、そのうち５枚が断面に五角形３６８を有する支持リング１２を形成し、内側部分が三角形であり、外側シートが水平に対して直角で平行な上下シートである第１の実施形態の機器１０の３次元代替構造を示す。
【０１１２】
図４９Ｉは第５種の第９亜種３７０であり、７枚のシートを有して、断面が五角形３７２である支持リング１２を形成し、外側の２枚のシートが下側に傾斜して垂直の外側シートに接続し、内側部分が円錐形である第１の実施形態の機器１０の３次元代替構造を示す。
【０１１３】
図４９Ｊは第５種の第１０亜種３７４であり、８枚のシートを有して六角形の断面３７６および任意選択で等しい辺を有する支持リング１２を形成する第１の実施形態の機器１０の３次元代替構造を示す。
【０１１４】
図４９Ｋは第５種の第１１亜種３７８であり、断面が八角形で、直径方向反対側にある外側および内側のシートが先端を形成する支持リング３８０を形成するため、８枚のシートを有する支持リング１２を形成する第１の実施形態の機器１０の３次元代替構造を示す。
【０１１５】
図４９Ｌは第５種の第１２亜種３８２であり、断面に八角形３８４を形成し、直径方向反対側にある外側および内側のシートが垂直かつ平行である８枚のシートを有する支持リ
ング１２を形成する第１の実施形態の機器１０の３次元代替構造を示す。
【０１１６】
図５０Ａは、電磁放射線集中モードにあり、太陽に面する透明膜３８８、および内表面にあって周縁によって支持リング１２に取り付けられ、凸状反射鏡構造３９２を形成する背面反射金属化膜３９０を有する第２の実施形態３８６である。放射する太陽光２８は、反射して、機器３８６の焦点に配置したエネルギ吸収性オブジェクト３９４に集束するものとして図示されている。
【０１１７】
図５０Ｂは、放射線投影モードにあり、同じ反射鏡構造３９２であるが、焦点に配置した電球、懐中電灯またはランプなどの光源３９６から遠方のオブジェクトへと電磁線を投影する第２の実施形態３８６である。集中モードか投影モードかの選択は、光源の位置に依存することに留意されたい。
【０１１８】
図５１は、透明または反射性の環状（断面は楕円形）膜の２つの部片によって支持リング４００を予備形成することにより作成した第２の実施形態の第１種３９８であり、膜は側部がシーム２２によって密封され、透明な膜３８８および後部の反射膜３９０に面する上部または放射線の線源で形成された周囲より高い（super-ambient）凸状要素３９２の周縁にリング４００を取り付ける。第１弁１８を、透明な膜の中心に配置し、第２弁１８は、膨張するために支持リング４００内に必要である。
【０１１９】
図５２は、第２の実施形態３８６の第２種４０２の略側面図である。この第２種４０２はシート２枚のみで作成されている。そのために、頂部の透明な膜３８８及び反射膜３９０の中央部分の周縁部を挟み込んで密閉し、支持リング４００の外側シームを密閉することによって、頂部の透明な膜３８８を反射膜３９０に取り付ける。
【０１２０】
図５３は、第１種３９８と同様に４枚のシートで作成するが、支持リングに対する周囲より高い反射鏡チャンバの取り付け４０６がずれ、放射線源に面する反射鏡チャンバを拡大する、第２の実施形態３８６の第３種４０４の略側面図である。
【０１２１】
図５４は、２つの独立した周囲より高い反射鏡チャンバ４１０を有し、各チャンバの反射膜３９０が内部に配置された、第２の実施形態３８６の第４種４０８の略側面図である。底部反射鏡チャンバ４１０は、上部チャンバが損傷した場合に有用となる重複（redundant）チャンバと見なされる。
【０１２２】
図５５は、内部に配置された反射膜３９０（点線）を有する２つの弁付き反射鏡チャンバ４１０、４１０を形成する２枚の外側の透明な膜３８８、３８８を有する、第２の実施形態３８６の第５種４１２の略側面図である。この構造は、透明な膜３８８の一方が動作不能になった場合でも、機器４１２が動作可能であるので貴重である。
【０１２３】
図５６は、３つの反射鏡チャンバ４１６、４１８および４２０を有し、それぞれにトロイド４００によって支持された個々の弁１８がある、第２の実施形態３８６の第６種４１４の略側面図である。上部の３枚の膜３８８は透明であり、下部の膜は反射膜３９０それぞれの片側または両側が反射性である。
【０１２４】
図５７Ａは、図５１の第２の実施形態３８６の第１種の第１亜種４２２であり、金型または３次元工具によって円形トロイド４００の内側に取り付けた反射鏡チャンバ３９２を作成するために４枚のシートを使用することを示す。必要な部片数が少ないほど、生産費が低下することが分かる。図５７Ｂから図５７Ｇは、金型セットで高温にて予備形成する必要がない支持リングを有する亜種を表している。
【０１２５】
図５７Ｂは、６枚のシートを使用して、４つの辺を有するリング４２５がある第２の実施形態の機器を作成する、第２の実施形態３８６の第２亜種４２４である。
【０１２６】
図５７Ｃは、６枚のシートを使用して、２辺が平行な５つの辺を有するリング４２７がある第２の実施形態の機器を作成する、第２の実施形態３８６の第３亜種４２６である。
【０１２７】
図５７Ｄは、７枚のシートを使用して、５つの辺を有するリング４２９がある第２の実施形態の機器を形成する、第２の実施形態３８６の第４亜種４２８である。
【０１２８】
図５７Ｅは、６枚のシートを使用して、六角形の断面を有するリング４３３を形成する、第２の実施形態３８６の第５亜種４３０である。
【０１２９】
図５７Ｆは、８枚のシートを使用して、八角形の断面を有するリング４３３を形成する、第２の実施形態３８６の第６亜種４３２である。
【０１３０】
図５７Ｇは、６枚のシートを使用して、第２の実施形態の機器を作成するために金型を必要とせず、平坦なパターンのリング４３５を形成する、第２の実施形態３８６の第７亜種４３４である。パターンは原料上にトレースし、平坦な状態で結合することに留意されたい。
【０１３１】
したがって、放射線の電磁エネルギを集中、集束および送出する装置として使用するために最適化した状態の基本的な多目的、多機能の装置の包括的な適用性が開示されている。
【図面の簡単な説明】
【０１３２】
【図１】凹状の反射表面を有する前膜および後膜がある２つの圧力変形可能な膜機器を有する膨張式支持体の第１の実施形態の上面図である。
【図２】影で図示され、反射表面を有する２つの内部圧力変形性膜付きの膨張式支持体を示す第１の実施形態の側面図である。
【図３Ａ】機器への焦点距離を調節する作業の一例として、距離を短縮した焦点を形成する、わずかに膨張した膜部分がある反射鏡表面を有する第１の実施形態の略縦断面図である。
【図３Ｂ】膜部分の膨張を大きくして、距離が長くなった焦点を形成する反射鏡表面を有する第１の実施形態の略縦断面図である。
【図４】２つの反射性外膜と、非反射性の中心膜を有して、重複（redundant）反射鏡チャンバを形成する働きをする圧力変形可能な機器を有する第１の実施形態の略縦断面図である。
【図５】追加の任意選択の固定および保存要素がある膨張式支持体を有する第１の実施形態の上面図である。第２の実施形態の機器には、任意選択の周囲要素も使用可能である。
【図６】一体のプラスチック・プラグ弁の略断面図である。
【図７Ａ】目違い継ぎ（ジプロック（登録商標））タイプの弁の略部分上面図である。
【図７Ｂ】弁のクランプまたはひも閉鎖部の略部分上面図である。
【図８】第１の実施形態の機器のため、前膜の中心にあるソケットに固定したアンテナを含む、Ｕ字型金具、クリップ、ブラケット、装着スタッド、フックおよびループ締結パッチなどの取り付け機器の略側断面図である。
【図９】水、錘材としての岩石または砂、または塩素を水に添加するため、前膜およびリング支持体用の軟質蝶番を有する気密性の正方形、円形または長方形のカバーを使用する第１の実施形態の機器の略側断面図である。
【図１０】膜と膜との間のキャビティ内に収集される雨水などの落下物を収集するため、前膜の中心に配置した漏斗で改造した第１の実施形態の機器の略側断面図である。
【図１１】収集用漏斗、排水管および収集容器を含む、雨水を収集する第１の実施形態の機器の略側断面図である。
【図１２】水などの物体を収集し、保持する第１の実施形態の機器の略側断面図である。これよりサイズが小さい別の集水リングを、主要支持リングと任意選択のリング間の空気通路口で接続する。
【図１３】沈殿物または凝縮水を収集するため、周囲の樋、排水管および集水タンクを設けた第１の実施形態の機器の略側断面図である。
【図１４Ａ】しわを寄せるために両方の膜の内表面に含まれた半径方向に伸張する、または連続的に伸張する円形の（点線）弾性帯によって、または機器を使用していない場合に安全形体として反射鏡表面を歪曲することにより改造した第１の実施形態の機器の略上面図である。
【図１４Ｂ】膜に取り付けた固定用プラスチック帯によって隔置された箇所に固定された弾性帯の略部分縦断面図である。
【図１５】機器を使用していない場合に展開することができる、回転可能で不透明な安全カバーを有する第１の実施形態の機器の略側断面図である。
【図１６】両方の膜の中心に配置された透明なパッチ状領域で改造され、各膜が、中心に配置された弁を囲む１対の位置合わせされた十字線形部材を有する、第１の実施形態の機器の略上面図である。支持体は、位置合わせした１対の十字線形部材がある透明パッチも有する。これらの形体により、機器を電磁気源と位置合わせすることができる。
【図１７】受信装置を形成するよう改造された第１の実施形態の機器の略立面図である。
【図１８】各管の支持長さを制御する区画を有する１対の膨張式支持管によって後部が支持され、傾斜した第１の実施形態の機器の略斜視図である。
【図１９Ａ】好ましい結合領域を示す第１の実施形態の膨張していない機器の初期平坦パターンの略断面図である。
【図１９Ｂ】膨張状態にある図１９Ａの第１の実施形態の機器の略側断面図である。
【図２０】任意選択のマイクロフォン・システムの助けで、または裸の耳で鳥の聴覚的囀りを集中させるために使用する第１の実施形態の機器の略側断面図である。
【図２１】漏れ出る電子レンジまたはブラウン管機器から保護する電磁エネルギ・シールドとして使用する第１の実施形態の機器の略側断面図である。
【図２２】救急用保温性床または毛布として使用する第１の実施形態の機器の略斜視図である。軟質機器で人の上を覆うか、人に巻き付けることができる。
【図２３】導波管取り入れ機器、光ファイバ・ケーブルおよび光学画像投影器またはスライド投影器で使用する第１の実施形態の機器の略斜視図である。
【図２４】周囲より高い内圧チャンバ内で無線周波数およびマイクロ波放射線を受けるために、アンテナも取り付けケーブルまたはロッドによって中心に配置され、内側に一方側が固定された第１の実施形態の機器を有する電波望遠鏡の部品として使用する宇宙にある透明の球の略縦断面図である。
【図２５】計算器などの低電力光起電力機器を動作させるか、再充電するために、ナトリウム・ランプ街灯から光を反射するために使用する第１の実施形態の機器の略縦断面図である。
【図２６】太陽光放射線を導波管光取り入れ機器を通して光ファイバ・ケーブルへ、さらにダイバーのランプへと伝達することにより、ダイバー用の全整色光の形態の照明を生成するために使用する第１の実施形態の機器の略縦断面図である。
【図２７】太陽光放射線を光ファイバ・ケーブル・システムへ集光させ、さらに建物またはシェルタの屋内ランプへと屋内照明を生成するために使用する第１の実施形態の機器の略縦断面図である。
【図２８】読書のためなどに暗い環境で遠いオブジェクトまたは区域を照明するため、焦点で燃焼するロウソクとともに使用する第１の実施形態の機器の略縦断面図である。
【図２９】書物またはコンパスや地図などの他の資料を読むために、三日月の助けにより月の放射線を捕捉して集中させるため使用する第１の実施形態の機器の略縦断面図である。
【図３０】別の人が見ている遠くの樹木に集束させた光信号のバーストにより通信するため、懐中電灯などの低電力光源で使用する第１の実施形態の機器の略縦断面図である。
【図３１】機器の焦点に沿って中心に配置したアンテナを追加し、通常範囲から外れた送信局からの信号を受信することにより、放物面無線周波数（ＲＦ）またはマイクロ波送信／受信機器として使用する第１の実施形態の機器の略縦断面図である。
【図３２】高所にあって黒くした水タンクを加熱するために使用する第１の実施形態の機器の略縦断面図である。
【図３３】単一の機器または複数の機器として、寒冷気候中に暖を取るか生存のために、キャンプファイア、暖炉または太陽からの放射エネルギを、焦点にいない人へと反射するために使用する第１の実施形態の機器の略縦断面図である。
【図３４】紙、木材などの可燃性材料を太陽放射線から点火するために使用する第１の実施形態の機器の略縦断面図である。
【図３５】太陽放射線によって光電池機器に通電するために使用する第１の実施形態の機器の略縦断面図である。
【図３６】電気を通すために太陽放射線によって熱電電池に通電するために使用する第１の実施形態の機器の略縦断面図である。
【図３７】黒くしたタンクの中の水などの液体を太陽放射線によって加熱し、流入水から蒸気を形成し、蒸気タービンに通電するため使用する第１の実施形態の機器の略縦断面図である。
【図３８】産業で材料を生産するために、外側を黒くした熱反応容器を太陽放射線によって加熱するために使用する第１の実施形態の機器の略縦断面図である。
【図３９Ａ】太陽放射線によって液体を蒸留するために使用する第１の実施形態の機器の略縦断面図であり、開始液を含み、導管によって凝縮コイルおよび蒸留液収集容器に接続された黒いタンクまたは圧力ポットを示す。
【図３９Ｂ】発酵装置として使用する第１の実施形態の機器の略縦断面図である。
【図４０】肉焼き器と、４本のアーチ状の棒で形成され、尾根部または切り欠き部がある（ridgedor notched）ケトル支持体との組み合わせを形成して、太陽放射線から熱を獲得するために使用する第１の実施形態の機器の略斜視図である。
【図４１】端部を機器上にある１対の直径方向のピン継ぎ手に取り付けられ、４本の可撓性金属またはプラスチック・ケーブルによって安定した状態で保持された複数の剛性金属またはプラスチックの半円形支持脚を加えることにより、高密度に集光されたエネルギから保護するために展開および収縮可能な安全ケージを形成するために使用する第１の実施形態の機器の略斜視図である。
【図４２】自身に固定された複数の脚支持体を形成し、電気コード、さらに受信機器に接続された電磁放射線機器などの焦点で、またはその付近で機器または材料を支持するために使用する第１の実施形態の機器の略立面図である。
【図４３】支持リング用の第１弁と、支持リングを通って反射鏡膜の間でチャンバに入る導管を有する第２反射鏡チャンバ弁とを使用する第１の実施形態の機器の略断面図である。
【図４４】相互に熱溶着または接着剤結合したテーパ状ゴアによって支持リングを構築する１つの方法の斜視図である。明快さを期して反射鏡チャンバは省略されている。
【図４５Ａ】２つの反射膜と、各部分のために弁がある２枚の環状シートから作成したトーラスとがある膨張状態の第１の実施形態の機器の第１種の略縦断面図である。
【図４５Ｂ】金属製反射材料で被覆した２枚の円形合成樹脂（例えば、ポリエチレンテレフタレート）シートと、４枚の環状シートとを組み合わせることによって作成した平坦な第１亜種パターンにある図４５Ａの種の略断面図である。反射膜は支持リング内に限定される。
【図４５Ｃ】２枚の円形の外部反射膜を、２枚の環状の内部非反射シートと組み合わせ、その結果として機器全体を囲む反射膜になった平坦な第２亜種パターンにある図４５Ａの種の略断面図である。
【図４６Ａ】４枚シートの環状支持構造と１対の反射膜を、２つの弁を装備した状態で図示した平坦パターンから形成した、第１の実施形態の機器の第２種の略側断面図である。
【図４６Ｂ】２枚の円形かつ平面状の内部反射層を、内縁の内側で二重になった外部非反射リング層に結合した、６枚シートの平坦な第１亜種パターンにある図４６Ａの第２種の略断面図である。
【図４６Ｃ】２枚の円形の反射膜層を２つのリング層に結合して平面状の表面を形成し、外側のリング層を結合し、二重にした内側のリング支持層を結合した、４枚シートの平坦な第２亜種パターンにある図４６Ａの第２種の略断面図である。
【図４６Ｄ】２枚の円形反射鏡膜層を、その周縁で相互に結合し、１対の環状膜の内側に結合して、反射鏡層の内表面を有するリング支持体を形成する、４枚シートの平坦な第３亜種パターンにある図４６Ａの第２種の略断面図である。
【図４７Ａ】６枚のシートを使用して、リング支持体と、膨張状態で示した２枚の反射膜を形成する、第１の実施形態の機器の第３種の略側断面図である。
【図４７Ｂ】内部、中央および外部環状膜区間を有する平坦な第１亜種パターンにある図４７Ａの第３種の略断面図である。
【図４７Ｃ】支持リングの一部を形成する２枚の膜を有する平坦な第２亜種パターンにある図４７Ａの第３種の略断面図である。
【図４７Ｄ】支持リング中央層が反射膜の延長部である、平坦な第３亜種パターンにある図４７Ａの第３種の略断面図である。
【図４７Ｅ】支持構造の外側端を改造して、支持リング構造にさらに２枚のシートを追加し、（図４７Ｂ〜図４７Ｄの第４種のそれぞれに端構造を追加する例示として）８枚シートの全体構造を形成する、平坦な第４亜種パターンにある図４７Ｃの第３種の略断面図である。
【図４８Ａ】２枚の膜シートと支持リングの２枚のシートの十分に予備形成するか膨張した状態にある第１の実施形態の機器の好ましい第４種による第１亜種の略縦断面図である。
【図４８Ｂ】部分的に予備形成した反射鏡膜が付いた４枚のシートおよび環状支持体を有する第４種による第２亜種の略縦断面図である。
【図４８Ｃ】２枚の予備形成した反射膜が付いた４枚のシートおよび２枚のバイアス付与し予備形成した環状膜を有する第４種による第３亜種の略縦断面図である。
【図４８Ｄ】２枚の予備形成した反射膜が付いた４枚のシートおよびリング支持体を有する第４種による第４亜種の略縦断面図である。
【図４９Ａ】第５種による第１亜種の略断面図である。
【図４９Ｂ】第５種による第２亜種の略断面図である。
【図４９Ｃ】第５種による第３亜種の略断面図である。
【図４９Ｄ】第５種による第４亜種の略断面図である。
【図４９Ｅ】第５種による第５亜種の略断面図である。
【図４９Ｆ】第５種による第６亜種の略断面図である。
【図４９Ｇ】第５種による第７亜種の略断面図である。
【図４９Ｈ】第５種による第８亜種の略断面図である。
【図４９Ｉ】第５種による第９亜種の略断面図である。
【図４９Ｊ】第５種による第１０亜種の略断面図である。
【図４９Ｋ】第５種による第１１亜種の略断面図である。
【図４９Ｌ】第５種による第１２亜種の略断面図である。
【図５０Ａ】放射エネルギを集中させる第２の実施形態の略縦断面図である。
【図５０Ｂ】放射エネルギを放射させる第２の実施形態の略縦断面図である。
【図５１】第２の実施形態の第１種の略縦断面図である。
【図５２】周囲より高い第２の実施形態の第２種の略側断面図である。
【図５３】周囲より高い第２の実施形態の第３種の略側断面図である。
【図５４】第２の実施形態の第４種の略側断面図である。
【図５５】第２の実施形態の第５種の略側断面図である。
【図５６】第２の実施形態の第６種の略側断面図である。
【図５７Ａ】第２の実施形態の第２種の第１亜種として、図５２の実施形態の略側断面図である。
【図５７Ｂ】第２の実施形態の第２種による第２亜種の略側断面図である。
【図５７Ｃ】第２の実施形態の第３亜種の略側断面図である。
【図５７Ｄ】第２の実施形態の第４亜種の略側断面図である。
【図５７Ｅ】第２の実施形態の第５亜種の略側断面図である。
【図５７Ｆ】第２の実施形態の第６亜種の略側断面図である。
【図５７Ｇ】第２の実施形態の第７亜種の略側断面図である。
【手続補正３】
【補正対象書類名】図面
【補正対象項目名】全図
【補正方法】変更
【補正の内容】
【図１】
2005527760.tif 000187
【図２】
2005527760.tif 000188
【図３Ａ】
2005527760.tif 000189
【図３Ｂ】
2005527760.tif 000190
【図４】
2005527760.tif 000191
【図５】
2005527760.tif 000192
【図６】
2005527760.tif 000193
【図７Ａ】
2005527760.tif 000194
【図７Ｂ】
2005527760.tif 000195
【図８】
2005527760.tif 000196
【図９】
2005527760.tif 000197
【図１０】
2005527760.tif 000198
【図１１】
2005527760.tif 000199
【図１２】
2005527760.tif 000200
【図１３】
2005527760.tif 000201
【図１４Ａ】
2005527760.tif 000202
【図１４Ｂ】
2005527760.tif 000203
【図１５】
2005527760.tif 000204
【図１６】
2005527760.tif 000205
【図１７】
2005527760.tif 000206
【図１８】
2005527760.tif 000207
【図１９Ａ】
2005527760.tif 000208
【図１９Ｂ】
2005527760.tif 000209
【図２０】
2005527760.tif 000210
【図２１】
2005527760.tif 000211
【図２２】
2005527760.tif 000212
【図２３】
2005527760.tif 000213
【図２４】
2005527760.tif 000214
【図２５】
2005527760.tif 000215
【図２６】
2005527760.tif 000216
【図２７】
2005527760.tif 000217
【図２８】
2005527760.tif 000218
【図２９】
2005527760.tif 000219
【図３０】
2005527760.tif 000220
【図３１】
2005527760.tif 000221
【図３２】
2005527760.tif 000222
【図３３】
2005527760.tif 000223
【図３４】
2005527760.tif 000224
【図３５】
2005527760.tif 000225
【図３６】
2005527760.tif 000226
【図３７】
2005527760.tif 000227
【図３８】
2005527760.tif 000228
【図３９Ａ】
2005527760.tif 000229
【図３９Ｂ】
2005527760.tif 000230
【図４０】
2005527760.tif 000231
【図４１】
2005527760.tif 000232
【図４２】
2005527760.tif 000233
【図４３】
2005527760.tif 000234
【図４４】
2005527760.tif 000235
【図４５Ａ】
2005527760.tif 000236
【図４５Ｂ】
2005527760.tif 000237
【図４５Ｃ】
2005527760.tif 000238
【図４６Ａ】
2005527760.tif 000239
【図４６Ｂ】
2005527760.tif 000240
【図４６Ｃ】
2005527760.tif 000241
【図４６Ｄ】
2005527760.tif 000242
【図４７Ａ】
2005527760.tif 000243
【図４７Ｂ】
2005527760.tif 000244
【図４７Ｃ】
2005527760.tif 000245
【図４７Ｄ】
2005527760.tif 000246
【図４７Ｅ】
2005527760.tif 000247
【図４８Ａ】
2005527760.tif 000248
【図４８Ｂ】
2005527760.tif 000249
【図４８Ｃ】
2005527760.tif 000250
【図４８Ｄ】
2005527760.tif 000251
【図４９Ａ】
2005527760.tif 000252
【図４９Ｂ】
2005527760.tif 000253
【図４９Ｃ】
2005527760.tif 000254
【図４９Ｄ】
2005527760.tif 000255
【図４９Ｅ】
2005527760.tif 000256
【図４９Ｆ】
2005527760.tif 000257
【図４９Ｇ】
2005527760.tif 000258
【図４９Ｈ】
2005527760.tif 000259
【図４９Ｉ】
2005527760.tif 000260
【図４９Ｊ】
2005527760.tif 000261
【図４９Ｋ】
2005527760.tif 000262
【図４９Ｌ】
2005527760.tif 000263
【図５０Ａ】
2005527760.tif 000264
【図５０Ｂ】
2005527760.tif 000265
【図５１】
2005527760.tif 000266
【図５２】
2005527760.tif 000267
【図５３】
2005527760.tif 000268
【図５４】
2005527760.tif 000269
【図５５】
2005527760.tif 000270
【図５６】
2005527760.tif 000271
【図５７Ａ】
2005527760.tif 000272
【図５７Ｂ】
2005527760.tif 000273
【図５７Ｃ】
2005527760.tif 000274
【図５７Ｄ】
2005527760.tif 000275
【図５７Ｅ】
2005527760.tif 000276
【図５７Ｆ】
2005527760.tif 000277
【図５７Ｇ】
2005527760.tif 000278
【国際調査報告】
2005527760.tif 000279
2005527760.tif 000280